(57)【要約】      （修正有）【課題】第一の所定数の紙幣を含み、帯封処理が施された単位紙幣束を重ね合わせて、結束テープを巻回し、帯封処理を施して、第二の所定数に等しい数の単位紙幣束含む管理可能な紙幣束を提供する。【解決手段】第一の所定数の紙幣を含み、周囲に第一の結束テープが巻回されて、帯封処理が施された第二の所定数に等しい数の単位紙幣束をセット可能な紙幣束セット部１０と、セットされた紙幣に形成されたインレット内のＩＣチップに書き込まれた紙幣の金種データを含む紙幣に関するＲＦＩＤデータを読み取るＲＦＩＤリーダー２０と、読み取った紙幣に関するＲＦＩＤデータに基づき、１束また２束以上の単位紙幣束に含まれた紙幣を判別し、計数するＣＰＵと、ＣＰＵによって制御され、紙幣束セット部１０にセットされた第二の所定数に等しい数の単位紙幣束に、第二の結束テープＴを巻回して、第二の所定数に等しい数の単位紙幣束を含む紙幣束を生成する。【選択図】図２
2008296998.tif 000002
【特許請求の範囲】
【請求項１】
それぞれが、第一の所定数の紙幣を含み、第一の結束テープが巻回されて、帯封処理が施された第二の所定数に等しい数の単位紙幣束をセット可能な紙幣束セット部と、紙幣束セット部にセットされた少なくとも１つの単位紙幣束に含まれた紙幣に形成されたインレット内のＩＣチップに書き込まれた紙幣の金種データを含む紙幣に関するＲＦＩＤデータを読み取るＲＦＩＤリーダーと、前記ＲＦＩＤリーダーが読み取った紙幣に書き込まれた紙幣に関するＲＦＩＤデータに基づいて、前記少なくとも１つの単位紙幣束に含まれた紙幣を判別し、計数する制御手段と、前記制御手段によって制御され、前記紙幣束セット部にセットされた第二の所定数に等しい数の単位紙幣束に、第二の結束テープを巻回して、第二の所定数に等しい数の単位紙幣束を含む紙幣束を生成する紙幣束生成手段とを備えたことを特徴とする紙幣束処理機。
【請求項２】
さらに、前記紙幣束生成手段によって生成される紙幣束に含まれるべき単位紙幣束に含まれる紙幣の金種および前記第一の所定数ならびに前記第二の所定数を含む紙幣束に関するデータを入力する入力手段を備え、前記制御手段が、前記ＲＦＩＤリーダーが読み取った前記紙幣に関するＲＦＩＤデータと、前記入力手段に入力された前記紙幣束に関するデータとに基づき、少なくとも、前記紙幣束セット部にセットされた少なくとも１つの単位紙幣束に含まれた紙幣の金種が前記入力手段に入力された紙幣束に含まれるべき単位紙幣束に含まれる紙幣の金種と一致するか否か、前記少なくとも１つの単位紙幣束のそれぞれに含まれた紙幣の枚数が前記第一の所定数に一致するか否かおよび前記紙幣束セット部にセットされた複数の単位紙幣束の数が前記第二の所定数に一致するか否かを判定し、これらが一致すると判定したときに、前記紙幣束生成手段を作動させるように構成されたことを特徴とする請求項１に記載の紙幣束処理機。
【請求項３】
前記第二の結束テープにＩＣチップを含むインレットが形成されており、さらに、前記制御手段によって制御され、前記ＲＦＩＤリーダーが読み取った紙幣に関するＲＦＩＤデータに基づいて、前記第二の結束テープに形成された前記インレット内の前記ＩＣチップに、少なくとも前記第二の所定数に等しい数の単位紙幣束に関するＲＦＩＤデータを書き込むＲＦＩＤライターを備えたことを特徴とする請求項１または２に記載の紙幣束処理機。
【請求項４】
さらに、表示手段を備え、前記制御手段が、前記ＲＦＩＤリーダーが読み取った前記紙幣に関するＲＦＩＤデータに基づき、前記表示手段に情報を表示するように構成されたことを特徴とする請求項３に記載の紙幣束処理機。
【請求項５】
前記表示手段が、ディスプレイパネルを備え、前記ＲＦＩＤリーダーが読み取った前記紙幣に関するＲＦＩＤデータと、前記入力手段に入力された前記紙幣束に関するデータとに基づき、前記紙幣束セット部にセットされた少なくとも１つの単位紙幣束に含まれた紙幣の金種が前記入力手段に入力された紙幣束に含まれるべき単位紙幣束に含まれる紙幣の金種と一致しないと判定したとき、前記少なくとも１つの単位紙幣束のそれぞれに含まれた紙幣の枚数が前記第一の所定数に一致しないと判定したとき、または、前記紙幣束セット部にセットされた複数の単位紙幣束の数が前記第二の所定数に一致するか否かを判定したときに、前記制御手段が、その旨のメッセージを前記ディスプレイパネルに表示するように構成されたことを特徴とする請求項２ないし４のいずれか１項に記載の紙幣束処理機。
【請求項６】
前記少なくとも１つの単位紙幣束のそれぞれに含まれた紙幣の枚数が前記第一の所定数に一致しないと判定したときに、前記制御手段が、過不足の枚数を前記ディスプレイパネルに表示するように構成されたことを特徴とする請求項５に記載の紙幣束処理機。
【請求項７】
前記表示手段が、さらに、アラームを発するアラーム手段を備え、前記ＲＦＩＤリーダーが読み取った前記紙幣に関するＲＦＩＤデータと、前記入力手段に入力された前記紙幣束に関するデータとに基づき、前記紙幣束セット部にセットされた少なくとも１つの単位紙幣束に含まれた紙幣の金種が前記入力手段に入力された紙幣束に含まれるべき単位紙幣束に含まれる紙幣の金種と一致しないと判定したとき、前記少なくとも１つの単位紙幣束のそれぞれに含まれた紙幣の枚数が前記第一の所定数に一致しないと判定したとき、または、前記紙幣束セット部にセットされた複数の単位紙幣束の数が前記第二の所定数に一致するか否かを判定したときに、前記制御手段が、前記アラーム手段にアラームを発生させるように構成されたことを特徴とする請求項５または４に記載の紙幣束処理機。
【請求項８】
前記紙幣に関するデータが、紙幣のＩＤ番号に関するデータを含んでいることを特徴とする請求項１ないし７のいずれか１項に記載の紙幣束処理機。
【請求項９】
前記ＲＦＩＤライターが、前記第二の結束テープによって帯封処理された前記紙幣束に含まれる紙幣を特定するＩＤデータと、前記紙幣束に含まれる紙幣の金種を特定する金種データと、前記紙幣束に含まれる紙幣の枚数を特定する枚数データと、帯封処理を施した日時、帯封処理を施した金融機関名および帯封処理の実行者よりなる群から選ばれた少なくとも一種の帯封処理に関するＲＦＩＤデータを前記第二の結束テープに形成された前記インレット内の前記ＩＣチップに書き込むように構成されたことを特徴とする請求項８に記載の紙幣束処理機。
【請求項１０】
前記入力手段が、単位紙幣束を１つずつ、前記紙幣束セット部にセットして、第二の所定数に等しい単位紙幣束を含む紙幣束を生成する第一の紙幣束生成モードおよび第二の所定数に等しい単位紙幣束を前記紙幣束セット部にセットして、第二の所定数に等しい単位紙幣束を含む紙幣束を生成する第二の紙幣束生成モードのいずれかを選択する紙幣束生成モード選択信号を入力可能に構成され、前記入力手段に、第一の紙幣束生成モードを選択する紙幣束生成モード選択信号が入力されたときに、前記制御手段が、前記ＲＦＩＤリーダーが読み取った前記紙幣に関するＲＦＩＤデータに基づいて、前記１つの単位紙幣束に含まれた紙幣を判別して、計数し、前記ＲＦＩＤリーダーが読み取った前記紙幣に関するＲＦＩＤデータと、前記入力手段に入力された前記紙幣束に関するデータとに基づき、前記１つの単位紙幣束に含まれた紙幣の金種が前記入力手段に入力された紙幣束に含まれるべき単位紙幣束に含まれる紙幣の金種と一致するか否か、前記１つの単位紙幣束に含まれた紙幣の枚数が前記第一の所定数に一致するか否かを判定し、これらが一致すると判定したときに、前記紙幣束セット部にセットされた前記１つの単位紙幣束を受け入れるとともに、新たに、１つの単位紙幣束を前記紙幣束セット部にセットすべき旨を前記表示手段に表示し、これらの少なくとも一方が一致していないと判定したときに、前記紙幣束セット部にセットされた前記１つの単位紙幣束を取り出し、別の１つの単位紙幣束を前記紙幣束セット部にセットすべき旨のメッセージを前記ディスプレイパネルに表示するように構成されたことを特徴とする請求項５ないし９のいずれか１項に記載の紙幣束処理機。
【請求項１１】
前記入力手段が、単位紙幣束を１つずつ、前記紙幣束セット部にセットして、第二の所定数に等しい単位紙幣束を含む紙幣束を生成する第一の紙幣束生成モードおよび第二の所定数に等しい単位紙幣束を前記紙幣束セット部にセットして、第二の所定数に等しい単位紙幣束を含む紙幣束を生成する第二の紙幣束生成モードのいずれかを選択する紙幣束生成モード選択信号を入力可能に構成され、前記入力手段に、第一の紙幣束生成モードを選択する紙幣束生成モード選択信号が入力されたときに、前記制御手段が、前記ＲＦＩＤリーダーが読み取った前記紙幣に関するＲＦＩＤデータに基づいて、前記１つの単位紙幣束に含まれた紙幣を判別して、計数し、前記ＲＦＩＤリーダーが読み取った前記紙幣に関するＲＦＩＤデータと、前記入力手段に入力された前記紙幣束に関するデータとに基づき、前記１つの単位紙幣束に含まれた紙幣の金種が前記入力手段に入力された紙幣束に含まれるべき単位紙幣束に含まれる紙幣の金種と一致するか否か、前記１つの単位紙幣束に含まれた紙幣の枚数が前記第一の所定数に一致するか否かを判定し、これらが一致すると判定したときに、前記紙幣束セット部にセットされた前記１つの単位紙幣束を受け入れるとともに、新たに、１つの単位紙幣束を前記紙幣束セット部にセットすべき旨を前記表示手段に表示し、これらの少なくとも一方が一致していないと判定したときに、前記紙幣束セット部にセットされた前記１つの単位紙幣束を取り出し、別の１つの単位紙幣束を前記紙幣束セット部にセットすべき旨を前記ディスプレイパネルに表示するとともに、前記アラーム手段にアラームを発生させるように構成されたことを特徴とする請求項７ないし９のいずれか１項に記載の紙幣束処理機。
【請求項１２】
前記入力手段に、第二の紙幣束生成モードを選択する紙幣束生成モード選択信号が入力されたときに、前記制御手段が、前記ＲＦＩＤリーダーが読み取った前記紙幣に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記第二の所定数を乗じて得られた枚数と一致するか否かを判定し、これらが一致すると判定したときに、前記紙幣束生成手段を作動させ、これらの少なくとも一方が一致していないと判定したときに、前記紙幣束生成部にセットされたすべての単位紙幣束を取り出し、新たに、前記第二の所定数に等しい数の単位紙幣束を前記紙幣束生成部にセットすべき旨のメッセージを前記ディスプレイパネルに表示するように構成されたことを特徴とする請求項１０に記載の紙幣束処理機。
【請求項１３】
前記入力手段に、第二の紙幣束生成モードを選択する紙幣束生成モード選択信号が入力されたときに、前記制御手段が、前記ＲＦＩＤリーダーが読み取った前記紙幣に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記第二の所定数を乗じて得られた枚数と一致するか否かを判定し、これらが一致すると判定したときに、前記紙幣束生成手段を作動させ、これらの少なくとも一方が一致していないと判定したときに、前記紙幣束生成部にセットされたすべての単位紙幣束を取り出し、新たに、前記第二の所定数に等しい数の単位紙幣束を前記紙幣束生成部にセットすべき旨のメッセージを前記ディスプレイパネルに表示するとともに、前記アラーム手段にアラームを発生させるように構成されたことを特徴とする請求項１１に記載の紙幣束処理機。
【請求項１４】
前記入力手段が、単位紙幣束を１つずつ、前記紙幣束セット部にセットして、第二の所定数に等しい単位紙幣束を含む紙幣束を生成する第一の紙幣束生成モードおよび第二の所定数よりも少ない数の単位紙幣束を前記紙幣束セット部にセットして、第二の所定数に等しい単位紙幣束を含む紙幣束を生成する第二の紙幣束生成モードのいずれかを選択する紙幣束生成モード選択信号ならびに前記紙幣束セット部にセットした単位紙幣束の数を入力可能に構成され、前記入力手段に、第一の紙幣束生成モードを選択する紙幣束生成モード選択信号が入力されたときに、前記制御手段が、前記ＲＦＩＤリーダーが読み取った前記紙幣に関するＲＦＩＤデータに基づいて、前記１つの単位紙幣束に含まれた紙幣を判別して、計数し、前記ＲＦＩＤリーダーが読み取った前記紙幣に関するＲＦＩＤデータと、前記入力手段に入力された前記紙幣束に関するデータとに基づき、前記１つの単位紙幣束に含まれた紙幣の金種が前記入力手段に入力された紙幣束に含まれるべき単位紙幣束に含まれる紙幣の金種と一致するか否か、前記１つの単位紙幣束に含まれた紙幣の枚数が前記第一の所定数に一致するか否かを判定し、これらが一致すると判定したときに、前記紙幣束セット部にセットされた前記１つの単位紙幣束を受け入れるとともに、新たに、１つの単位紙幣束を前記紙幣束セット部にセットすべき旨を前記表示手段に表示し、これらの少なくとも一方が一致していないと判定したときに、前記紙幣束セット部にセットされた前記１つの単位紙幣束を取り出し、別の１つの単位紙幣束を前記紙幣束セット部にセットすべき旨のメッセージを前記ディスプレイパネルに表示するように構成されたことを特徴とする請求項５ないし９のいずれか１項に記載の紙幣束処理機。
【請求項１５】
前記入力手段が、単位紙幣束を１つずつ、前記紙幣束セット部にセットして、第二の所定数に等しい単位紙幣束を含む紙幣束を生成する第一の紙幣束生成モードおよび第二の所定数に等しい単位紙幣束を前記紙幣束セット部にセットして、第二の所定数よりも少ない数の単位紙幣束を含む紙幣束を生成する第二の紙幣束生成モードのいずれかを選択する紙幣束生成モード選択信号ならびに前記紙幣束セット部にセットした単位紙幣束の数を入力可能に構成され、前記入力手段に、第一の紙幣束生成モードを選択する紙幣束生成モード選択信号が入力されたときに、前記制御手段が、前記ＲＦＩＤリーダーが読み取った前記紙幣に関するＲＦＩＤデータに基づいて、前記１つの単位紙幣束に含まれた紙幣を判別して、計数し、前記ＲＦＩＤリーダーが読み取った前記紙幣に関するＲＦＩＤデータと、前記入力手段に入力された前記紙幣束に関するデータとに基づき、前記１つの単位紙幣束に含まれた紙幣の金種が前記入力手段に入力された紙幣束に含まれるべき単位紙幣束に含まれる紙幣の金種と一致するか否か、前記１つの単位紙幣束に含まれた紙幣の枚数が前記第一の所定数に一致するか否かを判定し、これらが一致すると判定したときに、前記紙幣束セット部にセットされた前記１つの単位紙幣束を受け入れるとともに、新たに、１つの単位紙幣束を前記紙幣束セット部にセットすべき旨を前記表示手段に表示し、これらの少なくとも一方が一致していないと判定したときに、前記紙幣束セット部にセットされた前記１つの単位紙幣束を取り出し、別の１つの単位紙幣束を前記紙幣束セット部にセットすべき旨を前記ディスプレイパネルに表示するとともに、前記アラーム手段にアラームを発生させるように構成されたことを特徴とする請求項７ないし９のいずれか１項に記載の紙幣束処理機。
【請求項１６】
前記入力手段に、第二の紙幣束生成モードを選択する紙幣束生成モード選択信号が入力されたときに、前記制御手段が、前記ＲＦＩＤリーダーが読み取った前記紙幣に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記入力手段に入力された単位紙幣束の数を乗じて得られた枚数と一致するか否かを判定し、これらが一致すると判定したときに、前記紙幣束セット部にセットされた前記複数の単位紙幣束を受け入れるとともに、新たに、第二の所定数よりも少ない数の単位紙幣束を含む紙幣束を前記紙幣束セット部にセットすべき旨を前記表示手段に表示し、これらの少なくとも一方が一致していないと判定したときに、前記紙幣束生成部にセットされたすべての単位紙幣束を取り出し、新たに、前記第二の所定数よりも少ない数の単位紙幣束を前記紙幣束生成部にセットし、前記紙幣束生成部にセットされた単位紙幣束の数を前記入力手段に入力すべき旨のメッセージを前記ディスプレイパネルに表示するように構成されたことを特徴とする請求項１４に記載の紙幣束処理機。
【請求項１７】
前記入力手段に、第二の紙幣束生成モードを選択する紙幣束生成モード選択信号が入力されたときに、前記制御手段が、前記ＲＦＩＤリーダーが読み取った前記紙幣に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記入力手段に入力された単位紙幣束の数を乗じて得られた枚数と一致するか否かを判定し、これらが一致すると判定したときに、前記紙幣束セット部にセットされた前記複数の単位紙幣束を受け入れるとともに、新たに、第二の所定数よりも少ない数の単位紙幣束を含む紙幣束を前記紙幣束セット部にセットすべき旨を前記表示手段に表示し、これらの少なくとも一方が一致していないと判定したときに、前記紙幣束生成部にセットされたすべての単位紙幣束を取り出し、新たに、前記第二の所定数よりも少ない数の単位紙幣束を前記紙幣束生成部にセットし、前記紙幣束生成部にセットされた単位紙幣束の数を前記入力手段に入力すべき旨のメッセージを前記ディスプレイパネルに表示するとともに、前記アラーム手段にアラームを発生させるように構成されたことを特徴とする請求項１５に記載の紙幣束処理機。
【請求項１８】
さらに、前記第一の結束テープに、少なくとも、前記単位紙幣束に含まれる紙幣を特定するＩＤデータと、前記単位紙幣束に含まれる紙幣の金種を特定する金種データとを含む単位紙幣束に関するＲＦＩＤデータが書き込まれたＩＣチップを内蔵したインレットが形成され、前記入力手段に、第二の紙幣束生成モードを選択する紙幣束生成モード選択信号が入力されたときに、前記ＲＦＩＤリーダーが、さらに、前記第一の結束テープに形成された前記インレット内の前記ＩＣチップに書き込まれた前記単位紙幣束に関するＲＦＩＤデータを読み取り、前記制御手段が、前記ＲＦＩＤリーダーが読み取った前記単位紙幣束に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記入力手段に入力された単位紙幣束の数を乗じて得られた枚数と一致するか否かを判定し、これらが一致すると判定したときに、さらに、前記ＲＦＩＤリーダーが読み取った前記紙幣に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記第二の所定数を乗じて得られた枚数と一致するか否かを判定し、これらが一致すると判定したときに、前記紙幣束セット部にセットされた前記複数の単位紙幣束を受け入れるとともに、新たに、第二の所定数よりも少ない数の単位紙幣束を含む紙幣束を前記紙幣束セット部にセットすべき旨を前記表示手段に表示し、これらの少なくとも一方が一致しないと判定したときに、前記紙幣束生成部にセットされたすべての単位紙幣束を取り出し、新たに、前記第二の所定数よりも少ない数の単位紙幣束を前記紙幣束生成部にセットし、前記紙幣束生成部にセットされた単位紙幣束の数を前記入力手段に入力すべき旨のメッセージを前記ディスプレイパネルに表示し、一方、前記ＲＦＩＤリーダーが読み取った前記単位紙幣束に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記入力手段に入力された単位紙幣束の数を乗じて得られた枚数と一致するか否かを判定した結果、これらの少なくとも一方が一致しないと判定したときに、前記紙幣束生成部にセットされたすべての単位紙幣束を取り出し、新たに、前記第二の所定数よりも少ない数の単位紙幣束を前記紙幣束生成部にセットし、前記紙幣束生成部にセットされた単位紙幣束の数を前記入力手段に入力すべき旨のメッセージを前記ディスプレイパネルに表示するように構成されたことを特徴とする請求項１４に記載の紙幣束処理機。
【請求項１９】
さらに、前記第一の結束テープに、少なくとも、前記単位紙幣束に含まれる紙幣を特定するＩＤデータと、前記単位紙幣束に含まれる紙幣の金種を特定する金種データとを含む単位紙幣束に関するＲＦＩＤデータが書き込まれたＩＣチップを内蔵したインレットが形成され、前記入力手段に、第二の紙幣束生成モードを選択する紙幣束生成モード選択信号が入力されたときに、前記ＲＦＩＤリーダーが、さらに、前記第一の結束テープに形成された前記インレット内の前記ＩＣチップに書き込まれた前記単位紙幣束に関するＲＦＩＤデータを読み取り、前記制御手段が、前記ＲＦＩＤリーダーが読み取った前記単位紙幣束に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記入力手段に入力された単位紙幣束の数を乗じて得られた枚数と一致するか否かを判定し、これらが一致すると判定したときに、さらに、前記ＲＦＩＤリーダーが読み取った前記紙幣に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記第二の所定数を乗じて得られた枚数と一致するか否かを判定し、これらが一致すると判定したときに、前記紙幣束セット部にセットされた前記複数の単位紙幣束を受け入れるとともに、新たに、第二の所定数よりも少ない数の単位紙幣束を含む紙幣束を前記紙幣束セット部にセットすべき旨を前記表示手段に表示し、これらの少なくとも一方が一致しないと判定したときに、前記紙幣束生成部にセットされたすべての単位紙幣束を取り出し、新たに、前記第二の所定数よりも少ない数の単位紙幣束を前記紙幣束生成部にセットし、前記紙幣束生成部にセットされた単位紙幣束の数を前記入力手段に入力すべき旨のメッセージを前記ディスプレイパネルに表示するとともに、前記アラーム手段にアラームを発生させ、一方、前記ＲＦＩＤリーダーが読み取った前記単位紙幣束に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記入力手段に入力された単位紙幣束の数を乗じて得られた枚数と一致するか否かを判定した結果、これらの少なくとも一方が一致しないと判定したときに、前記紙幣束生成部にセットされたすべての単位紙幣束を取り出し、新たに、前記第二の所定数よりも少ない数の単位紙幣束を前記紙幣束生成部にセットし、前記紙幣束生成部にセットされた単位紙幣束の数を前記入力手段に入力すべき旨のメッセージを前記ディスプレイパネルに表示するとともに、前記アラーム手段にアラームを発生させるように構成されたことを特徴とする請求項１５に記載の紙幣束処理機。
【請求項２０】
前記ＲＦＩＤリーダーが、紙幣に形成された前記インレット内の前記ＩＣチップに書き込まれた紙幣の金種データを含む紙幣に関するＲＦＩＤデータを読み取るＲＦＩＤリーダーと、前記第一の結束テープに形成された前記インレット内の前記ＩＣチップに書き込まれた前記単位紙幣束に関するＲＦＩＤデータを読み取る第二のＲＦＩＤリーダーを備えたことを特徴とする請求項１８に記載の紙幣束処理機。
【請求項２１】
前記ＲＦＩＤリーダーが、紙幣に形成された前記インレット内の前記ＩＣチップに書き込まれた紙幣の金種データを含む紙幣に関するＲＦＩＤデータを読み取るＲＦＩＤリーダーと、前記第一の結束テープに形成された前記インレット内の前記ＩＣチップに書き込まれた前記単位紙幣束に関するＲＦＩＤデータを読み取る第二のＲＦＩＤリーダーを備えたことを特徴とする請求項１９に記載の紙幣束処理機。
【請求項２２】
前記第一の結束テープに、前記インレットが所定の間隔で形成されていることを特徴とする請求項１ないし２１のいずれか１項に記載の紙幣束処理機。
【請求項２３】
前記インレットが、前記第一の結束テープに一体的に形成されていることを特徴とする請求項１ないし２２のいずれか１項に記載の紙幣束処理機。
【請求項２４】
前記インレットが、埋め込み、貼り付けおよび印刷よりなる群から選ばれる方法によって、前記第一の結束テープに一体的に形成されていることを特徴とする請求項２３に記載の紙幣束処理機。
【請求項２５】
前記インレットが、前記インレットが一体的に形成されたラベルを、前記第一の結束テープに貼り付けることによって、前記第一の結束テープに形成されていることを特徴とする請求項１ないし２２のいずれか１項に記載の紙幣束処理機。
【請求項２６】
前記第二の結束テープに、前記インレットが所定の間隔で形成されていることを特徴とする請求項３ないし２５のいずれか１項に記載の紙幣束処理機。
【請求項２７】
前記インレットが、前記第二の結束テープに一体的に形成されていることを特徴とする請求項３ないし２６のいずれか１項に記載の紙幣束処理機。
【請求項２８】
前記インレットが、埋め込み、貼り付けおよび印刷よりなる群から選ばれる方法によって、前記第二の結束テープに一体的に形成されていることを特徴とする請求項２７に記載の紙幣束処理機。
【請求項２９】
前記インレットが、前記インレットが一体的に形成されたラベルを、前記第一の結束テープに貼り付けることによって、前記第二の結束テープに形成されていることを特徴とする請求項３ないし２６のいずれか１項に記載の紙幣束処理機。
【発明の詳細な説明】
【技術分野】
【０００１】
本発明は、紙幣束処理機に関するものであり、さらに詳細には、第一の所定枚数の紙幣を含み、帯封処理が施された紙幣束を重ね合わせて、結束テープを巻回し、帯封処理を施して、第二の所定数に等しい数の紙幣束を含む紙幣束を生成する紙幣束処理機であって、所望のように管理可能な紙幣束を生成することができる紙幣束処理機に関するものである。
【背景技術】
【０００２】
オペレータによって、あらかじめ、第一の所定枚数の紙幣、たとえば、１００枚の紙幣を含み、結束テープが巻回されて帯封処理が施された紙幣束（以下、「単位紙幣束」という。）を、第二の所定数だけ、たとえば、１０束だけ重ね合せて、単位紙幣束群を生成し、載置部上に載置し、載置部上に載置された単位紙幣束群に、結束テープを巻回して、帯封処理を施し、第二の所定数の単位紙幣束を含む紙幣束を生成するように構成された紙幣束処理機が知られている（たとえば、特許第２８８２７５０号明細書など）。
【０００３】
【特許文献１】特許第２８８２７５０号明細書
【発明の開示】
【発明が解決しようとする課題】
【０００４】
しかしながら、かかる紙幣束処理機は、各単位紙幣束に含まれている紙幣が真正な紙幣であるか否かならびに各単位紙幣束に含まれている紙幣の金種および枚数を判定する機構を備えておらず、あらかじめ作成された単位紙幣束が、真正で、かつ、同じ金種の紙幣を第一の所定枚数だけ含んでいることおよび複数の単位紙幣束に含まれている紙幣の金種が同一であることを前提として、第二の所定数の単位紙幣束を含む紙幣束を生成するように構成されているため、この紙幣束処理機によって生成された紙幣束に含まれる各単位紙幣束が、第一の所定枚数に等しい同じ金種の真正な紙幣を含んでおり、複数の単位紙幣束に含まれている紙幣の金種が同一であるという保証はなく、したがって、この紙幣束処理機によって生成された紙幣束を所望のように管理することができないという問題があった。
【０００５】
かかる問題は、理論的には、各単位紙幣束に含まれている紙幣が真正な紙幣であるか否かならびに各単位紙幣束に含まれている紙幣の金種および枚数を判定する機構を紙幣束処理機に設けることによって解決することが可能になるが、紙幣束処理機にセットされる単位紙幣束には帯封処理が施されており、しかも、第二の所定数に等しい単位紙幣束が重ね合わされた状態でセットされるため、各単位紙幣束に含まれている紙幣が真正な紙幣であるか否かならびに各単位紙幣束に含まれている紙幣の金種および枚数を判定する機構は必然的に複雑なものにならざるを得ず、紙幣束処理機が大型化するという問題があった。
【０００６】
一方、近年、ＲＦＩＤ（Radio Frequency-Identification)システムを用いて、読み取り可能なデータ（以下、「ＲＦＩＤデータ」という。）を、紙幣に書き込んで、紙幣の偽造を防止することが提案されている。ＲＦＩＤシステムは、アンテナとコントローラを備えたＲＦＩＤライター、アンテナとコントローラを備えたＲＦＩＤリーダーならびにＩＣチップとアンテナを内蔵したインレットと呼ばれる薄いフイルムとによって構成されており、ＲＦＩＤライターから所定の周波数の電波、たとえば、マイクロ波帯の電波を発信し、インレットのアンテナに受信させて、ＩＣチップに、ＲＦＩＤデータを書き込み、ＲＦＩＤリーダーから所定の周波数、たとえば、マイクロ波帯の電波を発信し、インレットのアンテナに受信させて、ＩＣチップに書き込まれたＲＦＩＤデータを読み取るものである。
【０００７】
しかしながら、ＲＦＩＤシステムを利用して、複数の単位紙幣束を含む紙幣束を生成する紙幣束処理機をどのように構成するかについての具体的な提案は全くなされていなかった。
【０００８】
したがって、本発明は、第一の所定数の紙幣を含み、帯封処理が施された単位紙幣束を重ね合わせて、結束テープを巻回し、帯封処理を施して、第二の所定数に等しい数の単位紙幣束を含む紙幣束を生成する紙幣束処理機であって、所望のように管理可能な紙幣束を生成することができる紙幣束処理機を提供することを目的とするものである。
【課題を解決するための手段】
【０００９】
本発明のかかる目的は、それぞれが、第一の所定数の紙幣を含み、第一の結束テープが巻回されて、帯封処理が施された第二の所定数に等しい数の単位紙幣束をセット可能な紙幣束セット部と、紙幣束セット部にセットされた少なくとも１つの単位紙幣束に含まれた紙幣に形成されたインレット内のＩＣチップに書き込まれた紙幣の金種データを含む紙幣に関するＲＦＩＤデータを読み取るＲＦＩＤリーダーと、前記ＲＦＩＤリーダーが読み取った紙幣に書き込まれた紙幣に関するＲＦＩＤデータに基づいて、前記少なくとも１つの単位紙幣束に含まれた紙幣を判別し、計数する制御手段と、前記制御手段によって制御され、前記紙幣束セット部にセットされた第二の所定数に等しい数の単位紙幣束に、第二の結束テープを巻回して、第二の所定数に等しい数の単位紙幣束を含む紙幣束を生成する紙幣束生成手段とを備えたことを特徴とする紙幣束処理機によって達成される。
【００１０】
本発明によれば、紙幣束処理機が、紙幣束セット部にセットされた少なくとも１つの単位紙幣束に含まれた紙幣に形成されたインレット内のＩＣチップに書き込まれた紙幣の金種データを含む紙幣に関するＲＦＩＤデータを読み取るＲＦＩＤリーダーを備え、制御手段が、ＲＦＩＤリーダーが読み取った紙幣に書き込まれた紙幣に関するＲＦＩＤデータに基づいて、紙幣束セット部にセットされた少なくとも１つの単位紙幣束に含まれた紙幣を判別し、計数するように構成されているから、紙幣束処理機を大型化させることなく、各単位紙幣束に含まれている紙幣が真正な紙幣であるか否かならびに各単位紙幣束に含まれている紙幣の金種および枚数を判定することができ、したがって、所望のように管理可能な紙幣束を生成することが可能になる。
本発明の好ましい実施態様においては、紙幣束処理機が、さらに、前記紙幣束生成手段によって生成される紙幣束に含まれるべき単位紙幣束に含まれる紙幣の金種および前記第一の所定数ならびに前記第二の所定数を含む紙幣束に関するデータを入力する入力手段を備え、前記制御手段が、前記ＲＦＩＤリーダーが読み取った前記紙幣に関するＲＦＩＤデータと、前記入力手段に入力された前記紙幣束に関するデータとに基づき、少なくとも、前記紙幣束セット部にセットされた少なくとも１つの単位紙幣束に含まれた紙幣の金種が前記入力手段に入力された紙幣束に含まれるべき単位紙幣束に含まれる紙幣の金種と一致するか否か、前記少なくとも１つの単位紙幣束のそれぞれに含まれた紙幣の枚数が前記第一の所定数に一致するか否かおよび前記紙幣束セット部にセットされた複数の単位紙幣束の数が前記第二の所定数に一致するか否かを判定し、これらが一致すると判定したときに、前記紙幣束生成手段を作動させるように構成されている。
本発明のさらに好ましい実施態様においては、前記第二の結束テープにＩＣチップを含むインレットが形成されており、紙幣束処理機が、さらに、前記制御手段によって制御され、前記ＲＦＩＤリーダーが読み取った紙幣に関するＲＦＩＤデータに基づいて、前記第二の結束テープに形成された前記インレット内の前記ＩＣチップに、少なくとも前記第二の所定数に等しい数の単位紙幣束に関するＲＦＩＤデータを書き込むＲＦＩＤライターを備えている。
本発明のさらに好ましい実施態様によれば、紙幣束処理機は、ＲＦＩＤリーダーが読み取った紙幣に関するＲＦＩＤデータに基づいて、第二の結束テープに形成されたインレット内のＩＣチップに、少なくとも第二の所定数に等しい数の単位紙幣束に関するＲＦＩＤデータを書き込むＲＦＩＤライターを備えているから、生成された紙幣束の管理をより容易なものとすることが可能になる。
本発明のさらに好ましい実施態様においては、紙幣束処理機が、さらに、表示手段を備え、前記制御手段が、前記ＲＦＩＤリーダーが読み取った前記紙幣に関するＲＦＩＤデータに基づき、前記表示手段に情報を表示するように構成されている。
本発明のさらに好ましい実施態様においては、前記表示手段が、ディスプレイパネルを備え、前記ＲＦＩＤリーダーが読み取った前記紙幣に関するＲＦＩＤデータと、前記入力手段に入力された前記紙幣束に関するデータとに基づき、前記紙幣束セット部にセットされた少なくとも１つの単位紙幣束に含まれた紙幣の金種が前記入力手段に入力された紙幣束に含まれるべき単位紙幣束に含まれる紙幣の金種と一致しないと判定したとき、前記少なくとも１つの単位紙幣束のそれぞれに含まれた紙幣の枚数が前記第一の所定数に一致しないと判定したとき、または、前記紙幣束セット部にセットされた複数の単位紙幣束の数が前記第二の所定数に一致するか否かを判定したときに、前記制御手段が、その旨のメッセージを前記ディスプレイパネルに表示するように構成されている。
本発明のさらに好ましい実施態様においては、前記少なくとも１つの単位紙幣束のそれぞれに含まれた紙幣の枚数が前記第一の所定数に一致しないと判定したときに、前記制御手段が、過不足の枚数を前記ディスプレイパネルに表示するように構成されている。
本発明のさらに好ましい実施態様においては、前記表示手段が、さらに、アラームを発するアラーム手段を備え、前記ＲＦＩＤリーダーが読み取った前記紙幣に関するＲＦＩＤデータと、前記入力手段に入力された前記紙幣束に関するデータとに基づき、前記紙幣束セット部にセットされた少なくとも１つの単位紙幣束に含まれた紙幣の金種が前記入力手段に入力された紙幣束に含まれるべき単位紙幣束に含まれる紙幣の金種と一致しないと判定したとき、前記少なくとも１つの単位紙幣束のそれぞれに含まれた紙幣の枚数が前記第一の所定数に一致しないと判定したとき、または、前記紙幣束セット部にセットされた複数の単位紙幣束の数が前記第二の所定数に一致するか否かを判定したときに、前記制御手段が、前記アラーム手段にアラームを発生させるように構成されている。
本発明のさらに好ましい実施態様においては、前記紙幣に関するデータが、紙幣のＩＤ番号に関するデータを含んでいる。
本発明のさらに好ましい実施態様においては、前記ＲＦＩＤライターが、前記第二の結束テープによって帯封処理された前記紙幣束に含まれる紙幣を特定するＩＤデータと、前記紙幣束に含まれる紙幣の金種を特定する金種データと、前記紙幣束に含まれる紙幣の枚数を特定する枚数データと、帯封処理を施した日時、帯封処理を施した金融機関名および帯封処理の実行者よりなる群から選ばれた少なくとも一種の帯封処理に関するＲＦＩＤデータを前記第二の結束テープに形成された前記インレット内の前記ＩＣチップに書き込むように構成されている。
本発明の好ましい実施態様においては、前記入力手段が、単位紙幣束を１つずつ、前記紙幣束セット部にセットして、第二の所定数に等しい単位紙幣束を含む紙幣束を生成する第一の紙幣束生成モードおよび第二の所定数に等しい単位紙幣束を前記紙幣束セット部にセットして、第二の所定数に等しい単位紙幣束を含む紙幣束を生成する第二の紙幣束生成モードのいずれかを選択する紙幣束生成モード選択信号を入力可能に構成され、前記入力手段に、第一の紙幣束生成モードを選択する紙幣束生成モード選択信号が入力されたときに、前記制御手段が、前記ＲＦＩＤリーダーが読み取った前記紙幣に関するＲＦＩＤデータに基づいて、前記１つの単位紙幣束に含まれた紙幣を判別して、計数し、前記ＲＦＩＤリーダーが読み取った前記紙幣に関するＲＦＩＤデータと、前記入力手段に入力された前記紙幣束に関するデータとに基づき、前記１つの単位紙幣束に含まれた紙幣の金種が前記入力手段に入力された紙幣束に含まれるべき単位紙幣束に含まれる紙幣の金種と一致するか否か、前記１つの単位紙幣束に含まれた紙幣の枚数が前記第一の所定数に一致するか否かを判定し、これらが一致すると判定したときに、前記紙幣束セット部にセットされた前記１つの単位紙幣束を受け入れるとともに、新たに、１つの単位紙幣束を前記紙幣束セット部にセットすべき旨を前記表示手段に表示し、これらの少なくとも一方が一致していないと判定したときに、前記紙幣束セット部にセットされた前記１つの単位紙幣束を取り出し、別の１つの単位紙幣束を前記紙幣束セット部にセットすべき旨のメッセージを前記ディスプレイパネルに表示するように構成されている。
本発明のさらに好ましい実施態様においては、前記入力手段が、単位紙幣束を１つずつ、前記紙幣束セット部にセットして、第二の所定数に等しい単位紙幣束を含む紙幣束を生成する第一の紙幣束生成モードおよび第二の所定数に等しい単位紙幣束を前記紙幣束セット部にセットして、第二の所定数に等しい単位紙幣束を含む紙幣束を生成する第二の紙幣束生成モードのいずれかを選択する紙幣束生成モード選択信号を入力可能に構成され、前記入力手段に、第一の紙幣束生成モードを選択する紙幣束生成モード選択信号が入力されたときに、前記制御手段が、前記ＲＦＩＤリーダーが読み取った前記紙幣に関するＲＦＩＤデータに基づいて、前記１つの単位紙幣束に含まれた紙幣を判別して、計数し、前記ＲＦＩＤリーダーが読み取った前記紙幣に関するＲＦＩＤデータと、前記入力手段に入力された前記紙幣束に関するデータとに基づき、前記１つの単位紙幣束に含まれた紙幣の金種が前記入力手段に入力された紙幣束に含まれるべき単位紙幣束に含まれる紙幣の金種と一致するか否か、前記１つの単位紙幣束に含まれた紙幣の枚数が前記第一の所定数に一致するか否かを判定し、これらが一致すると判定したときに、前記紙幣束セット部にセットされた前記１つの単位紙幣束を受け入れるとともに、新たに、１つの単位紙幣束を前記紙幣束セット部にセットすべき旨を前記表示手段に表示し、これらの少なくとも一方が一致していないと判定したときに、前記紙幣束セット部にセットされた前記１つの単位紙幣束を取り出し、別の１つの単位紙幣束を前記紙幣束セット部にセットすべき旨を前記ディスプレイパネルに表示するとともに、前記アラーム手段にアラームを発生させるように構成されている。
本発明のさらに好ましい実施態様においては、前記入力手段に、第二の紙幣束生成モードを選択する紙幣束生成モード選択信号が入力されたときに、前記制御手段が、前記ＲＦＩＤリーダーが読み取った前記紙幣に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記第二の所定数を乗じて得られた枚数と一致するか否かを判定し、これらが一致すると判定したときに、前記紙幣束生成手段を作動させ、これらの少なくとも一方が一致していないと判定したときに、前記紙幣束生成部にセットされたすべての単位紙幣束を取り出し、新たに、前記第二の所定数に等しい数の単位紙幣束を前記紙幣束生成部にセットすべき旨のメッセージを前記ディスプレイパネルに表示するように構成されている。
本発明のさらに好ましい実施態様においては、前記入力手段に、第二の紙幣束生成モードを選択する紙幣束生成モード選択信号が入力されたときに、前記制御手段が、前記ＲＦＩＤリーダーが読み取った前記紙幣に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記第二の所定数を乗じて得られた枚数と一致するか否かを判定し、これらが一致すると判定したときに、前記紙幣束生成手段を作動させ、これらの少なくとも一方が一致していないと判定したときに、前記紙幣束生成部にセットされたすべての単位紙幣束を取り出し、新たに、前記第二の所定数に等しい数の単位紙幣束を前記紙幣束生成部にセットすべき旨のメッセージを前記ディスプレイパネルに表示するとともに、前記アラーム手段にアラームを発生させるように構成されている。
本発明の別の好ましい実施態様においては、前記入力手段が、単位紙幣束を１つずつ、前記紙幣束セット部にセットして、第二の所定数に等しい単位紙幣束を含む紙幣束を生成する第一の紙幣束生成モードおよび第二の所定数よりも少ない数の単位紙幣束を前記紙幣束セット部にセットして、第二の所定数に等しい単位紙幣束を含む紙幣束を生成する第二の紙幣束生成モードのいずれかを選択する紙幣束生成モード選択信号ならびに前記紙幣束セット部にセットした単位紙幣束の数を入力可能に構成され、前記入力手段に、第一の紙幣束生成モードを選択する紙幣束生成モード選択信号が入力されたときに、前記制御手段が、前記ＲＦＩＤリーダーが読み取った前記紙幣に関するＲＦＩＤデータに基づいて、前記１つの単位紙幣束に含まれた紙幣を判別して、計数し、前記ＲＦＩＤリーダーが読み取った前記紙幣に関するＲＦＩＤデータと、前記入力手段に入力された前記紙幣束に関するデータとに基づき、前記１つの単位紙幣束に含まれた紙幣の金種が前記入力手段に入力された紙幣束に含まれるべき単位紙幣束に含まれる紙幣の金種と一致するか否か、前記１つの単位紙幣束に含まれた紙幣の枚数が前記第一の所定数に一致するか否かを判定し、これらが一致すると判定したときに、前記紙幣束セット部にセットされた前記１つの単位紙幣束を受け入れるとともに、新たに、１つの単位紙幣束を前記紙幣束セット部にセットすべき旨を前記表示手段に表示し、これらの少なくとも一方が一致していないと判定したときに、前記紙幣束セット部にセットされた前記１つの単位紙幣束を取り出し、別の１つの単位紙幣束を前記紙幣束セット部にセットすべき旨のメッセージを前記ディスプレイパネルに表示するように構成されている。
本発明のさらに好ましい実施態様においては、前記入力手段が、単位紙幣束を１つずつ、前記紙幣束セット部にセットして、第二の所定数に等しい単位紙幣束を含む紙幣束を生成する第一の紙幣束生成モードおよび第二の所定数に等しい単位紙幣束を前記紙幣束セット部にセットして、第二の所定数よりも少ない数の単位紙幣束を含む紙幣束を生成する第二の紙幣束生成モードのいずれかを選択する紙幣束生成モード選択信号ならびに前記紙幣束セット部にセットした単位紙幣束の数を入力可能に構成され、前記入力手段に、第一の紙幣束生成モードを選択する紙幣束生成モード選択信号が入力されたときに、前記制御手段が、前記ＲＦＩＤリーダーが読み取った前記紙幣に関するＲＦＩＤデータに基づいて、前記１つの単位紙幣束に含まれた紙幣を判別して、計数し、前記ＲＦＩＤリーダーが読み取った前記紙幣に関するＲＦＩＤデータと、前記入力手段に入力された前記紙幣束に関するデータとに基づき、前記１つの単位紙幣束に含まれた紙幣の金種が前記入力手段に入力された紙幣束に含まれるべき単位紙幣束に含まれる紙幣の金種と一致するか否か、前記１つの単位紙幣束に含まれた紙幣の枚数が前記第一の所定数に一致するか否かを判定し、これらが一致すると判定したときに、前記紙幣束セット部にセットされた前記１つの単位紙幣束を受け入れるとともに、新たに、１つの単位紙幣束を前記紙幣束セット部にセットすべき旨を前記表示手段に表示し、これらの少なくとも一方が一致していないと判定したときに、前記紙幣束セット部にセットされた前記１つの単位紙幣束を取り出し、別の１つの単位紙幣束を前記紙幣束セット部にセットすべき旨を前記ディスプレイパネルに表示するとともに、前記アラーム手段にアラームを発生させるように構成されている。
本発明のさらに好ましい実施態様においては、前記入力手段に、第二の紙幣束生成モードを選択する紙幣束生成モード選択信号が入力されたときに、前記制御手段が、前記ＲＦＩＤリーダーが読み取った前記紙幣に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記入力手段に入力された単位紙幣束の数を乗じて得られた枚数と一致するか否かを判定し、これらが一致すると判定したときに、前記紙幣束セット部にセットされた前記複数の単位紙幣束を受け入れるとともに、新たに、第二の所定数よりも少ない数の単位紙幣束を含む紙幣束を前記紙幣束セット部にセットすべき旨を前記表示手段に表示し、これらの少なくとも一方が一致していないと判定したときに、前記紙幣束生成部にセットされたすべての単位紙幣束を取り出し、新たに、前記第二の所定数よりも少ない数の単位紙幣束を前記紙幣束生成部にセットし、前記紙幣束生成部にセットされた単位紙幣束の数を前記入力手段に入力すべき旨のメッセージを前記ディスプレイパネルに表示するように構成されている。
本発明のこの実施態様によれば、第二の紙幣束生成モードが選択された場合に、最終的に生成すべき紙幣束に含まれる単位紙幣束の数である第二の所定数よりも少ない数の単位紙幣束を、順次、紙幣束生成部にセットして、第二の所定数に等しい単位紙幣束を含む紙幣束を生成するように構成されているから、紙幣束生成部にセットされた単位紙幣束に、生成される紙幣束に含まれるべきでない紙幣が含まれていた場合に、紙幣束生成部にセットした第二の所定数よりも少ない数の単位紙幣束のみを、紙幣束処理機から取り出して、回収すればよく、また、どの単位紙幣束に、生成される紙幣束に含まれるべきでない紙幣が含まれているかを、オペレータが比較的容易に判定することができるから、より効率的に、第二の所定数に等しい単位紙幣束を含む紙幣束を生成することが可能になる。
本発明のさらに好ましい実施態様においては、前記入力手段に、第二の紙幣束生成モードを選択する紙幣束生成モード選択信号が入力されたときに、前記制御手段が、前記ＲＦＩＤリーダーが読み取った前記紙幣に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記入力手段に入力された単位紙幣束の数を乗じて得られた枚数と一致するか否かを判定し、これらが一致すると判定したときに、前記紙幣束セット部にセットされた前記複数の単位紙幣束を受け入れるとともに、新たに、第二の所定数よりも少ない数の単位紙幣束を含む紙幣束を前記紙幣束セット部にセットすべき旨を前記表示手段に表示し、これらの少なくとも一方が一致していないと判定したときに、前記紙幣束生成部にセットされたすべての単位紙幣束を取り出し、新たに、前記第二の所定数よりも少ない数の単位紙幣束を前記紙幣束生成部にセットし、前記紙幣束生成部にセットされた単位紙幣束の数を前記入力手段に入力すべき旨のメッセージを前記ディスプレイパネルに表示するとともに、前記アラーム手段にアラームを発生させるように構成されている。
本発明のこの実施態様によれば、第二の紙幣束生成モードが選択された場合に、最終的に生成すべき紙幣束に含まれる単位紙幣束の数である第二の所定数よりも少ない数の単位紙幣束を、順次、紙幣束生成部にセットして、第二の所定数に等しい単位紙幣束を含む紙幣束を生成するように構成されているから、紙幣束生成部にセットされた単位紙幣束に、生成される紙幣束に含まれるべきでない紙幣が含まれていた場合に、紙幣束生成部にセットした第二の所定数よりも少ない数の単位紙幣束のみを、紙幣束処理機から取り出して、回収すればよく、また、どの単位紙幣束に、生成される紙幣束に含まれるべきでない紙幣が含まれているかを、オペレータが比較的容易に判定することができるから、より効率的に、第二の所定数に等しい単位紙幣束を含む紙幣束を生成することが可能になる。
本発明のさらに好ましい実施態様においては、さらに、前記第一の結束テープに、少なくとも、前記単位紙幣束に含まれる紙幣を特定するＩＤデータと、前記単位紙幣束に含まれる紙幣の金種を特定する金種データとを含む単位紙幣束に関するＲＦＩＤデータが書き込まれたＩＣチップを内蔵したインレットが形成され、前記入力手段に、第二の紙幣束生成モードを選択する紙幣束生成モード選択信号が入力されたときに、前記ＲＦＩＤリーダーが、さらに、前記第一の結束テープに形成された前記インレット内の前記ＩＣチップに書き込まれた前記単位紙幣束に関するＲＦＩＤデータを読み取り、前記制御手段が、前記ＲＦＩＤリーダーが読み取った前記単位紙幣束に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記入力手段に入力された単位紙幣束の数を乗じて得られた枚数と一致するか否かを判定し、これらが一致すると判定したときに、さらに、前記ＲＦＩＤリーダーが読み取った前記紙幣に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記第二の所定数を乗じて得られた枚数と一致するか否かを判定し、これらが一致すると判定したときに、前記紙幣束セット部にセットされた前記複数の単位紙幣束を受け入れるとともに、新たに、第二の所定数よりも少ない数の単位紙幣束を含む紙幣束を前記紙幣束セット部にセットすべき旨を前記表示手段に表示し、これらの少なくとも一方が一致しないと判定したときに、前記紙幣束生成部にセットされたすべての単位紙幣束を取り出し、新たに、前記第二の所定数よりも少ない数の単位紙幣束を前記紙幣束生成部にセットし、前記紙幣束生成部にセットされた単位紙幣束の数を前記入力手段に入力すべき旨のメッセージを前記ディスプレイパネルに表示し、一方、前記ＲＦＩＤリーダーが読み取った前記単位紙幣束に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記入力手段に入力された単位紙幣束の数を乗じて得られた枚数と一致するか否かを判定した結果、これらの少なくとも一方が一致しないと判定したときに、前記紙幣束生成部にセットされたすべての単位紙幣束を取り出し、新たに、前記第二の所定数よりも少ない数の単位紙幣束を前記紙幣束生成部にセットし、前記紙幣束生成部にセットされた単位紙幣束の数を前記入力手段に入力すべき旨のメッセージを前記ディスプレイパネルに表示するように構成されている。
本発明のこの実施態様によれば、紙幣束生成部に、複数の単位紙幣束がセットされたときに、まず、各単位紙幣束に巻回されている第一の結束テープに一体的に形成されたインレットト内のＩＣチップに書き込まれた単位紙幣束に関するＲＦＩＤデータを用いて、紙幣束生成部にセットされた複数の単位紙幣束の中に、生成される紙幣束に含まれるべきでない単位紙幣束が含まれているか否かを判定しているから、各紙幣に一体的に形成されたインレットト内のＩＣチップに書き込まれた紙幣に関するＲＦＩＤデータと、入力された紙幣束に関するデータとを対比することなく、紙幣束生成部にセットされている複数の単位紙幣束を取り出して、新たに、別の複数の単位紙幣束をセットすべきか否かを判定することができ、したがって、より効率的に、第二の所定数Ｎに等しい単位紙幣束を含む紙幣束を生成することが可能になる。
本発明のさらに好ましい実施態様においては、さらに、前記第一の結束テープに、少なくとも、前記単位紙幣束に含まれる紙幣を特定するＩＤデータと、前記単位紙幣束に含まれる紙幣の金種を特定する金種データとを含む単位紙幣束に関するＲＦＩＤデータが書き込まれたＩＣチップを内蔵したインレットが形成され、前記入力手段に、第二の紙幣束生成モードを選択する紙幣束生成モード選択信号が入力されたときに、前記ＲＦＩＤリーダーが、さらに、前記第一の結束テープに形成された前記インレット内の前記ＩＣチップに書き込まれた前記単位紙幣束に関するＲＦＩＤデータを読み取り、前記制御手段が、前記ＲＦＩＤリーダーが読み取った前記単位紙幣束に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記入力手段に入力された単位紙幣束の数を乗じて得られた枚数と一致するか否かを判定し、これらが一致すると判定したときに、さらに、前記ＲＦＩＤリーダーが読み取った前記紙幣に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記第二の所定数を乗じて得られた枚数と一致するか否かを判定し、これらが一致すると判定したときに、前記紙幣束セット部にセットされた前記複数の単位紙幣束を受け入れるとともに、新たに、第二の所定数よりも少ない数の単位紙幣束を含む紙幣束を前記紙幣束セット部にセットすべき旨を前記表示手段に表示し、これらの少なくとも一方が一致しないと判定したときに、前記紙幣束生成部にセットされたすべての単位紙幣束を取り出し、新たに、前記第二の所定数よりも少ない数の単位紙幣束を前記紙幣束生成部にセットし、前記紙幣束生成部にセットされた単位紙幣束の数を前記入力手段に入力すべき旨のメッセージを前記ディスプレイパネルに表示するとともに、前記アラーム手段にアラームを発生させ、一方、前記ＲＦＩＤリーダーが読み取った前記単位紙幣束に関するＲＦＩＤデータと、前記入力手段に入力された前記紙幣束に関するデータとに基づき、前記紙幣束セット部にセットされたすべての単位紙幣束に含まれた紙幣の金種が前記入力手段に入力された紙幣束に含まれるべき単位紙幣束に含まれる紙幣の金種と一致するか否かおよび前記紙幣束セット部にセットされたすべての単位紙幣束に含まれた紙幣の枚数が、前記第一の所定数に前記入力手段に入力された単位紙幣束の数を乗じて得られた枚数と一致するか否かを判定した結果、これらの少なくとも一方が一致しないと判定したときに、前記紙幣束生成部にセットされたすべての単位紙幣束を取り出し、新たに、前記第二の所定数よりも少ない数の単位紙幣束を前記紙幣束生成部にセットし、前記紙幣束生成部にセットされた単位紙幣束の数を前記入力手段に入力すべき旨のメッセージを前記ディスプレイパネルに表示するとともに、前記アラーム手段にアラームを発生させるように構成されている。
本発明のこの実施態様によれば、紙幣束生成部に、複数の単位紙幣束がセットされたときに、まず、各単位紙幣束に巻回されている第一の結束テープに一体的に形成されたインレットト内のＩＣチップに書き込まれた単位紙幣束に関するＲＦＩＤデータを用いて、紙幣束生成部にセットされた複数の単位紙幣束の中に、生成される紙幣束に含まれるべきでない単位紙幣束が含まれているか否かを判定しているから、各紙幣に一体的に形成されたインレットト内のＩＣチップに書き込まれた紙幣に関するＲＦＩＤデータと、入力された紙幣束に関するデータとを対比することなく、紙幣束生成部にセットされている複数の単位紙幣束を取り出して、新たに、別の複数の単位紙幣束をセットすべきか否かを判定することができ、したがって、より効率的に、第二の所定数Ｎに等しい単位紙幣束を含む紙幣束を生成することが可能になる。
本発明のさらに好ましい実施態様においては、前記ＲＦＩＤリーダーが、紙幣に形成された前記インレット内の前記ＩＣチップに書き込まれた紙幣の金種データを含む紙幣に関するＲＦＩＤデータを読み取るＲＦＩＤリーダーと、前記第一の結束テープに形成された前記インレット内の前記ＩＣチップに書き込まれた前記単位紙幣束に関するＲＦＩＤデータを読み取る第二のＲＦＩＤリーダーを備えている。
本発明のさらに好ましい実施態様においては、前記第一の結束テープに、前記インレットが所定の間隔で形成されている。
本発明のさらに好ましい実施態様においては、前記インレットが、前記第一の結束テープに一体的に形成されている。
本発明のさらに好ましい実施態様においては、前記インレットが、埋め込み、貼り付けおよび印刷よりなる群から選ばれる方法によって、前記第一の結束テープに一体的に形成されている。
本発明のさらに好ましい実施態様においては、前記インレットが、前記インレットが一体的に形成されたラベルを、前記第一の結束テープに貼り付けることによって、前記第一の結束テープに形成されている。
本発明のさらに好ましい実施態様においては、前記第二の結束テープに、前記インレットが所定の間隔で形成されている。
本発明のさらに好ましい実施態様においては、前記インレットが、前記第二の結束テープに一体的に形成されている。
本発明のさらに好ましい実施態様においては、前記インレットが、埋め込み、貼り付けおよび印刷よりなる群から選ばれる方法によって、前記第二の結束テープに一体的に形成されている。
本発明のさらに好ましい実施態様においては、前記インレットが、前記インレットが一体的に形成されたラベルを、前記第一の結束テープに貼り付けることによって、前記第二の結束テープに形成されている。
【発明の効果】
【００１１】
本発明によれば、第一の所定数の紙幣を含み、帯封処理が施された単位紙幣束を重ね合わせて、結束テープを巻回し、帯封処理を施して、第二の所定数に等しい数の単位紙幣束を含む紙幣束を生成する紙幣束処理機であって、所望のように管理可能な紙幣束を生成することができる紙幣束処理機を提供することが可能になる。
【発明を実施するための最良の形態】
【００１２】
以下、添付図面に基づいて、本発明の好ましい実施態様につき、詳細に説明を加える。
【００１３】
図１は、本発明の好ましい実施態様にかかる紙幣束処理機の略斜視図であり、図２は、そのＸ−Ｘ線に沿った略断面図である。
【００１４】
本実施態様にかかる紙幣束処理機は、第一の所定枚数の紙幣、たとえば、１００枚の紙幣を含み、結束テープが巻回されて帯封処理が施された単位紙幣束（小束）を、第二の所定数だけ重ね合わせ、たとえば、１０束の単位紙幣束を重ね合わせ、重ね合わせた紙幣束に結束テープを巻回して、帯封処理を施し、第二の所定数の単位紙幣束を含む紙幣束（大束）を生成するために、銀行などの金融機関内で使用される紙幣帯封機として構成されており、紙幣束を構成する各紙幣には、紙幣の発行権限を有する機関によって、インレットが一体的に形成され、インレット中のＩＣチップに、紙幣のＩＤデータ、紙幣の金種データなどのＲＦＩＤデータが、特定のフォーマットで、記録されている。ここに、紙幣に一体的に形成されたインレット中のＩＣチップは、紙幣の発行権限を有する機関によって、ＩＣチップに書き込まれた紙幣のＩＤデータ、紙幣の金種データなどのＲＦＩＤデータが、紙幣の流通過程において、改ざんされることを防止するため、読み取り専用に構成されている。
【００１５】
また、単位紙幣束には、ＩＣチップとアンテナを含むインレットが一体的に形成された結束テープが巻回されて、帯封が付されており、インレット中のＩＣチップには、単位紙幣束に含まれる紙幣のＩＤデータ、金種データなどの単位紙幣束を構成する紙幣に関するＲＦＩＤデータおよび単位紙幣束に含まれる紙幣の金種および枚数、単位紙幣束に帯封処理を施した日時、単位紙幣束に帯封処理を施した金融機関名、単位紙幣束の帯封処理の実行者などの単位紙幣束の帯封処理に関するＲＦＩＤデータが書き込まれている。
【００１６】
インレットを結束テープに一体的に形成する方法としては、結束テープ用の紙を抄く際に、結束テープ用の紙にインレットを埋め込む方法、結束テープにインレットを印刷する方法などが挙げられるが、とくに限定されるものではない。
【００１７】
図１および図２に示されるように、本実施態様にかかる紙幣束処理機は、ハウジング１を備え、ハウジング１の正面には、手動により開閉可能な外部シャッタ２が設けられ、図１に示されるように、外部シャッタ２の一方の側部には、オペレータによって操作され、種々の指示信号が入力されるキーボード５ａと、紙幣の計数結果や種々のメッセージを表示するディスプレイ５ｂとを備えた操作パネル５ならびにアラームを発するスピーカー６が設けられている。
【００１８】
図２に示されるように、外部シャッタ２内には、それぞれが第一の所定枚数の紙幣を含む第二の所定数の単位紙幣束が載置可能で、第二の所定数の単位紙幣束を含む紙幣束が生成される紙幣束生成部１０が、紙幣束処理機の外部からアクセス可能に設けられ、さらに、紙幣束生成部１０の入口を開閉する金属性の内部シャッタ１１が設けられている。
【００１９】
図２に示されるように、本実施態様にかかる紙幣束処理機の紙幣束生成部１０内には、紙幣束生成部１０内にセットされた第二の所定数の単位紙幣束を挟持可能な一対の挟持部材１５ａ、１５ｂが設けられ、紙幣束生成部１０に隣接した位置に、ＩＣチップとアンテナを含むインレット（図示せず）が、所定の間隔で、一体的に形成された結束テープＴを、紙幣束生成部１０の側壁に形成された開口部１０ａを介して、紙幣束生成部１０内に供給する結束テープ供給部材１６が設けられている。
【００２０】
図２に示されるように、紙幣束処理機の紙幣束生成部１０内には、さらに、一対の挟持部材１５ａ、１５ｂによって挟持された第二の所定数の単位紙幣束を含む紙幣束の略中央部に、結束テープ供給部材１６から供給された結束テープＴを巻き付ける巻き付け部材（図示せず）と、紙幣束の略中央部に巻き付けられた結束テープＴを切断するカッタ１７と、カッタ１７によって切断された結束テープＴの両端部を接着する接着手段（図示せず）と、単位紙幣束に含まれている紙幣に一体的に形成されたインレット内のＩＣチップに書き込まれた紙幣のＩＤデータ、金種データなどのＲＦＩＤデータを読み取り、後述するＣＰＵに出力するＲＦＩＤリーダー２０と、紙幣束に巻回されるべき結束テープＴに一体的に形成されたインレット内のＩＣチップに、各単位紙幣束に含まれる紙幣のＩＤデータ、金種データなどの紙幣束を構成する紙幣に関するＲＦＩＤデータならび紙幣束を構成する紙幣の金種、枚数、金融機関名、支店名、紙幣束処理機のＩＤデータ、オペレータの名前および帯封処理を実行した日時などの帯封処理に関するＲＦＩＤデータを書き込むＲＦＩＤライター２５とが設けられている。
【００２１】
ここに、紙幣束生成部１０の壁部は、ＲＦＩＤリーダー２０から発信される周波数の電波を遮蔽可能で、かつ、ＲＦＩＤライター２５から発信される周波数の電波を遮蔽可能な材料によって形成され、ＲＦＩＤリーダー２０から発信される周波数の電波およびＲＦＩＤライター２５から発信される周波数の電波が、紙幣束生成部１０外に漏れ出ることの防止が図られており、紙幣束生成部１０の開口部１０ａも十分に狭幅に形成されている。
【００２２】
図３は、図１および図２に示された紙幣束処理機の制御系、検出系、駆動系、入力系および表示系を示すブロックダイアグラムである。
【００２３】
図３に示されるように、本実施態様にかかる紙幣束処理機の制御系は、紙幣束処理機の動作を制御するＣＰＵ３０と、紙幣束処理機の制御プログラムなどが格納されたＲＯＭ３１と、各種データを記憶するＲＡＭ３２と、時計３３を備えている。
【００２４】
図３に示されるように、本実施態様にかかる紙幣束処理機の検出系は、単位紙幣束に含まれている紙幣に一体的に形成されたインレット内のＩＣチップに書き込まれた紙幣のＩＤデータ、金種データなどのＲＦＩＤデータを読み取り、ＣＰＵ３０に出力するＲＦＩＤリーダー２０とを備えている。
【００２５】
図３に示されるように、本実施態様にかかる紙幣束処理機の駆動系は、内部シャッタ１１を駆動するシャッタソレノイド４０と、一対の挟持部材１５ａ、１５ｂを相対的に移動させるモータ４１と、結束テープ供給部材１６を駆動するモータ４２と、カッタ１７を駆動するカッタソレノイド４３と、ＲＦＩＤライター２５を駆動するＲＦＩＤライター駆動手段４４と、巻き付け部材４５を駆動する巻き付けモータ４６と、接着手段４７を駆動する接着モータ４８とを備えている。
【００２６】
図３に示されるように、本実施態様にかかる紙幣束処理機の入力系は、操作パネル５に設けられ、オペレータによって操作され、種々の指示信号が入力されるキーボード５ａを備えており、紙幣束処理機の表示系は、操作パネル５に設けられ、紙幣の計数結果や種々のメッセージを表示するディスプレイ５ｂと、スピーカー６から、アラームを発するアラーム手段５０を備えている。
以上のように構成された本実施態様にかかる紙幣束処理機は、単位紙幣束を１束ずつ、紙幣束生成部１０にセットして、第二の所定数に等しい単位紙幣束を含む紙幣束を生成する第一の紙幣束生成モードと、第二の所定数に等しい単位紙幣束を紙幣束生成部１０にセットして、第二の所定数に等しい単位紙幣束を含む紙幣束を生成する第二の紙幣束生成モードのいずれかを、オペレータが選択して、紙幣束生成部１０にセットされた第二の所定数に等しい単位紙幣束に結束テープＴを巻回して、所定枚数の同一金種の紙幣を含む紙幣束を生成する第二の所定数に等しい単位紙幣束を含む紙幣束を生成することができるように構成されている。
【００２７】
以上のように構成された本実施態様にかかる紙幣束処理機は、以下のようにして、オペレータによって、紙幣束生成部１０にセットされた第二の所定数に等しい単位紙幣束に結束テープＴを巻回して、所定枚数の同一金種の紙幣を含む紙幣束を生成する。
【００２８】
オペレータによって、紙幣束処理機の電源がオンされて、紙幣束処理機が起動されると、ＣＰＵ３０は、操作パネル５のディスプレイ５ｂに、第一の紙幣束生成モードおよび第二の紙幣束生成モードの一方を選択すべき旨のメッセージを表示する。
【００２９】
ディスプレイ５ｂに表示されたメッセージに対して、オペレータが、操作パネル５のキーボード５ａを操作して、第一の紙幣束生成モードまたは第二の第一の紙幣束生成モードを選択すべき旨を入力すると、第一の紙幣束生成モード選択信号または第二の紙幣束生成モード信号がＣＰＵ３０に出力される。
【００３０】
一方、操作パネル５のディスプレイ５ｂに、第一の紙幣束生成モードおよび第二の紙幣束生成モードの一方を選択すべき旨のメッセージを表示してから、所定時間内に、操作パネル５のキーボード５ａに、第一の紙幣束生成モード選択信号または第二の第一の紙幣束生成モード信号が入力されないときは、ＣＰＵ３０は、引き続き、操作パネル５のディスプレイ５ｂに、第一の紙幣束生成モードおよび第二の紙幣束生成モードの一方を選択すべき旨のメッセージを表示するとともに、アラーム手段５０にアラーム信号を出力して、スピーカー６からアラームを発せさせる。
【００３１】
さらに、ＣＰＵ３０は、第一の紙幣束生成モード選択信号または第二の第一の紙幣束生成モード信号が入力されるまで、操作パネル５のディスプレイ５ｂに、第一の紙幣束生成モードおよび第二の紙幣束生成モードの一方を選択すべき旨のメッセージを表示し続け、所定時間ごとに、アラーム手段５０にアラーム信号を出力して、スピーカー６からアラームを発生させる。
【００３２】
オペレータが、操作パネル５のキーボード５ａを操作して、第一の紙幣束生成モードを選択すべき旨を入力すると、第一の紙幣束生成モード選択信号がＣＰＵ３０に出力される。
【００３３】
第一の紙幣束生成モード選択信号を受けると、ＣＰＵ３０は、紙幣束を生成すべき紙幣の金種、単位紙幣束に含まれるべき紙幣の枚数Ｍおよび生成すべき紙幣束に含まれるべき単位紙幣束の数Ｎを特定する紙幣束に関するデータならびに金融機関名、支店名およびオペレータの名前を特定する帯封処理に関するデータを入力すべき旨のメッセージを、操作パネル５のディスプレイ５ｂに表示する。
紙幣束に関するデータおよび帯封処理に関するデータを入力すべき旨のメッセージを操作パネル５のディスプレイ５ｂに表示したにもかかわらず、所定時間内に、紙幣束に関するデータおよび帯封処理に関するデータが入力されないときは、ＣＰＵ３０は、引き続き、操作パネル５のディスプレイ５ｂに、紙幣束に関するデータおよび帯封処理に関するデータを入力すべき旨のメッセージを表示するとともに、アラーム手段５０にアラーム信号を出力して、スピーカー６からアラームを発生させる。
【００３４】
さらに、ＣＰＵ３０は、紙幣束に関するデータおよび帯封処理に関するデータが入力されるまで、操作パネル５のディスプレイ５ｂに、紙幣束に関するデータおよび帯封処理に関するデータを入力すべき旨のメッセージを表示し続け、所定時間ごとに、アラーム手段５０にアラーム信号を出力して、スピーカー６からアラームを発生させる。
【００３５】
これに対して、ディスプレイ５ｂに表示されたメッセージに対して、オペレータが、操作パネル５のキーボード５ａを操作して、紙幣束を生成すべき紙幣の金種、単位紙幣束に含まれるべき紙幣の枚数Ｍおよび生成すべき紙幣束に含まれるべき単位紙幣束の数Ｎを特定する紙幣束に関するデータならびに金融機関名、支店名およびオペレータの名前を特定する帯封処理に関するデータを入力すると、入力された紙幣束に関するデータおよび帯封処理に関するデータは、ＣＰＵ３０に出力される。
ＣＰＵ３０は、紙幣束に関するデータおよび帯封処理に関するデータを受けると、これらのデータをＲＡＭ３２の第一のメモリ領域内に保存し、受け入れが完了した単位紙幣束の数ｎがゼロである旨をＲＡＭ３２の第二のメモリ領域内に書き込むとともに、操作パネル５のディスプレイ５ｂに、単位紙幣束を１束ずつ、紙幣束生成部１０にセットすべき旨のメッセージを表示する。
【００３６】
操作パネル５のディスプレイ５ｂに表示されたメッセージに対して、オペレータが、外部シャッタ２を開いて、単位紙幣束を紙幣束生成部１０にセットし、１束の単位紙幣束の紙幣束生成部１０へのセットが完了した旨を、操作パネル５のキーボード５ａに入力すると、単位紙幣束セット完了信号がＣＰＵ３０に出力される。ここに、紙幣束処理機の非作動前においては、内部シャッタ１１は開放されており、したがって、オペレータは、手動で、外部シャッタ２を開き、所望のように、紙幣束を作成すべき単位紙幣束を紙幣束生成部１０にセットすることができる。
【００３７】
一方、操作パネル５のディスプレイ５ｂに、単位紙幣束を１束ずつ、紙幣束生成部１０にセットすべき旨のメッセージを表示したにもかかわらず、所定時間内を経過しても、単位紙幣束が紙幣束生成部１０にセットされず、単位紙幣束セット完了信号が入力されないときは、ＣＰＵ３０は、引き続き、操作パネル５のディスプレイ５ｂに、単位紙幣束を１束ずつ、紙幣束生成部１０にセットすべき旨のメッセージを表示するとともに、アラーム手段５０にアラーム信号を出力して、スピーカー６からアラームを発せさせる。
【００３８】
さらに、ＣＰＵ３０は、単位紙幣束セット完了信号が入力されるまで、操作パネル５のディスプレイ５ｂに、単位紙幣束を１束ずつ、紙幣束生成部１０にセットすべき旨のメッセージを表示し続け、所定時間ごとに、アラーム手段５０にアラーム信号を出力して、スピーカー６からアラームを発生させる。
【００３９】
これに対して、オペレータによって、１束の単位紙幣束が紙幣束生成部１０にセットされ、１束の単位紙幣束の紙幣束生成部１０へのセットが完了した旨が、操作パネル５のキーボード５ａに入力された結果、単位紙幣束セット完了信号が入力されると、ＣＰＵ３０は、シャッタソレノイド４０に駆動信号を出力して、内部シャッタ１１を閉じさせ、次いで、ＲＡＭ３２の第一のメモリ領域にアクセスして、紙幣束を生成すべき紙幣の金種、単位紙幣束に含まれるべき紙幣の枚数Ｍおよび生成すべき紙幣束に含まれるべき単位紙幣束の数Ｎを特定する紙幣束に関するデータならびに金融機関名、支店名およびオペレータの名前を特定する帯封処理に関するデータをＲＡＭ３２から読み出す。
【００４０】
同時に、ＣＰＵ３０は、ＲＦＩＤリーダー２０に駆動信号を出力して、所定の周波数、たとえば、マイクロ波帯の電波を発信させる。
【００４１】
その結果、ＲＦＩＤリーダー２０から発信された電波が、紙幣束生成部１０にセットされた単位紙幣束を構成する各紙幣に一体的に形成されたインレットのアンテナによって受信され、各紙幣に一体的に形成されたインレット内のＩＣチップに書き込まれた紙幣のＩＤデータ、紙幣の金種データなどのＲＦＩＤデータが、ＲＦＩＤリーダー２０によって読み取られる。
【００４２】
上述のように、紙幣束生成部１０の壁部は、ＲＦＩＤリーダー２０から発信される周波数の電波を遮蔽可能な材料によって形成され、内部シャッタ１１が、金属によって形成されているため、ＲＦＩＤリーダー２０から発信された電波が、紙幣束生成部１０外に漏れ出ることが効果的に防止され、したがって、ＲＦＩＤリーダー２０から発信された電波が、紙幣束処理機外の紙幣に形成されたインレット内のアンテナによって受信されて、紙幣束処理機外の紙幣に形成されたインレット内のＩＣチップに書き込まれたＲＦＩＤデータが、ＲＦＩＤリーダー２０によって読み取られることを確実に防止することができる。
【００４３】
こうして、読み取られたＲＦＩＤデータは、ＲＦＩＤリーダー２０からＣＰＵ３０に出力されて、ＲＡＭ３２の第三のメモリ領域内に書き込まれる。
【００４４】
次いで、ＣＰＵ３０は、ＲＡＭ３２の第一のメモリ領域内に書き込まれた生成すべき紙幣束に関するデータと、ＲＦＩＤリーダー２０によって読み取られた単位紙幣束を構成する各紙幣の金種データとを比較し、紙幣束生成部１０にセットされた単位紙幣束に含まれるすべての紙幣の金種が、オペレータによって指定された紙幣束を生成すべき紙幣の金種と一致するか否かを判定するとともに、ＲＦＩＤリーダー２０によって読み取られた単位紙幣束を構成する各紙幣の金種データおよびＩＤデータに基づき、単位紙幣束に含まれた紙幣の枚数が、オペレータによって入力され、ＲＡＭ３２の第一のメモリ領域内に記憶されている単位紙幣束に含まれるべき紙幣の枚数Ｍに等しいか否かを判定する。
【００４５】
その結果、紙幣束生成部１０にセットされた単位紙幣束に含まれるすべての紙幣の金種が、オペレータによって指定された紙幣束を生成すべき紙幣の金種と一致し、かつ、単位紙幣束に含まれた紙幣の枚数が、ＲＡＭ３２の第一のメモリ領域内に記憶されている単位紙幣束に含まれるべき紙幣の枚数Ｍに等しいと判定したときは、ＣＰＵ３０は、その単位紙幣束を受け入れて、ＲＡＭ３２の第二のメモリ領域内に書き込まれた受け入れを完了した単位紙幣束の数ｎを１つだけ増大させ、ＲＡＭ３２の第二のメモリ領域内に、受け入れた単位紙幣束に含まれるすべての紙幣の金種データおよびＩＤデータを書き込むとともに、ＲＡＭ３２の第三のメモリ領域内に書き込まれたＲＦＩＤデータを消去し、さらに、操作パネル５のディスプレイ５ｂに、新たに、１束の単位紙幣束を紙幣束生成部１０にセットすべき旨のメッセージを表示する。
【００４６】
同時に、ＣＰＵ３０は、シャッタソレノイド４０に駆動停止信号を出力して、内部シャッタ１１を開放させるとともに、アラーム手段５０にアラーム信号を出力して、スピーカー６からアラームを発せさせる。
【００４７】
さらに、ＣＰＵ３０は、新たな単位紙幣束が紙幣束生成部１０にセットされるまで、ディスプレイ５ｂに、新たな単位紙幣束を紙幣束生成部１０にセットすべき旨のメッセージを表示し続け、所定時間ごとに、アラーム手段５０にアラーム信号を出力して、スピーカー６からアラームを発生させる。
操作パネル５のディスプレイ５ｂに表示された新たな単位紙幣束を紙幣束生成部１０にセットすべき旨のメッセージに対して、オペレータが、新たな単位紙幣束を紙幣束生成部１０にセットし、新たな単位紙幣束の紙幣束生成部１０へのセットが完了した旨を、操作パネル５のキーボード５ａに入力すると、単位紙幣束セット完了信号がＣＰＵ３０に出力され、ＣＰＵ３０は、シャッタソレノイド４０に駆動信号を出力して、内部シャッタ１１を閉じさせ、次いで、ＲＡＭ３２の第一のメモリ領域にアクセスして、紙幣束を生成すべき紙幣の金種、単位紙幣束に含まれるべき紙幣の枚数および生成すべき紙幣束に含まれるべき単位紙幣束の数を特定する紙幣束に関するデータならびに金融機関名、支店名、オペレータの名前を特定する帯封処理に関するデータをＲＡＭ３２から読み出す。
【００４８】
同時に、ＣＰＵ３０は、ＲＦＩＤリーダー２０に駆動信号を出力して、所定の周波数、たとえば、マイクロ波帯の電波を発信させる。
【００４９】
その結果、ＲＦＩＤリーダー２０から発信された電波が、紙幣束生成部１０にセットされた単位紙幣束を構成する各紙幣に一体的に形成されたインレットのアンテナによって受信され、各紙幣に一体的に形成されたインレット内のＩＣチップに書き込まれた紙幣のＩＤデータ、紙幣の金種データなどのＲＦＩＤデータが、ＲＦＩＤリーダー２０によって読み取られる。
【００５０】
ＲＦＩＤデータは、ＲＦＩＤリーダー２０からＣＰＵ３０に出力されて、ＲＡＭ３２の第三のメモリ領域内に書き込まれる。こうして、ＲＦＩＤリーダー２０によって読み取られ、ＲＡＭ３２の第三のメモリ領域内に書き込まれたＲＦＩＤデータは、すでに受け入れられた単位紙幣束と新たにセットされた単位紙幣束に含まれる紙幣のＲＦＩＤデータを含んでいる。
【００５１】
したがって、次いで、ＣＰＵ３０は、ＲＡＭ３２の第三のメモリ領域内に書き込まれたＲＦＩＤデータを、ＲＡＭ３２の第二のメモリ領域内に書き込まれているすでに受け入れた単位紙幣束に含まれる紙幣の金種データおよびＩＤデータと比較して、新たに紙幣束生成部１０にセットされた単位紙幣束に含まれる紙幣のＲＦＩＤデータを選択し、さらに、ＲＡＭ３２の第一のメモリ領域内に書き込まれた生成すべき紙幣束に関するデータと、こうして選択された新たにセットされた単位紙幣束に含まれる紙幣のＲＦＩＤデータとを比較し、新たに紙幣束生成部１０にセットされた単位紙幣束に含まれるすべての紙幣の金種が、オペレータによって指定された紙幣束を生成すべき紙幣の金種と一致するか否かを判定するとともに、新たにセットされた単位紙幣束を構成する各紙幣の金種データおよびＩＤデータに基づいて、単位紙幣束に含まれた紙幣の枚数が、オペレータによって入力され、ＲＡＭ３２の第一のメモリ領域内に記憶されている単位紙幣束に含まれるべき紙幣の枚数Ｍに等しいか否かを判定する。
【００５２】
その結果、新たに紙幣束生成部１０にセットされた単位紙幣束に含まれるすべての紙幣の金種が、オペレータによって指定された紙幣束を生成すべき紙幣の金種と一致し、かつ、単位紙幣束に含まれた紙幣の枚数が、ＲＡＭ３２の第一のメモリ領域内に記憶されている単位紙幣束に含まれるべき紙幣の枚数Ｍに等しいと判定したときは、ＣＰＵ３０は、その単位紙幣束を受け入れて、ＲＡＭ３２の第二のメモリ領域内に書き込まれた受け入れを完了した単位紙幣束の数ｎを１つだけ増大させ、ＲＡＭ３２の第二のメモリ領域内に、受け入れた単位紙幣束に含まれるすべての紙幣の金種データおよびＩＤデータを書き込むとともに、ＲＡＭ３２の第三のメモリ領域内に書き込まれたＲＦＩＤデータを消去し、さらに、シャッタソレノイド４０に駆動停止信号を出力して、内部シャッタ１１を開放させ、操作パネル５のディスプレイ５ｂに、新たに、１束の単位紙幣束を紙幣束生成部１０にセットすべき旨のメッセージを表示する。
【００５３】
一方、紙幣束生成部１０にセットされた単位紙幣束に、オペレータによって指定された紙幣束を生成すべき紙幣の金種と一致しない金種の紙幣および／または偽造紙幣、外国紙幣などの受け入れ不能な紙幣が含まれていると判定したときは、ＣＰＵ３０は、ＲＡＭ３２の第三のメモリ領域内に書き込まれたＲＦＩＤデータを消去し、次いで、操作パネル５に設けられたディスプレイ５ｂに、紙幣束生成部１０にセットされた単位紙幣束に、紙幣束を生成すべき紙幣の金種と一致しない金種の紙幣および／または受け入れ不能な紙幣が含まれていた旨、一致していない紙幣の金種および枚数および／または受け入れ不能な紙幣の枚数を表示するとともに、紙幣束生成部１０にセットされた単位紙幣束を取り出し、別の単位紙幣束を紙幣束生成部１０にセットすべき旨のメッセージを表示する。
【００５４】
一方、紙幣束生成部１０にセットされた単位紙幣束に含まれるすべての紙幣の金種が、オペレータによって指定された紙幣束を生成すべき紙幣の金種と一致しているが、単位紙幣束に含まれた紙幣の枚数が、ＲＡＭ３２に記憶されている単位紙幣束に含まれるべき紙幣の枚数Ｍと一致しないと判定したときは、ＣＰＵ３０は、ＲＡＭ３２の第三のメモリ領域内に書き込まれたＲＦＩＤデータを消去し、次いで、操作パネル５のディスプレイ５ｂに、単位紙幣束に含まれた紙幣の枚数が、ＲＡＭ３２に記憶されている単位紙幣束に含まれるべき紙幣の枚数Ｍと一致しない旨のメッセージおよび過不足の枚数を表示するとともに、紙幣束生成部１０にセットされた単位紙幣束を取り出し、別の単位紙幣束を紙幣束生成部１０にセットすべき旨のメッセージを表示する。
【００５５】
同時に、ＣＰＵ３０は、シャッタソレノイド４０に駆動停止信号を出力して、内部シャッタ１１を開放させるとともに、アラーム手段５０にアラーム信号を出力して、スピーカー６からアラームを発せさせる。
【００５６】
さらに、ＣＰＵ３０は、紙幣束生成部１０にセットされた単位紙幣束が取り出され、新たな単位紙幣束が紙幣束生成部１０にセットされるまで、ディスプレイ５ｂに、紙幣束生成部１０にセットされた単位紙幣束を取り出し、新たな単位紙幣束を紙幣束生成部１０にセットすべき旨のメッセージを表示し続け、所定時間ごとに、アラーム手段５０にアラーム信号を出力して、スピーカー６からアラームを発生させる。
操作パネル５のディスプレイ５ｂに表示された、紙幣束生成部１０にセットされた単位紙幣束を取り出し、新たな単位紙幣束を紙幣束生成部１０にセットすべき旨のメッセージに対して、オペレータが、紙幣束生成部１０にセットされていた単位紙幣束を取り出して、新たな単位紙幣束を紙幣束生成部１０にセットし、１束の単位紙幣束の紙幣束生成部１０へのセットが完了した旨を、操作パネル５のキーボード５ａに入力すると、単位紙幣束セット完了信号がＣＰＵ３０に出力され、ＣＰＵ３０は、シャッタソレノイド４０に駆動信号を出力して、内部シャッタ１１を閉じさせ、次いで、ＲＡＭ３２の第一のメモリ領域にアクセスして、紙幣束を生成すべき紙幣の金種、単位紙幣束に含まれるべき紙幣の枚数および生成すべき紙幣束に含まれるべき単位紙幣束の数を特定する紙幣束に関するデータならびに金融機関名、支店名、オペレータの名前を特定する帯封処理に関するデータをＲＡＭ３２から読み出す。
【００５７】
同時に、ＣＰＵ３０は、ＲＦＩＤリーダー２０に駆動信号を出力して、所定の周波数、たとえば、マイクロ波帯の電波を発信させる。
【００５８】
その結果、ＲＦＩＤリーダー２０から発信された電波が、紙幣束生成部１０にセットされた単位紙幣束を構成する各紙幣に一体的に形成されたインレットのアンテナによって受信され、各紙幣に一体的に形成されたインレット内のＩＣチップに書き込まれた紙幣のＩＤデータ、紙幣の金種データなどのＲＦＩＤデータが、ＲＦＩＤリーダー２０によって読み取られる。
【００５９】
こうして、読み取られたＲＦＩＤデータは、ＲＦＩＤリーダー２０からＣＰＵ３０に出力されて、ＲＡＭ３２の第三のメモリ領域内に書き込まれる。
【００６０】
次いで、ＣＰＵ３０は、ＲＡＭ３２の第一のメモリ領域内に書き込まれた生成すべき紙幣束に関するデータと、ＲＦＩＤリーダー２０によって読み取られた単位紙幣束を構成する各紙幣の金種データとを比較し、紙幣束生成部１０にセットされた単位紙幣束に含まれるすべての紙幣の金種が、オペレータによって指定された紙幣束を生成すべき紙幣の金種と一致するか否かを判定するとともに、ＲＦＩＤリーダー２０によって読み取られた単位紙幣束を構成する各紙幣の金種データおよびＩＤデータに基づいて、単位紙幣束に含まれた紙幣の枚数が、オペレータによって入力され、ＲＡＭ３２の第一のメモリ領域内に記憶されている単位紙幣束に含まれるべき紙幣の枚数Ｍに等しいか否かを判定する。
【００６１】
その結果、紙幣束生成部１０にセットされた単位紙幣束に含まれるすべての紙幣の金種が、オペレータによって指定された紙幣束を生成すべき紙幣の金種と一致し、かつ、単位紙幣束に含まれた紙幣の枚数が、ＲＡＭ３２の第一のメモリ領域内に記憶されている単位紙幣束に含まれるべき紙幣の枚数Ｍに等しいと判定したときは、ＣＰＵ３０は、その単位紙幣束を受け入れて、ＲＡＭ３２の第二のメモリ領域内に書き込まれた受け入れを完了した単位紙幣束の数ｎを１つだけ増大させ、ＲＡＭ３２の第二のメモリ領域内に、受け入れた単位紙幣束に含まれるすべての紙幣の金種データおよびＩＤデータを書き込むとともに、ＲＡＭ３２の第三のメモリ領域内に書き込まれたＲＦＩＤデータを消去し、さらに、シャッタソレノイド４０に駆動停止信号を出力して、内部シャッタ１１を開放させ、操作パネル５のディスプレイ５ｂに、新たに、１束の単位紙幣束を紙幣束生成部１０にセットすべき旨のメッセージを表示する。
【００６２】
一方、紙幣束生成部１０に、新たにセットされた単位紙幣束に、オペレータによって指定された紙幣束を生成すべき紙幣の金種と一致しない金種の紙幣および／または偽造紙幣、外国紙幣などの受け入れ不能な紙幣が含まれていると判定したときは、ＣＰＵ３０は、ＲＡＭ３２の第三のメモリ領域内に書き込まれたＲＦＩＤデータを消去し、次いで、操作パネル５に設けられたディスプレイ５ｂに、紙幣束生成部１０にセットされた単位紙幣束に、紙幣束を生成すべき紙幣の金種と一致しない金種の紙幣および／または受け入れ不能な紙幣が含まれていた旨、一致していない紙幣の金種および枚数および／または受け入れ不能な紙幣の枚数を表示するとともに、紙幣束生成部１０にセットされた単位紙幣束を取り出し、別の単位紙幣束を紙幣束生成部１０にセットすべき旨のメッセージを表示する。
【００６３】
一方、紙幣束生成部１０にセットされた単位紙幣束に含まれるすべての紙幣の金種が、オペレータによって指定された紙幣束を生成すべき紙幣の金種と一致しているが、単位紙幣束に含まれた紙幣の枚数が、ＲＡＭ３２に記憶されている単位紙幣束に含まれるべき紙幣の枚数Ｍと一致しないと判定したときは、ＣＰＵ３０は、ＲＡＭ３２の第三のメモリ領域内に書き込まれたＲＦＩＤデータを消去し、次いで、操作パネル５のディスプレイ５ｂに、単位紙幣束に含まれた紙幣の枚数が、ＲＡＭ３２に記憶されている単位紙幣束に含まれるべき紙幣の枚数Ｍと一致しない旨のメッセージおよび過不足の枚数を表示するとともに、紙幣束生成部１０にセットされた単位紙幣束を取り出し、別の単位紙幣束を紙幣束生成部１０にセットすべき旨のメッセージを表示する。
【００６４】
同時に、ＣＰＵ３０は、シャッタソレノイド４０に駆動停止信号を出力して、内部シャッタ１１を開放させるとともに、アラーム手段５０にアラーム信号を出力して、スピーカー６からアラームを発せさせる。
【００６５】
ＣＰＵ３０は、紙幣束生成部１０にセットされた別の単位紙幣束に含まれるすべての紙幣の金種が、オペレータによって指定された紙幣束を生成すべき紙幣の金種と一致し、かつ、単位紙幣束に含まれた紙幣の枚数が、ＲＡＭ３２に記憶されている単位紙幣束に含まれるべき紙幣の枚数Ｍと一致するまで、同様の処理を繰り返し、紙幣束生成部１０にセットされた単位紙幣束に含まれるすべての紙幣の金種が、オペレータによって指定された紙幣束を生成すべき紙幣の金種と一致し、かつ、単位紙幣束に含まれた紙幣の枚数が、ＲＡＭ３２に記憶されている単位紙幣束に含まれるべき紙幣の枚数Ｍと一致すると判定すると、その単位紙幣束を受け入れて、ＲＡＭ３２の第二のメモリ領域内に書き込まれた受け入れを完了した単位紙幣束の数ｎを１つだけ増大させ、ＲＡＭ３２の第二のメモリ領域内に、受け入れた単位紙幣束に含まれるすべての紙幣の金種データおよびＩＤデータを書き込むとともに、ＲＡＭ３２の第三のメモリ領域内に書き込まれたＲＦＩＤデータを消去し、さらに、シャッタソレノイド４０に駆動停止信号を出力して、内部シャッタ１１を開放させ、操作パネル５のディスプレイ５ｂに、さらに、１束の新たな単位紙幣束を紙幣束生成部１０にセットすべき旨のメッセージを表示する。
【００６６】
以上の処理を繰り返した結果、ＲＡＭ３２に格納されている受け入れを完了した単位紙幣束の数ｎが、オペレータによって入力され、ＲＡＭ３２の第一のメモリ領域内に格納された生成すべき紙幣束に含まれるべき単位紙幣束の数Ｎに等しくなったと判定すると、ＣＰＵ３０は、モータ４１に駆動信号を出力して、一対の挟持部材１５ａ、１５ｂを互いに近接するように移動させ、紙幣束生成部１０内にセットされたＮ束の単位紙幣束を挟持させる。
さらに、ＣＰＵ３０は、モータ４２に駆動信号を出力して、結束テープ供給部材１６を駆動し、ＩＣチップとアンテナを含むインレット（図示せず）が、所定の間隔で、一体的に形成された結束テープＴを紙幣束生成部１０に供給させる。
【００６７】
次いで、ＣＰＵ３０は、ＲＡＭ３２の第二のメモリ領域内に書き込まれた各単位紙幣束に含まれた紙幣のＩＤデータ、紙幣の金種データなどの紙幣束を構成する紙幣に関するＲＦＩＤデータを読み出し、ＲＡＭ３２の第一のメモリ領域からオペレータによって入力された帯封処理に関するデータを読み出すとともに、ＲＯＭ３１から、紙幣束処理機のＩＤデータを読み出し、さらに、時計３３から計時データを読み出して、駆動信号とともに、ＲＦＩＤライター駆動手段４４に出力する。
【００６８】
その結果、ＲＦＩＤライター２５が駆動され、結束テープＴに一体的に形成されているインレット内のＩＣチップ（図示せず）に、各単位紙幣束を構成する紙幣の金種データ、ＩＤデータ、紙幣束に含まれる単位紙幣束の数Ｎなどの紙幣束を構成する紙幣に関するＲＦＩＤデータならびに紙幣束を構成する紙幣の金種、枚数、金融機関名、支店名、紙幣束処理機のＩＤデータ、オペレータの名前および帯封処理を実行した日時などの帯封処理に関するＲＦＩＤデータが書き込まれる。
【００６９】
ここに、紙幣束生成部１０の壁部は、ＲＦＩＤリーダー２０から発信される周波数の電波を遮蔽可能で、かつ、ＲＦＩＤライター２５から発信される周波数の電波を遮蔽可能な材料によって形成され、内部シャッタ１１が、金属によって形成されているから、ＲＦＩＤライター２５から発信された電波が、紙幣束生成部１０外に漏れ出て、紙幣束処理機外に存在する紙幣や結束テープＴに形成されたインレット内のＩＣチップに、ＲＦＩＤデータが書き込まれることが確実に防止され、一方、紙幣束生成部１０の開口部１０ａが十分に狭幅に形成されているから、ＲＦＩＤライター２５から発信された電波が、紙幣束生成部１０の開口部１０ａを介して、紙幣束生成部１０外に漏れ出て、紙幣束生成部１０外に位置する結束テープＴに形成されたインレット内のＩＣチップに、ＲＦＩＤデータが書き込まれることが効果的に防止される。
インレット内のＩＣチップに、紙幣束を構成する紙幣に関するＲＦＩＤデータおよび帯封処理に関するＲＦＩＤデータが書き込まれた結束テープＴは、紙幣束生成部１０内にセットされたＮ束の単位紙幣束に向けて送られ、結束テープＴがＮ束の単位紙幣束に送られると、ＣＰＵ３０は、巻き付けモータ４６に駆動信号を出力して、巻き付け部材４５を駆動し、一対の挟持部材１５ａ、１５ｂによって挟持されたＮ束の単位紙幣束の略中央部に、結束テープＴを巻回させる。
【００７０】
所定の長さの結束テープＴが、Ｎ束の単位紙幣束に巻回されたと判定されると、ＣＰＵ３０は、モータ４２に駆動停止信号を出力して、結束テープ供給部材１６の駆動を停止させるとともに、カッタソレノイド４３に駆動信号を出力し、カッタ１７を駆動して、結束テープＴを切断させ、さらに、接着モータ４８に駆動信号を出力して、接着手段４７を駆動し、カッタ１７によって切断された結束テープＴの両端部を接着させる。
【００７１】
こうして、一対の挟持部材１５ａ、１５ｂによって挟持されたＮ束の単位紙幣束に、結束テープＴが巻回されて、紙幣束が生成されると、ＣＰＵ３０は、モータ４１に逆駆動信号を出力して、一対の挟持部材１５ａ、１５ｂを互いに離間させ、一対の挟持部材１５ａ、１５ｂによって挟持されていた紙幣束を解放させる。
【００７２】
次いで、ＣＰＵ３０は、操作パネル５に設けられたディスプレイ５ｂに、紙幣束の生成が完了した旨のメッセージと、生成された紙幣束に含まれる紙幣の金種および枚数を表示するとともに、シャッタソレノイド４０に駆動停止信号を出力して、内部シャッタ１１を開放させる。
【００７３】
したがって、オペレータは、外部シャッタ２を開いて、紙幣束生成部１０内で生成された紙幣束を、紙幣束処理機から取り出すことができる。
【００７４】
こうして、第一の紙幣束生成モードが選択された場合における１束の紙幣束の生成が完了すると、ＣＰＵ３０は、ＲＡＭ３２に格納されたすべてのデータをクリアする。
【００７５】
したがって、オペレータが、必要があれば、別の紙幣束の生成処理を開始することができる。
【００７６】
以上のようにして、第一の紙幣束生成モードが選択された場合における紙幣束の生成処理が完了する。
【００７７】
一方、操作パネル５のディスプレイ５ｂに表示された第一の紙幣束生成モードおよび第二の紙幣束生成モードの一方を選択すべき旨のメッセージに対して、オペレータが、操作パネル５のキーボード５ａを操作して、第二の紙幣束生成モードを選択すべき旨を入力したときは、第二の紙幣束生成モード選択信号がＣＰＵ３０に出力される。
【００７８】
第二の紙幣束生成モード選択信号を受けると、ＣＰＵ３０は、紙幣束を生成すべき紙幣の金種、単位紙幣束に含まれるべき紙幣の枚数Ｍおよび生成すべき紙幣束に含まれるべき単位紙幣束の数Ｎを特定する紙幣束に関するデータならびに金融機関名、支店名およびオペレータの名前を特定する帯封処理に関するデータを入力すべき旨のメッセージを、操作パネル５のディスプレイ５ｂに表示する。
紙幣束に関するデータおよび帯封処理に関するデータを入力すべき旨のメッセージを操作パネル５のディスプレイ５ｂに表示したにもかかわらず、所定時間内に、紙幣束に関するデータおよび帯封処理に関するデータが入力されないときは、ＣＰＵ３０は、ＣＰＵ３０は、引き続き、操作パネル５のディスプレイ５ｂに、紙幣束に関するデータおよび帯封処理に関するデータを入力すべき旨のメッセージを表示するとともに、アラーム手段５０にアラーム信号を出力して、スピーカー６からアラームを発生させる。
【００７９】
さらに、ＣＰＵ３０は、紙幣束に関するデータおよび帯封処理に関するデータが入力されるまで、操作パネル５のディスプレイ５ｂに、紙幣束に関するデータおよび帯封処理に関するデータを入力すべき旨のメッセージを表示し続け、所定時間ごとに、アラーム手段５０にアラーム信号を出力して、スピーカー６からアラームを発生させる。
【００８０】
これに対して、ディスプレイ５ｂに表示されたメッセージに対して、オペレータが、操作パネル５のキーボード５ａを操作して、紙幣束を生成すべき紙幣の金種、単位紙幣束に含まれるべき紙幣の枚数Ｍおよび生成すべき紙幣束に含まれるべき単位紙幣束の数Ｎを特定する紙幣束に関するデータならびに金融機関名、支店名およびオペレータの名前を特定する帯封処理に関するデータを入力すると、入力された紙幣束に関するデータおよび帯封処理に関するデータは、ＣＰＵ３０に出力される。
ＣＰＵ３０は、紙幣束に関するデータおよび帯封処理に関するデータを受けると、紙幣束に関するデータに基づき、生成すべき紙幣束に含まれる紙幣の枚数（Ｍ×Ｎ）を算出し、紙幣束に関するデータおよび帯封処理に関するデータとともに、ＲＡＭ３２の第一のメモリ領域内に保存し、紙幣束に含まれるべきＮ束の単位紙幣束を、紙幣束生成部１０にセットすべき旨のメッセージを、操作パネル５のディスプレイ５ｂに表示する。
操作パネル５のディスプレイ５ｂに表示されたメッセージに対して、オペレータが、外部シャッタ２を開いて、紙幣束に含まれるべき複数の単位紙幣束を紙幣束生成部１０にセットし、紙幣束に含まれるべきＮ束の単位紙幣束の紙幣束生成部１０へのセットが完了した旨を、操作パネル５のキーボード５ａに入力すると、紙幣束セット完了信号がＣＰＵ３０に出力される。
【００８１】
一方、操作パネル５のディスプレイ５ｂに、紙幣束に含まれるべきＮ束の単位紙幣束を、紙幣束生成部１０にセットすべき旨のメッセージを表示したにもかかわらず、所定時間内を経過しても、複数の単位紙幣束が紙幣束生成部１０にセットされず、紙幣束セット完了信号が入力されないときは、ＣＰＵ３０は、引き続き、操作パネル５のディスプレイ５ｂに、紙幣束に含まれるべきＮ束の単位紙幣束を、紙幣束生成部１０にセットすべき旨のメッセージを表示するとともに、アラーム手段５０にアラーム信号を出力して、スピーカー６からアラームを発生させる。
【００８２】
さらに、ＣＰＵ３０は、紙幣束セット完了信号が入力されるまで、操作パネル５のディスプレイ５ｂに、紙幣束に含まれるべきＮ束の単位紙幣束を、紙幣束生成部１０にセットすべき旨のメッセージを表示し続け、所定時間ごとに、アラーム手段５０にアラーム信号を出力して、スピーカー６からアラームを発生させる。
【００８３】
これに対して、オペレータによって、複数の単位紙幣束が紙幣束生成部１０にセットされ、紙幣束に含まれるべきＮ束の単位紙幣束の紙幣束生成部１０へのセットが完了した旨が、操作パネル５のキーボード５ａに入力された結果、紙幣束セット完了信号を入力されると、ＣＰＵ３０は、シャッタソレノイド４０に駆動信号を出力して、内部シャッタ１１を閉じさせ、次いで、ＲＡＭ３２の第一のメモリ領域にアクセスして、紙幣束を生成すべき紙幣の金種、単位紙幣束に含まれるべき紙幣の枚数Ｍおよび生成すべき紙幣束に含まれるべき単位紙幣束の数Ｎを特定する紙幣束に関するデータならびに金融機関名、支店名およびオペレータの名前を特定する帯封処理に関するデータをＲＡＭ３２から読み出す。
【００８４】
同時に、ＣＰＵ３０は、ＲＦＩＤリーダー２０に駆動信号を出力して、所定の周波数、たとえば、マイクロ波帯の電波を発信させる。
【００８５】
その結果、ＲＦＩＤリーダー２０から発信された電波が、紙幣束生成部１０にセットされた複数の単位紙幣束を構成する各紙幣に一体的に形成されたインレットのアンテナによって受信され、各紙幣に一体的に形成されたインレット内のＩＣチップに書き込まれた紙幣のＩＤデータ、紙幣の金種データなどのＲＦＩＤデータが、ＲＦＩＤリーダー２０によって読み取られる。
【００８６】
上述のように、紙幣束生成部１０の壁部は、ＲＦＩＤリーダー２０から発信される周波数の電波を遮蔽可能な材料によって形成され、内部シャッタ１１が、金属によって形成されているため、ＲＦＩＤリーダー２０から発信された電波が、紙幣束生成部１０外に漏れ出ることが効果的に防止され、したがって、ＲＦＩＤリーダー２０から発信された電波が、紙幣束処理機外の紙幣に形成されたインレット内のアンテナによって受信されて、紙幣束処理機外の紙幣に形成されたインレット内のＩＣチップに書き込まれたＲＦＩＤデータが、ＲＦＩＤリーダー２０によって読み取られることを確実に防止することができる。
【００８７】
こうして、読み取られたＲＦＩＤデータは、ＲＦＩＤリーダー２０からＣＰＵ３０に出力されて、ＲＡＭ３２の第三のメモリ領域内に書き込まれる。
【００８８】
次いで、ＣＰＵ３０は、ＲＡＭ３２の第一のメモリ領域内に書き込まれた生成すべき紙幣束に関するデータと、ＲＦＩＤリーダー２０によって読み取られた複数の単位紙幣束を構成する各紙幣の金種データとを比較し、紙幣束生成部１０にセットされた複数の単位紙幣束に含まれるすべての紙幣の金種が、オペレータによって指定された紙幣束を生成すべき紙幣の金種と一致するか否かを判定するとともに、ＲＦＩＤリーダー２０によって読み取られた複数の単位紙幣束を構成する各紙幣の金種データおよびＩＤデータに基づき、紙幣束生成部１０にセットされた複数の単位紙幣束に含まれている紙幣の枚数が、オペレータによって入力された紙幣束に関するデータに基づき、算出され、ＲＡＭ３２の第一のメモリ領域内に記憶されている生成すべき紙幣束に含まれる紙幣の枚数（Ｍ×Ｎ）に等しいか否かを判定する。
【００８９】
その結果、紙幣束生成部１０にセットされた複数の単位紙幣束に、オペレータによって指定された紙幣束を生成すべき紙幣の金種と一致しない金種の紙幣および／または偽造紙幣、外国紙幣などの受け入れ不能な紙幣が含まれていると判定したときは、ＣＰＵ３０は、ＲＡＭ３２の第三のメモリ領域内に書き込まれたＲＦＩＤデータを消去し、さらに、操作パネル５に設けられたディスプレイ５ｂに、紙幣束生成部１０にセットされた複数の単位紙幣束に、紙幣束を生成すべき紙幣の金種と一致しない金種の紙幣および／または受け入れ不能な紙幣が含まれていた旨、一致していない紙幣の金種および枚数および／または受け入れ不能な紙幣の枚数を表示するとともに、紙幣束生成部１０にセットされた複数の単位紙幣束を取り出し、新たに、紙幣束を生成すべき複数の単位紙幣束を紙幣束生成部１０にセットすべき旨のメッセージを表示する。
【００９０】
一方、紙幣束生成部１０にセットされた複数の単位紙幣束に含まれるすべての紙幣の金種が、オペレータによって指定された紙幣束を生成すべき紙幣の金種と一致していると判定した場合でも、複数の単位紙幣束に含まれた紙幣の枚数が、ＲＡＭ３２に記憶されている生成すべき紙幣束に含まれる紙幣の枚数（Ｍ×Ｎ）と一致しないと判定したときは、ＣＰＵ３０は、ＲＡＭ３２の第三のメモリ領域内に書き込まれたＲＦＩＤデータを消去し、さらに、操作パネル５のディスプレイ５ｂに、複数の単位紙幣束に含まれた紙幣の枚数が、ＲＡＭ３２に記憶されている生成すべき紙幣束に含まれる紙幣の枚数（Ｍ×Ｎ）と一致しない旨のメッセージおよび過不足の枚数を表示するとともに、紙幣束生成部１０にセットされた複数の単位紙幣束を取り出し、新たに、紙幣束を生成すべき複数の単位紙幣束を紙幣束生成部１０にセットすべき旨のメッセージを表示する。
【００９１】
同時に、ＣＰＵ３０は、シャッタソレノイド４０に駆動停止信号を出力して、内部シャッタ１１を開放させるとともに、アラーム手段５０にアラーム信号を出力して、スピーカー６からアラームを発せさせる。
【００９２】
さらに、ＣＰＵ３０は、紙幣束生成部１０にセットされた複数の単位紙幣束が取り出され、新たに、紙幣束を生成すべき複数の単位紙幣束が紙幣束生成部１０にセットされるまで、ディスプレイ５ｂに、紙幣束生成部１０にセットされた複数の単位紙幣束を取り出し、新たに、紙幣束を生成すべき複数の単位紙幣束を紙幣束生成部１０にセットすべき旨のメッセージを表示し続け、所定時間ごとに、アラーム手段５０にアラーム信号を出力して、スピーカー６からアラームを発せさせる。
操作パネル５のディスプレイ５ｂに表示された、紙幣束生成部１０にセットされた複数の単位紙幣束を取り出し、新たに、紙幣束を生成すべき複数の単位紙幣束を紙幣束生成部１０にセットすべき旨のメッセージに対して、オペレータが、紙幣束生成部１０にセットされていた複数の単位紙幣束を取り出して、新たに、紙幣束を生成すべき複数の単位紙幣束を紙幣束生成部１０にセットし、紙幣束に含まれるべきＮ束の単位紙幣束の紙幣束生成部１０へのセットが完了した旨を、操作パネル５のキーボード５ａに入力して、紙幣束セット完了信号が入力されると、ＣＰＵ３０は、シャッタソレノイド４０に駆動信号を出力して、内部シャッタ１１を閉じさせ、次いで、ＲＡＭ３２の第一のメモリ領域にアクセスして、紙幣束を生成すべき紙幣の金種、単位紙幣束に含まれるべき紙幣の枚数Ｍおよび生成すべき紙幣束に含まれるべき単位紙幣束の数Ｎを特定する紙幣束に関するデータならびに金融機関名、支店名およびオペレータの名前を特定する帯封処理に関するデータをＲＡＭ３２の第一のメモリ領域から読み出す。
【００９３】
同時に、ＣＰＵ３０は、ＲＦＩＤリーダー２０に駆動信号を出力して、所定の周波数、たとえば、マイクロ波帯の電波を発信させる。
【００９４】
その結果、ＲＦＩＤリーダー２０から発信された電波が、紙幣束生成部１０に、新たにセットされた複数の単位紙幣束を構成する各紙幣に一体的に形成されたインレットのアンテナによって受信され、各紙幣に一体的に形成されたインレット内のＩＣチップに書き込まれた紙幣のＩＤデータ、紙幣の金種データなどのＲＦＩＤデータが、ＲＦＩＤリーダー２０によって読み取られる。
【００９５】
こうして、読み取られたＲＦＩＤデータは、ＲＦＩＤリーダー２０からＣＰＵ３０に出力されて、ＲＡＭ３２の第三のメモリ領域内に書き込まれる。
【００９６】
次いで、ＣＰＵ３０は、ＲＡＭ３２の第一のメモリ領域内に書き込まれた生成すべき紙幣束に関するデータと、ＲＦＩＤリーダー２０によって読み取られた複数の単位紙幣束を構成する各紙幣の金種データとを比較し、紙幣束生成部１０にセットされた複数の単位紙幣束に含まれるすべての紙幣の金種が、オペレータによって指定された紙幣束を生成すべき紙幣の金種と一致するか否かを判定するとともに、ＲＦＩＤリーダー２０によって読み取られた複数の単位紙幣束を構成する各紙幣の金種データおよびＩＤデータに基づき、紙幣束生成部１０にセットされた複数の単位紙幣束に含まれている紙幣の枚数が、オペレータによって入力された紙幣束に関するデータに基づき、算出され、ＲＡＭ３２の第一のメモリ領域内に記憶されている生成すべき紙幣束に含まれる紙幣の枚数（Ｍ×Ｎ）に等しいか否かを判定する。
【００９７】
その結果、紙幣束生成部１０にセットされた複数の単位紙幣束に、オペレータによって指定された紙幣束を生成すべき紙幣の金種と一致しない金種の紙幣および／または偽造紙幣、外国紙幣などの受け入れ不能な紙幣が含まれていると判定したときは、ＣＰＵ３０は、ＲＡＭ３２の第三のメモリ領域内に書き込まれたＲＦＩＤデータを消去し、さらに、操作パネル５に設けられたディスプレイ５ｂに、紙幣束生成部１０にセットされた複数の単位紙幣束に、紙幣束を生成すべき紙幣の金種と一致しない金種の紙幣および／または受け入れ不能な紙幣が含まれていた旨、一致していない紙幣の金種および枚数および／または受け入れ不能な紙幣の枚数を表示するとともに、紙幣束生成部１０にセットされた複数の単位紙幣束を取り出し、新たに、紙幣束を生成すべき複数の単位紙幣束を紙幣束生成部１０にセットすべき旨のメッセージを表示する。
【００９８】
一方、紙幣束生成部１０にセットされた複数の単位紙幣束に含まれるすべての紙幣の金種が、オペレータによって指定された紙幣束を生成すべき紙幣の金種と一致していると判定した場合でも、複数の単位紙幣束に含まれた紙幣の枚数が、ＲＡＭ３２の第一のメモリ領域内に記憶されている生成すべき紙幣束に含まれる紙幣の枚数（Ｍ×Ｎ）と一致しないと判定したときは、ＣＰＵ３０は、ＲＡＭ３２の第三のメモリ領域内に書き込まれたＲＦＩＤデータを消去し、さらに、操作パネル５のディスプレイ５ｂに、複数の単位紙幣束に含まれた紙幣の枚数が、ＲＡＭ３２の第一のメモリ領域内に記憶されている生成すべき紙幣束に含まれる紙幣の枚数（Ｍ×Ｎ）と一致しない旨のメッセージおよび過不足の枚数を表示するとともに、紙幣束生成部１０にセットされた複数の単位紙幣束を取り出し、新たに、紙幣束を生成すべき複数の単位紙幣束を紙幣束生成部１０にセットすべき旨のメッセージを表示する。
【００９９】
同時に、ＣＰＵ３０は、シャッタソレノイド４０に駆動停止信号を出力して、内部シャッタ１１を開放させるとともに、アラーム手段５０にアラーム信号を出力して、スピーカー６からアラームを発せさせる。
ＣＰＵ３０は、紙幣束生成部１０にセットされた複数の単位紙幣束に含まれるすべての紙幣の金種が、オペレータによって指定された紙幣束を生成すべき紙幣の金種と一致し、かつ、複数の単位紙幣束に含まれた紙幣の枚数が、ＲＡＭ３２の第一のメモリ領域内に記憶されている生成すべき紙幣束に含まれる紙幣の枚数（Ｍ×Ｎ）と一致したと判定するまで、同様の処理を繰り返し、以上の処理を繰り返した結果、紙幣束生成部１０にセットされた複数の単位紙幣束に含まれるすべての紙幣の金種が、オペレータによって指定された紙幣束を生成すべき紙幣の金種と一致し、かつ、紙幣束生成部１０にセットされた複数の単位紙幣束に含まれている紙幣の枚数が、ＲＡＭ３２の第一のメモリ領域内に記憶されている生成すべき紙幣束に含まれる紙幣の枚数（Ｍ×Ｎ）に等しいと判定すると、ＣＰＵ３０は、モータ４１に駆動信号を出力して、一対の挟持部材１５ａ、１５ｂを互いに近接するように移動させ、紙幣束生成部１０内にセットされたＮ束の単位紙幣束を挟持させる。
さらに、ＣＰＵ３０は、モータ４２に駆動信号を出力して、結束テープ供給部材１６を駆動し、ＩＣチップとアンテナを含むインレット（図示せず）が、所定の間隔で、一体的に形成された結束テープＴを紙幣束生成部１０に供給させる。
【０１００】
次いで、ＣＰＵ３０は、ＲＡＭ３２の第三のメモリ領域内に書き込まれたＮ束の単位紙幣束に含まれた紙幣のＩＤデータ、紙幣の金種データなどの紙幣束を構成する紙幣に関するＲＦＩＤデータを読み出し、ＲＡＭ３２の第一のメモリ領域からオペレータによって入力された帯封処理に関するデータを読み出すとともに、ＲＯＭ３１から、紙幣束処理機のＩＤデータを読み出し、さらに、時計３３から計時データを読み出して、駆動信号とともに、ＲＦＩＤライター駆動手段４４に出力する。
【０１０１】
その結果、ＲＦＩＤライター２５が駆動され、結束テープＴに一体的に形成されているインレット内のＩＣチップ（図示せず）に、紙幣束に含まれる紙幣の金種、枚数および各紙幣のＩＤデータなどの紙幣束を構成する紙幣に関するＲＦＩＤデータならびに金融機関名、支店名、紙幣束処理機のＩＤデータ、オペレータの名前および帯封処理を実行した日時などの帯封処理に関するＲＦＩＤデータが書き込まれる。
【０１０２】
ここに、紙幣束生成部１０の壁部は、ＲＦＩＤリーダー２０から発信される周波数の電波を遮蔽可能で、かつ、ＲＦＩＤライター２５から発信される周波数の電波を遮蔽可能な材料によって形成され、内部シャッタ１１が、金属によって形成されているから、ＲＦＩＤライター２５から発信された電波が、紙幣束生成部１０外に漏れ出て、紙幣束処理機外に存在する紙幣や結束テープＴに形成されたインレット内のＩＣチップに、ＲＦＩＤデータが書き込まれることが確実に防止され、一方、紙幣束生成部１０の開口部１０ａが十分に狭幅に形成されているから、ＲＦＩＤライター２５から発信された電波が、紙幣束生成部１０の開口部１０ａを介して、紙幣束生成部１０外に漏れ出て、紙幣束生成部１０外に位置する結束テープＴに形成されたインレット内のＩＣチップに、ＲＦＩＤデータが書き込まれることが効果的に防止される。
インレット内のＩＣチップに、紙幣束を構成する紙幣に関するＲＦＩＤデータおよび帯封処理に関するＲＦＩＤデータが書き込まれた結束テープＴは、紙幣束生成部１０内にセットされたＮ束の単位紙幣束に向けて送られ、結束テープＴがＮ束の単位紙幣束に送られると、ＣＰＵ３０は、巻き付けモータ４６に駆動信号を出力して、巻き付け部材４５を駆動し、一対の挟持部材１５ａ、１５ｂによって挟持されたＮ束の単位紙幣束の略中央部に、結束テープＴを巻回させる。
【０１０３】
所定の長さの結束テープＴが、Ｎ束の単位紙幣束に巻回されたと判定されると、ＣＰＵ３０は、モータ４２に駆動停止信号を出力して、結束テープ供給部材１６の駆動を停止させるとともに、カッタソレノイド４３に駆動信号を出力し、カッタ１７を駆動して、結束テープＴを切断させ、さらに、接着モータ４８に駆動信号を出力して、接着手段４７を駆動し、カッタ１７によって切断された結束テープＴの両端部を接着させる。
【０１０４】
こうして、一対の挟持部材１５ａ、１５ｂによって挟持されたＮ束の単位紙幣束に、結束テープＴが巻回されて、紙幣束が生成されると、ＣＰＵ３０は、モータ４１に逆駆動信号を出力して、一対の挟持部材１５ａ、１５ｂを互いに離間させ、一対の挟持部材１５ａ、１５ｂによって挟持されていた紙幣束を解放させる。
【０１０５】
次いで、ＣＰＵ３０は、操作パネル５に設けられたディスプレイ５ｂに、紙幣束の生成が完了した旨のメッセージと、生成された紙幣束に含まれる紙幣の金種および枚数を表示するとともに、シャッタソレノイド４０に駆動停止信号を出力して、内部シャッタ１１を開放させる。
【０１０６】
したがって、オペレータは、外部シャッタ２を開いて、紙幣束生成部１０内で生成された紙幣束を、紙幣束処理機から取り出すことができる。
【０１０７】
こうして、第二の紙幣束生成モードが選択された場合における１束の紙幣束の生成が完了すると、ＣＰＵ３０は、ＲＡＭ３２に格納されたすべてのデータをクリアする。
【０１０８】
したがって、オペレータが、必要があれば、別の紙幣束の生成処理を開始することができる。
【０１０９】
以上のようにして、第二の紙幣束生成モードが選択された場合における紙幣束の生成処理が完了する。
本実施態様によれば、オペレータによって第一の紙幣束生成モードが選択された場合には、オペレータによって１束の単位紙幣束が紙幣束生成部１０にセットされるごとに、ＲＦＩＤリーダー２０によって各紙幣に一体的に形成されたインレットに書き込まれている紙幣のＩＤデータ、紙幣の金種データなどのＲＦＩＤデータが読み取られ、ＣＰＵ３０が、ＲＦＩＤリーダー２０によって読み取られた各紙幣のＩＤデータ、紙幣の金種データなどのＲＦＩＤデータに基づいて、紙幣束生成部１０にセットされた単位紙幣束に含まれるすべての紙幣の金種が、オペレータによって指定された紙幣束を生成すべき紙幣の金種と一致するか否かを判定するとともに、単位紙幣束に含まれた紙幣の枚数が、オペレータによって入力され、ＲＡＭ３２の第一のメモリ領域内に記憶されている単位紙幣束に含まれるべき紙幣の枚数Ｍに等しいか否かを判定し、紙幣束生成部１０にセットされたすべての単位紙幣束に含まれている紙幣の金種が、オペレータによって指定された紙幣束を生成すべき紙幣の金種と一致し、かつ、すべての単位紙幣束に含まれた紙幣の枚数が、オペレータによって入力され、ＲＡＭ３２の第一のメモリ領域内に記憶されている単位紙幣束に含まれるべき紙幣の枚数Ｍに等しい場合にのみ、紙幣束生成部１０にセットされた複数の単位紙幣束に巻回されるべき結束テープＴに一体的に形成されたインレット内に、単位紙幣束を構成する紙幣の金種データ、ＩＤデータ、紙幣束に含まれる単位紙幣束の数Ｎなどの紙幣束を構成する紙幣に関するＲＦＩＤデータならびに紙幣束を構成する紙幣の金種、枚数、金融機関名、支店名、紙幣束処理機のＩＤデータ、オペレータの名前および帯封処理を実行した日時などの帯封処理に関するＲＦＩＤデータを書き込むとともに、一体的に形成されたインレット内に紙幣に関するＲＦＩＤデータおよび帯封処理に関するＲＦＩＤデータが書き込まれた結束テープＴを、紙幣束生成部１０にセットされた複数の単位紙幣束に巻回して、帯封処理を施し、オペレータが指定した数の単位紙幣束を含む紙幣束を生成しているから、生成された紙幣束を構成する各単位紙幣束が、オペレータが指定した金種の所定枚数Ｎの真正な紙幣を含んでおり、紙幣束に巻回されている結束テープＴに一体的に形成されたインレット内に、正しいＲＦＩＤデータが書き込まれていることが保証され、したがって、紙幣束に巻回されている結束テープＴに一体的に形成されたインレット内に書き込まれたＲＦＩＤデータに基づいて、生成された紙幣束を所望のように管理することが可能になる。
また、本実施態様によれば、オペレータによって第一の紙幣束生成モードが選択された場合には、オペレータによって紙幣束を生成すべき複数の単位紙幣束が紙幣束生成部１０にセットされたときに、ＲＦＩＤリーダー２０によって各紙幣に一体的に形成されたインレットに書き込まれている紙幣のＩＤデータ、紙幣の金種データなどのＲＦＩＤデータが読み取られ、ＣＰＵ３０が、ＲＦＩＤリーダー２０によって読み取られた各紙幣のＩＤデータ、紙幣の金種データなどのＲＦＩＤデータに基づいて、紙幣束生成部１０にセットされた複数の単位紙幣束に含まれるすべての紙幣の金種が、オペレータによって指定された紙幣束を生成すべき紙幣の金種と一致するか否かを判定するとともに、紙幣束生成部１０にセットされた複数の単位紙幣束に含まれている紙幣の枚数が、オペレータによって入力された紙幣束に関するデータに基づき、算出され、ＲＡＭ３２の第一のメモリ領域内に記憶されている生成すべき紙幣束に含まれる紙幣の枚数（Ｍ×Ｎ）に等しいか否かを判定し、紙幣束生成部１０にセットされた複数の単位紙幣束に含まれている紙幣の金種が、オペレータによって指定された紙幣束を生成すべき紙幣の金種と一致し、かつ、紙幣束生成部１０にセットされた複数の単位紙幣束に含まれている紙幣の枚数が、オペレータによって入力された生成すべき紙幣束に含まれるべき紙幣の枚数（Ｍ×Ｎ）に等しい場合にのみ、紙幣束生成部１０にセットされた複数の単位紙幣束に巻回されるべき結束テープＴに一体的に形成されたインレット内に、単位紙幣束を構成する紙幣の金種データ、ＩＤデータ、紙幣束に含まれる単位紙幣束の数Ｎなどの紙幣束を構成する紙幣に関するＲＦＩＤデータならびに紙幣束を構成する紙幣の金種、枚数、金融機関名、支店名、紙幣束処理機のＩＤデータ、オペレータの名前および帯封処理を実行した日時などの帯封処理に関するＲＦＩＤデータを書き込むとともに、一体的に形成されたインレット内に紙幣に関するＲＦＩＤデータおよび帯封処理に関するＲＦＩＤデータが書き込まれた結束テープＴを、紙幣束生成部１０にセットされた複数の単位紙幣束に巻回して、帯封処理を施し、オペレータが指定した数の単位紙幣束を含む紙幣束を生成しているから、生成された紙幣束を構成する各単位紙幣束が、オペレータが指定した金種の所定枚数Ｎの真正な紙幣を含んでおり、紙幣束に巻回されている結束テープＴに一体的に形成されたインレット内に、正しいＲＦＩＤデータが書き込まれていることが保証され、したがって、紙幣束に巻回されている結束テープＴに一体的に形成されたインレット内に書き込まれたＲＦＩＤデータに基づいて、生成された紙幣束を所望のように管理することが可能になる。
さらに、本実施態様によれば、紙幣束生成部１０の壁部は、ＲＦＩＤリーダー２０から発信される周波数の電波を遮蔽可能で、かつ、ＲＦＩＤライター２５から発信される周波数の電波を遮蔽可能な材料によって形成され、内部シャッタ１１が、金属によって形成されているから、ＲＦＩＤリーダー２０から発信される周波数の電波およびＲＦＩＤライター２５から発信された電波が、紙幣束生成部１０外に漏れ出ることが確実に防止され、したがって、紙幣束処理機外に存在する紙幣や結束テープＴに形成されたインレット内のアンテナによって受信されて、インレット内のＩＣチップに書き込まれたＲＦＩＤデータがＲＦＩＤリーダー２０によって読み取られることを確実に防止することができ、紙幣束処理機外に存在する紙幣や結束テープＴに形成されたインレット内のＩＣチップに、ＲＦＩＤライター２５によって、ＲＦＩＤデータが書き込まれることを確実に防止することが可能になる。
また、本実施態様によれば、紙幣束生成部１０の開口部１０ａが十分に狭幅に形成されているから、ＲＦＩＤライター２５から発信された電波が、紙幣束生成部１０の開口部１０ａを介して、紙幣束生成部１０外に漏れ出ることが効果的に防止され、したがって、ＲＦＩＤライター２５から発信された電波が、紙幣束生成部１０の開口部１０ａを介して、紙幣束生成部１０外に漏れ出て、紙幣束生成部１０外に位置する結束テープＴに形成されたインレット内のＩＣチップに、ＲＦＩＤデータが書き込まれることを効果的に防止することが可能になる。
【０１１０】
図４は、本発明の別の好ましい実施態様にかかる紙幣束処理機の略断面図であり、図５は、図４に示された紙幣束処理機の制御系、検出系、駆動系、入力系および表示系を示すブロックダイアグラムである。
【０１１１】
図１ないし図３に示された実施態様にかかる紙幣束処理機は、単位紙幣束に含まれている紙幣に一体的に形成されたインレット内のＩＣチップに書き込まれた紙幣のＩＤデータ、金種データなどのＲＦＩＤデータを読み取り、ＣＰＵ３０に出力する単一のＲＦＩＤリーダー２０を備えているが、図４および図５に示されるように、本実施態様においては、図１ないし図３に示された紙幣束処理機のＲＦＩＤリーダー２０に代えて、単位紙幣束に含まれている紙幣に一体的に形成されたインレット内のＩＣチップに書き込まれた紙幣のＩＤデータ、金種データなどのＲＦＩＤデータを読み取り、ＣＰＵ３０に出力する第一のＲＦＩＤリーダー２１と、単位紙幣束に巻回された結束テープに一体的に形成されたインレット内のＩＣチップに書き込まれた単位紙幣束に含まれている各紙幣のＩＤデータ、金種データなどの紙幣に関するＲＦＩＤデータおよび各単位紙幣束に含まれる紙幣の金種、枚数、各単位紙幣束に帯封処理を施した金融機関名、支店名、オペレータ名、紙幣束処理機のＩＤデータ、日時などの単位紙幣束に関するＲＦＩＤデータを読み取り、ＣＰＵに出力する第二のＲＦＩＤリーダー２２を備え、ＲＦＩＤライター２５が、紙幣束に巻回された結束テープＴに一体的に形成されたインレット内のＩＣチップに、各単位紙幣束に含まれる紙幣のＩＤデータ、金種データなどの紙幣束を構成する紙幣に関するＲＦＩＤデータ、各単位紙幣束に含まれる紙幣の金種、枚数、各単位紙幣束に帯封処理を施した金融機関名、支店名、オペレータ名、紙幣束処理機のＩＤデータ、日時などの単位紙幣束に関するＲＦＩＤデータならびに紙幣束に含まれる単位紙幣束の数、紙幣束に帯封処理を施した金融機関名、支店名、オペレータ名、紙幣束処理機のＩＤデータ、日時などの紙幣束に関するＲＦＩＤデータを書き込むように構成され、紙幣束生成部１０の壁部が、第一のＲＦＩＤリーダー２１および第二のＲＦＩＤリーダー２２から発信される周波数の電波を遮蔽可能な材料によって形成されている点でのみ、その構成を、図１ないし図３に示された実施態様にかかる紙幣束処理機と異にしている。
本実施態様にかかる紙幣束処理機は、紙幣束を１束ずつ、紙幣束生成部１０にセットして、第二の所定数Ｎに等しい数の単位紙幣束を含む紙幣束を生成する第一の紙幣束生成モードと、第二の所定数Ｎよりも少ない数の単位紙幣束を紙幣束生成部１０に順次セットして、第二の所定数Ｎに等しい単位紙幣束を含む紙幣束を生成する第二の紙幣束生成モードのいずれかを、オペレータが選択して、紙幣束生成部１０にセットされた第二の所定数に等しい単位紙幣束に結束テープＴを巻回して、所定枚数の同一金種の紙幣を含む紙幣束を生成する第二の所定数Ｎに等しい単位紙幣束を含む紙幣束を生成することができるように構成されている。
【０１１２】
以上のように構成された本実施態様にかかる紙幣束処理機は、以下のようにして、オペレータによって、紙幣束生成部１０にセットされた複数の単位紙幣束に結束テープＴを巻回して、所定枚数の同一金種の紙幣を含む紙幣束を生成する。
【０１１３】
オペレータによって、紙幣束処理機の電源がオンされて、紙幣束処理機が起動されると、ＣＰＵ３０は、操作パネル５のディスプレイ５ｂに、第一の紙幣束生成モードおよび第二の紙幣束生成モードの一方を選択すべき旨のメッセージを表示する。
【０１１４】
ディスプレイ５ｂに表示されたメッセージに対して、オペレータが、操作パネル５のキーボード５ａを操作して、第一の紙幣束生成モードまたは第二の第一の紙幣束生成モードを選択すべき旨を入力すると、第一の紙幣束生成モード選択信号または第二の紙幣束生成モード信号がＣＰＵ３０に出力される。
【０１１５】
一方、操作パネル５のディスプレイ５ｂに、第一の紙幣束生成モードおよび第二の紙幣束生成モードの一方を選択すべき旨のメッセージを表示したにもかかわらず、所定時間内に、操作パネル５のキーボード５ａに、第一の紙幣束生成モード選択信号または第二の第一の紙幣束生成モード信号が入力されないときは、ＣＰＵ３０によって、図１ないし図３に示された実施態様と同様の処理が実行される。
【０１１６】
オペレータが、操作パネル５のキーボード５ａを操作して、第一の紙幣束生成モードを選択すべき旨を入力すると、第一の紙幣束生成モード選択信号がＣＰＵ３０に出力される。
【０１１７】
第一の紙幣束生成モード選択信号を受けると、ＣＰＵ３０は、紙幣束を生成すべき紙幣の金種、単位紙幣束に含まれるべき紙幣の枚数Ｍおよび生成すべき紙幣束に含まれるべき単位紙幣束の数Ｎを特定する紙幣束に関するデータならびに金融機関名、支店名およびオペレータの名前を特定する帯封処理に関するデータを入力すべき旨のメッセージを、操作パネル５のディスプレイ５ｂに表示する。
紙幣束に関するデータおよび帯封処理に関するデータを入力すべき旨のメッセージを操作パネル５のディスプレイ５ｂに表示したにもかかわらず、所定時間内に、紙幣束に関するデータおよび帯封処理に関するデータが入力されないときは、ＣＰＵ３０によって、図１ないし図３に示された実施態様と同様の処理が実行される。
【０１１８】
これに対して、ディスプレイ５ｂに表示されたメッセージに対して、オペレータが、操作パネル５のキーボード５ａを操作して、紙幣束を生成すべき紙幣の金種、単位紙幣束に含まれるべき紙幣の枚数Ｍおよび生成すべき紙幣束に含まれるべき単位紙幣束の数Ｎを特定する紙幣束に関するデータならびに金融機関名、支店名およびオペレータの名前を特定する帯封処理に関するデータを入力すると、入力された紙幣束に関するデータおよび帯封処理に関するデータは、ＣＰＵ３０に出力される。
ＣＰＵ３０は、紙幣束に関するデータおよび帯封処理に関するデータを受けると、これらのデータをＲＡＭ３２の第一のメモリ領域内に保存し、受け入れが完了した単位紙幣束の数ｎがゼロである旨をＲＡＭ３２の第二のメモリ領域内に書き込むとともに、操作パネル５のディスプレイ５ｂに、単位紙幣束を１束ずつ、紙幣束生成部１０にセットすべき旨のメッセージを表示する。
【０１１９】
操作パネル５のディスプレイ５ｂに表示されたメッセージに対して、オペレータが、外部シャッタ２を開いて、単位紙幣束を紙幣束生成部１０にセットし、１束の単位紙幣束の紙幣束生成部１０へのセットが完了した旨を、操作パネル５のキーボード５ａに入力すると、単位紙幣束セット完了信号がＣＰＵ３０に出力される。ここに、紙幣束処理機の非作動前においては、内部シャッタ１１は開放されており、したがって、オペレータは、手動で、外部シャッタ２を開き、所望のように、紙幣束を作成すべき単位紙幣束を紙幣束生成部１０にセットすることができる。
【０１２０】
一方、操作パネル５のディスプレイ５ｂに、単位紙幣束を１束ずつ、紙幣束生成部１０にセットすべき旨のメッセージを表示したにもかかわらず、所定時間内を経過しても、単位紙幣束が紙幣束生成部１０にセットされず、単位紙幣束セット完了信号が入力されないときは、ＣＰＵ３０によって、図１ないし図３に示された実施態様と同様の処理が実行される。
【０１２１】
これに対して、オペレータによって、１束の単位紙幣束が紙幣束生成部１０にセットされ、１束の単位紙幣束の紙幣束生成部１０へのセットが完了した旨が、操作パネル５のキーボード５ａに入力された結果、単位紙幣束セット完了信号を入力されると、ＣＰＵ３０は、シャッタソレノイド４０に駆動信号を出力して、内部シャッタ１１を閉じさせ、次いで、ＲＡＭ３２の第一のメモリ領域にアクセスして、紙幣束を生成すべき紙幣の金種、単位紙幣束に含まれるべき紙幣の枚数Ｍおよび生成すべき紙幣束に含まれるべき単位紙幣束の数Ｎを特定する紙幣束に関するデータならびに金融機関名、支店名およびオペレータの名前を特定する帯封処理に関するデータをＲＡＭ３２の第一のメモリ領域から読み出す。
【０１２２】
同時に、ＣＰＵ３０は、第一のＲＦＩＤリーダー２１および第二のＲＦＩＤリーダー２２に駆動信号を出力して、所定の周波数、たとえば、マイクロ波帯の電波を発信させる。
【０１２３】
その結果、第一のＲＦＩＤリーダー２１から発信された電波が、紙幣束生成部１０にセットされた単位紙幣束を構成する各紙幣に一体的に形成されたインレットのアンテナによって受信されて、各紙幣に一体的に形成されたインレット内のＩＣチップに書き込まれた紙幣のＩＤデータ、紙幣の金種データなどのＲＦＩＤデータが、第一のＲＦＩＤリーダー２１によって読み取られ、第二のＲＦＩＤリーダー２２から発信された電波が、紙幣束生成部１０にセットされた単位紙幣束に巻回されている結束テープに一体的に形成されたインレットのアンテナによって受信され、結束テープに一体的に形成されたインレット内のＩＣチップに書き込まれた単位紙幣束に含まれている各紙幣のＩＤデータ、金種データなどの紙幣に関するＲＦＩＤデータおよび各単位紙幣束に含まれる紙幣の金種、枚数、各単位紙幣束に帯封処理を施した金融機関名、支店名、オペレータ名、紙幣束処理機のＩＤデータ、日時などの単位紙幣束に関するＲＦＩＤデータが、第二のＲＦＩＤリーダー２２によって読み取られる。
【０１２４】
本実施態様においては、紙幣束生成部１０の壁部は、第一のＲＦＩＤリーダー２１および第二のＲＦＩＤリーダー２２から発信される周波数の電波を遮蔽可能な材料によって形成され、内部シャッタ１１が、金属によって形成されているため、第一のＲＦＩＤリーダー２１および第二のＲＦＩＤリーダー２２から発信された電波が、紙幣束生成部１０外に漏れ出ることが効果的に防止され、したがって、第一のＲＦＩＤリーダー２１から発信された電波が、紙幣束処理機外の紙幣に形成されたインレット内のアンテナによって受信されて、紙幣束処理機外の紙幣に形成されたインレット内のＩＣチップに書き込まれたＲＦＩＤデータが、第一のＲＦＩＤリーダー２１によって読み取られることを確実に防止することができ、同時に、第二のＲＦＩＤリーダー２２から発信された電波が、紙幣束処理機外の単位紙幣束の結束テープに形成されたインレット内のアンテナによって受信されて、紙幣束処理機外の単位紙幣束の結束テープに形成されたインレット内のＩＣチップに書き込まれたＲＦＩＤデータが、第二のＲＦＩＤリーダー２２によって読み取られることを確実に防止することができる。
【０１２５】
こうして、読み取られたＲＦＩＤデータは、第一のＲＦＩＤリーダー２１および第二のＲＦＩＤリーダー２２からＣＰＵ３０に出力されて、ＲＡＭ３２の第三のメモリ領域内に書き込まれる。
【０１２６】
次いで、ＣＰＵ３０は、オペレータによって入力され、ＲＡＭ３２の第一のメモリ領域内に書き込まれている生成すべき紙幣束に関するデータと、第二のＲＦＩＤリーダー２２によって読み取られ、ＲＡＭ３２の第三のメモリ領域内に書き込まれた単位紙幣束に関するＲＦＩＤデータとに基づいて、単位紙幣束に巻回されている結束テープのインレット中に書き込まれた単位紙幣束に含まれる紙幣の金種が、オペレータによって指定された紙幣束を生成すべき紙幣の金種と一致するか否かを判定するとともに、単位紙幣束に巻回されている結束テープのインレット中に書き込まれた単位紙幣束に含まれる紙幣の枚数が、オペレータによって入力され、ＲＡＭ３２の第一のメモリ領域内に記憶されている単位紙幣束に含まれるべき紙幣の枚数Ｍに等しいか否かを判定する。
【０１２７】
その結果、紙幣束生成部１０にセットされた単位紙幣束に含まれる紙幣の金種が、オペレータによって指定された紙幣束を生成すべき紙幣の金種と一致し、かつ、紙幣束生成部１０にセットされた単位紙幣束に含まれる紙幣の枚数が、ＲＡＭ３２の第一のメモリ領域内に記憶されている単位紙幣束に含まれるべき紙幣の枚数Ｍに等しいと判定したときは、ＣＰＵ３０は、オペレータによって入力され、ＲＡＭ３２の第一のメモリ領域内に書き込まれている生成すべき紙幣束に関するデータと、第一のＲＦＩＤリーダー２１によって読み取られ、ＲＡＭ３２の第三のメモリ領域内に書き込まれた各紙幣に一体的に形成されたインレット内のＩＣチップに書き込まれている紙幣のＩＤデータ、紙幣の金種データなどのＲＦＩＤデータとを比較して、紙幣束生成部１０にセットされた単位紙幣束に含まれるすべての紙幣の金種が、オペレータによって指定された紙幣束を生成すべき紙幣の金種と一致するか否かを判定するとともに、紙幣束生成部１０にセットされた単位紙幣束に含まれた紙幣の枚数が、オペレータによって入力され、ＲＡＭ３２の第一のメモリ領域内に記憶されている単位紙幣束に含まれるべき紙幣の枚数Ｍに等しいか否かを判定する。
【０１２８】
その結果、紙幣束生成部１０にセットされた単位紙幣束に含まれるすべての紙幣の金種が、オペレータによって指定された紙幣束を生成すべき紙幣の金種と一致し、かつ、紙幣束生成部１０にセットされた単位紙幣束に含まれた紙幣の枚数が、ＲＡＭ３２の第一のメモリ領域内に記憶されている単位紙幣束に含まれるべき紙幣の枚数Ｍに等しいと判定したときは、ＣＰＵ３０は、その単位紙幣束を受け入れて、ＲＡＭ３２の第二のメモリ領域内に書き込まれた受け入れを完了した単位紙幣束の数ｎを１つだけ増大させ、ＲＡＭ３２の第二のメモリ領域内に、受け入れた単位紙幣束に含まれるすべての紙幣の金種データおよびＩＤデータを書き込むとともに、ＲＡＭ３２の第三のメモリ領域内に書き込まれたＲＦＩＤデータを消去し、さらに、シャッタソレノイド４０に駆動停止信号を出力して、内部シャッタ１１を開放させ、操作パネル５のディスプレイ５ｂに、新たに、１束の単位紙幣束を紙幣束生成部１０にセットすべき旨のメッセージを表示する。
【０１２９】
同時に、ＣＰＵ３０は、アラーム手段５０にアラーム信号を出力して、スピーカー６からアラームを発せさせる。
【０１３０】
さらに、ＣＰＵ３０は、新たな単位紙幣束が紙幣束生成部１０にセットされるまで、ディスプレイ５ｂに、新たな単位紙幣束を紙幣束生成部１０にセットすべき旨のメッセージを表示し続け、所定時間ごとに、アラーム手段５０にアラーム信号を出力して、スピーカー６からアラームを発生させる。
操作パネル５のディスプレイ５ｂに表示された新たな単位紙幣束を紙幣束生成部１０にセットすべき旨のメッセージに対して、オペレータが、新たな単位紙幣束を紙幣束生成部１０にセットし、新たな単位紙幣束の紙幣束生成部１０へのセットが完了した旨を、操作パネル５のキーボード５ａに入力すると、単位紙幣束セット完了信号がＣＰＵ３０に出力され、ＣＰＵ３０は、シャッタソレノイド４０に駆動信号を出力して、内部シャッタ１１を閉じさせ、次いで、ＲＡＭ３２の第一のメモリ領域にアクセスして、紙幣束を生成すべき紙幣の金種、単位紙幣束に含まれるべき紙幣の枚数および生成すべき紙幣束に含まれるべき単位紙幣束の数を特定する紙幣束に関するデータならびに金融機関名、支店名、オペレータの名前を特定する帯封処理に関するデータをＲＡＭ３２から読み出す。
【０１３１】
同時に、ＣＰＵ３０は、第一のＲＦＩＤリーダー２１および第二のＲＦＩＤリーダー２２に駆動信号を出力して、所定の周波数、たとえば、マイクロ波帯の電波を発信させる。
【０１３２】
その結果、第一のＲＦＩＤリーダー２１から発信された電波が、紙幣束生成部１０にセットされた単位紙幣束を構成する各紙幣に一体的に形成されたインレットのアンテナによって受信されて、各紙幣に一体的に形成されたインレット内のＩＣチップに書き込まれた紙幣のＩＤデータ、紙幣の金種データなどのＲＦＩＤデータが、第一のＲＦＩＤリーダー２１によって読み取られ、第二のＲＦＩＤリーダー２２から発信された電波が、紙幣束生成部１０にセットされた単位紙幣束に巻回されている結束テープに一体的に形成されたインレットのアンテナによって受信され、結束テープに一体的に形成されたインレット内のＩＣチップに書き込まれた単位紙幣束に含まれている各紙幣のＩＤデータ、金種データなどの紙幣に関するＲＦＩＤデータおよび各単位紙幣束に含まれる紙幣の金種、枚数、各単位紙幣束に帯封処理を施した金融機関名、支店名、オペレータ名、紙幣束処理機のＩＤデータ、日時などの単位紙幣束に関するＲＦＩＤデータが、第二のＲＦＩＤリーダー２２によって読み取られる。
【０１３３】
ＲＦＩＤデータは、第一のＲＦＩＤリーダー２１および第二のＲＦＩＤリーダー２２からＣＰＵ３０に出力されて、ＲＡＭ３２の第三のメモリ領域内に書き込まれる。こうして、第一のＲＦＩＤリーダー２１および第二のＲＦＩＤリーダー２２によって読み取られ、ＲＡＭ３２の第三のメモリ領域内に書き込まれたＲＦＩＤデータは、すでに受け入れられた単位紙幣束と新たにセットされた単位紙幣束に含まれる紙幣のＲＦＩＤデータを含んでいる。
【０１３４】
したがって、次いで、ＣＰＵ３０は、ＲＡＭ３２の第三のメモリ領域内に書き込まれたＲＦＩＤデータを、ＲＡＭ３２の第二のメモリ領域内に書き込まれているすでに受け入れた単位紙幣束に含まれる紙幣の金種データおよびＩＤデータと比較して、新たに紙幣束生成部１０にセットされた単位紙幣束に含まれる紙幣のＲＦＩＤデータを選択し、さらに、オペレータによって入力され、ＲＡＭ３２の第一のメモリ領域内に書き込まれている生成すべき紙幣束に関するデータと、第二のＲＦＩＤリーダー２２によって読み取られ、ＲＡＭ３２の第三のメモリ領域内に書き込まれた単位紙幣束に関するＲＦＩＤデータとに基づいて、単位紙幣束に巻回されている結束テープのインレット中に書き込まれた単位紙幣束に含まれる紙幣の金種が、オペレータによって指定された紙幣束を生成すべき紙幣の金種と一致するか否かを判定するとともに、単位紙幣束に巻回されている結束テープのインレット中に書き込まれた単位紙幣束に含まれる紙幣の枚数が、オペレータによって入力され、ＲＡＭ３２の第一のメモリ領域内に記憶されている単位紙幣束に含まれるべき紙幣の枚数Ｍに等しいか否かを判定する。
【０１３５】
その結果、紙幣束生成部１０に新たにセットされた単位紙幣束に含まれる紙幣の金種が、オペレータによって指定された紙幣束を生成すべき紙幣の金種と一致し、かつ、紙幣束生成部１０にセットされた単位紙幣束に含まれる紙幣の枚数が、ＲＡＭ３２の第一のメモリ領域内に記憶されている単位紙幣束に含まれるべき紙幣の枚数Ｍに等しいと判定したときは、ＣＰＵ３０は、オペレータによって入力され、ＲＡＭ３２の第一のメモリ領域内に書き込まれている生成すべき紙幣束に関するデータと、第一のＲＦＩＤリーダー２１によって読み取られ、ＲＡＭ３２の第三のメモリ領域内に書き込まれた各紙幣に一体的に形成されたインレット内のＩＣチップに書き込まれている紙幣のＩＤデータ、紙幣の金種データなどのＲＦＩＤデータとを比較して、紙幣束生成部１０に新たにセットされた単位紙幣束に含まれるすべての紙幣の金種が、オペレータによって指定された紙幣束を生成すべき紙幣の金種と一致するか否かを判定するとともに、紙幣束生成部１０にセットされた単位紙幣束に含まれた紙幣の枚数が、オペレータによって入力され、ＲＡＭ３２の第一のメモリ領域内に記憶されている単位紙幣束に含まれるべき紙幣の枚数Ｍに等しいか否かを判定する。
【０１３６】
その結果、紙幣束生成部１０にセットされた単位紙幣束に含まれるすべての紙幣の金種が、オペレータによって指定された紙幣束を生成すべき紙幣の金種と一致し、かつ、紙幣束生成部１０にセットされた単位紙幣束に含まれた紙幣の枚数が、ＲＡＭ３２の第一のメモリ領域内に記憶されている単位紙幣束に含まれるべき紙幣の枚数Ｍに等しいと判定したときは、ＣＰＵ３０は、その単位紙幣束を受け入れて、ＲＡＭ３２の第二のメモリ領域内に書き込まれた受け入れを完了した単位紙幣束の数ｎを１つだけ増大させ、ＲＡＭ３２の第二のメモリ領域内に、受け入れた単位紙幣束に含まれるすべての紙幣の金種データおよびＩＤデータを書き込むとともに、ＲＡＭ３２の第三のメモリ領域内に書き込まれたＲＦＩＤデータを消去し、さらに、シャッタソレノイド４０に駆動停止信号を出力して、内部シャッタを開放させ、操作パネル５のディスプレイ５ｂに、新たに、１束の単位紙幣束を紙幣束生成部１０にセットすべき旨のメッセージを表示する。
【０１３７】
一方、オペレータによって入力され、ＲＡＭ３２に書き込まれている生成すべき紙幣束に関するデータと、第一のＲＦＩＤリーダー２１によって読み取られ、ＲＡＭ３２に書き込まれた各紙幣に一体的に形成されたインレット内のＩＣチップに書き込まれている紙幣のＩＤデータ、紙幣の金種データなどのＲＦＩＤデータとを比較した結果、紙幣束生成部１０にセットされた単位紙幣束に、オペレータによって指定された紙幣束を生成すべき紙幣の金種と一致しない金種の紙幣および／または偽造紙幣、外国紙幣などの受け入れ不能な紙幣が含まれていると判定したときは、ＣＰＵ３０は、ＲＡＭ３２の第三のメモリ領域内に書き込まれたＲＦＩＤデータを消去し、次いで、操作パネル５に設けられたディスプレイ５ｂに、紙幣束生成部１０にセットされた単位紙幣束に、紙幣束を生成すべき紙幣の金種と一致しない金種の紙幣および／または受け入れ不能な紙幣が含まれていた旨、一致していない紙幣の金種および枚数および／または受け入れ不能な紙幣の枚数を表示するとともに、紙幣束生成部１０にセットされた単位紙幣束を取り出し、別の単位紙幣束を紙幣束生成部１０にセットすべき旨のメッセージを表示する。
【０１３８】
一方、紙幣束生成部１０にセットされた単位紙幣束に含まれるすべての紙幣の金種が、オペレータによって指定された紙幣束を生成すべき紙幣の金種と一致しているが、単位紙幣束に含まれた紙幣の枚数が、ＲＡＭ３２に記憶されている単位紙幣束に含まれるべき紙幣の枚数Ｍと一致しないと判定したときは、ＣＰＵ３０は、ＲＡＭ３２の第三のメモリ領域内に書き込まれたＲＦＩＤデータを消去し、次いで、操作パネル５のディスプレイ５ｂに、単位紙幣束に含まれた紙幣の枚数が、ＲＡＭ３２に記憶されている単位紙幣束に含まれるべき紙幣の枚数Ｍと一致しない旨のメッセージおよび過不足の枚数を表示するとともに、紙幣束生成部１０にセットされた単位紙幣束を取り出し、別の単位紙幣束を紙幣束生成部１０にセットすべき旨のメッセージを表示する。
【０１３９】
同時に、ＣＰＵ３０は、シャッタソレノイド４０に駆動停止信号を出力して、内部シャッタ１１を開放させるとともに、アラーム手段５０にアラーム信号を出力して、スピーカー６からアラームを発せさせる。
【０１４０】
さらに、ＣＰＵ３０は、紙幣束生成部１０にセットされた単位紙幣束が取り出され、新たな単位紙幣束が紙幣束生成部１０にセットされるまで、ディスプレイ５ｂに、紙幣束生成部１０にセットされた単位紙幣束を取り出し、新たな単位紙幣束を紙幣束生成部１０にセットすべき旨のメッセージを表示し続け、所定時間ごとに、アラーム手段５０にアラーム信号を出力して、スピーカー６からアラームを発生させる。
操作パネル５のディスプレイ５ｂに表示された、紙幣束生成部１０にセットされた単位紙幣束を取り出し、別の単位紙幣束を紙幣束生成部１０にセットすべき旨のメッセージに対して、オペレータが、紙幣束生成部１０にセットされていた単位紙幣束を取り出して、別の単位紙幣束を紙幣束生成部１０にセットし、１束の単位紙幣束の紙幣束生成部１０へのセットが完了した旨を、操作パネル５のキーボード５ａに入力すると、単位紙幣束セット完了信号がＣＰＵ３０に出力され、ＣＰＵ３０は、シャッタソレノイド４０に駆動信号を出力して、内部シャッタ１１を閉じさせ、次いで、ＲＡＭ３２にアクセスして、紙幣束を生成すべき紙幣の金種、単位紙幣束に含まれるべき紙幣の枚数および生成すべき紙幣束に含まれるべき単位紙幣束の数を特定する紙幣束に関するデータならびに金融機関名、支店名、オペレータの名前を特定する帯封処理に関するデータをＲＡＭ３２の第一のメモリ領域から読み出す。
【０１４１】
同時に、ＣＰＵ３０は、第一のＲＦＩＤリーダー２１および第二のＲＦＩＤリーダー２２に駆動信号を出力して、所定の周波数、たとえば、マイクロ波帯の電波を発信させる。
【０１４２】
その結果、第一のＲＦＩＤリーダー２１から発信された電波が、紙幣束生成部１０にセットされた単位紙幣束を構成する各紙幣に一体的に形成されたインレットのアンテナによって受信されて、各紙幣に一体的に形成されたインレット内のＩＣチップに書き込まれた紙幣のＩＤデータ、紙幣の金種データなどのＲＦＩＤデータが、第一のＲＦＩＤリーダー２１によって読み取られ、第二のＲＦＩＤリーダー２２から発信された電波が、紙幣束生成部１０にセットされた単位紙幣束に巻回されている結束テープに一体的に形成されたインレットのアンテナによって受信され、結束テープに一体的に形成されたインレット内のＩＣチップに書き込まれた単位紙幣束に含まれている各紙幣のＩＤデータ、金種データなどの紙幣に関するＲＦＩＤデータおよび各単位紙幣束に含まれる紙幣の金種、枚数、各単位紙幣束に帯封処理を施した金融機関名、支店名、オペレータ名、紙幣束処理機のＩＤデータ、日時などの単位紙幣束に関するＲＦＩＤデータが、第二のＲＦＩＤリーダー２２によって読み取られる。
【０１４３】
こうして、読み取られたＲＦＩＤデータは、第一のＲＦＩＤリーダー２１および第二のＲＦＩＤリーダー２２からＣＰＵ３０に出力されて、ＲＡＭ３２の第三のメモリ領域内に書き込まれる。
【０１４４】
次いで、ＣＰＵ３０は、ＲＡＭ３２に書き込まれている生成すべき紙幣束に関するデータと、第二のＲＦＩＤリーダー２２によって読み取られ、ＲＡＭ３２の第三のメモリ領域内に書き込まれた単位紙幣束に関するＲＦＩＤデータとに基づいて、単位紙幣束に巻回されている結束テープのインレット中に書き込まれた単位紙幣束に含まれる紙幣の金種が、オペレータによって指定された紙幣束を生成すべき紙幣の金種と一致するか否かを判定するとともに、単位紙幣束に巻回されている結束テープのインレット中に書き込まれた単位紙幣束に含まれる紙幣の枚数が、オペレータによって入力され、ＲＡＭ３２の第一のメモリ領域内に記憶されている単位紙幣束に含まれるべき紙幣の枚数Ｍに等しいか否かを判定する。
【０１４５】
その結果、紙幣束生成部１０にセットされた単位紙幣束に含まれる紙幣の金種が、オペレータによって指定された紙幣束を生成すべき紙幣の金種と一致し、かつ、紙幣束生成部１０にセットされた単位紙幣束に含まれる紙幣の枚数が、ＲＡＭ３２の第一のメモリ領域内に記憶されている単位紙幣束に含まれるべき紙幣の枚数Ｍに等しいと判定したときは、ＣＰＵ３０は、オペレータによって入力され、ＲＡＭ３２の第一のメモリ領域内に書き込まれている生成すべき紙幣束に関するデータと、第一のＲＦＩＤリーダー２１によって読み取られ、ＲＡＭ３２の第三のメモリ領域内に書き込まれた各紙幣に一体的に形成されたインレット内のＩＣチップに書き込まれている紙幣のＩＤデータ、紙幣の金種データなどのＲＦＩＤデータとを比較して、紙幣束生成部１０にセットされた単位紙幣束に含まれるすべての紙幣の金種が、オペレータによって指定された紙幣束を生成すべき紙幣の金種と一致するか否かを判定するとともに、紙幣束生成部１０にセットされた単位紙幣束に含まれた紙幣の枚数が、オペレータによって入力され、ＲＡＭ３２の第一のメモリ領域内に記憶されている単位紙幣束に含まれるべき紙幣の枚数Ｍに等しいか否かを判定する。
【０１４６】
その結果、紙幣束生成部１０にセットされた単位紙幣束に含まれるすべての紙幣の金種が、オペレータによって指定された紙幣束を生成すべき紙幣の金種と一致し、かつ、紙幣束生成部１０にセットされた単位紙幣束に含まれた紙幣の枚数が、ＲＡＭ３２の第一のメモリ領域内に記憶されている単位紙幣束に含まれるべき紙幣の枚数Ｍに等しいと判定したときは、ＣＰＵ３０は、その単位紙幣束を受け入れて、ＲＡＭ３２の第二のメモリ領域内に書き込まれた受け入れを完了した単位紙幣束の数ｎを１つだけ増大させ、ＲＡＭ３２の第二のメモリ領域内に、受け入れた単位紙幣束に含まれるすべての紙幣の金種データおよびＩＤデータを書き込むとともに、ＲＡＭ３２の第三のメモリ領域内に書き込まれたＲＦＩＤデータを消去し、さらに、シャッタソレノイド４０に駆動停止信号を出力して、内部シャッタ１１を開放させ、操作パネル５のディスプレイ５ｂに、新たに、１束の単位紙幣束を紙幣束生成部１０にセットすべき旨のメッセージを表示する。
【０１４７】
これに対して、オペレータによって入力され、ＲＡＭ３２の第一のメモリ領域内に書き込まれている生成すべき紙幣束に関するデータと、第一のＲＦＩＤリーダー２１によって読み取られ、ＲＡＭ３２の第三のメモリ領域内に書き込まれた各紙幣に一体的に形成されたインレット内のＩＣチップに書き込まれている紙幣のＩＤデータ、紙幣の金種データなどのＲＦＩＤデータとを比較した結果、紙幣束生成部１０にセットされた単位紙幣束に、オペレータによって指定された紙幣束を生成すべき紙幣の金種と一致しない金種の紙幣および／または偽造紙幣、外国紙幣などの受け入れ不能な紙幣が含まれていると判定したときは、ＣＰＵ３０は、ＲＡＭ３２の第三のメモリ領域内に書き込まれたＲＦＩＤデータを消去し、次いで、操作パネル５に設けられたディスプレイ５ｂに、紙幣束生成部１０にセットされた単位紙幣束に、紙幣束を生成すべき紙幣の金種と一致しない金種の紙幣および／または受け入れ不能な紙幣が含まれていた旨、一致していない紙幣の金種および枚数および／または受け入れ不能な紙幣の枚数を表示するとともに、紙幣束生成部１０にセットされた単位紙幣束を取り出し、別の単位紙幣束を紙幣束生成部１０にセットすべき旨のメッセージを表示し、紙幣束生成部１０にセットされた単位紙幣束に含まれるすべての紙幣の金種が、オペレータによって指定された紙幣束を生成すべき紙幣の金種と一致しているが、単位紙幣束に含まれた紙幣の枚数が、ＲＡＭ３２の第一のメモリ領域内に記憶されている単位紙幣束に含まれるべき紙幣の枚数Ｍと一致しないと判定したときは、ＣＰＵ３０は、ＲＡＭ３２の第三のメモリ領域内に書き込まれたＲＦＩＤデータを消去し、次いで、操作パネル５のディスプレイ５ｂに、単位紙幣束に含まれた紙幣の枚数が、ＲＡＭ３２の第一のメモリ領域内に記憶されている単位紙幣束に含まれるべき紙幣の枚数Ｍと一致しない旨のメッセージおよび過不足の枚数を表示するとともに、紙幣束生成部１０にセットされた単位紙幣束を取り出し、別の単位紙幣束を紙幣束生成部１０にセットすべき旨のメッセージを表示する。
【０１４８】
ＣＰＵ３０は、オペレータによって入力され、ＲＡＭ３２の第一のメモリ領域内に書き込まれている生成すべき紙幣束に関するデータ、第二のＲＦＩＤリーダー２２によって読み取られ、ＲＡＭ３２の第三のメモリ領域内に書き込まれた単位紙幣束に関するＲＦＩＤデータおよび第一のＲＦＩＤリーダー２１によって読み取られ、ＲＡＭ３２の第三のメモリ領域内に書き込まれた各紙幣に一体的に形成されたインレット内のＩＣチップに書き込まれている紙幣のＩＤデータ、紙幣の金種データなどのＲＦＩＤデータに基づいて、紙幣束生成部１０にセットされた単位紙幣束に含まれるすべての紙幣の金種が、オペレータによって指定された紙幣束を生成すべき紙幣の金種と一致し、かつ、紙幣束生成部１０にセットされた単位紙幣束に含まれた紙幣の枚数が、ＲＡＭ３２の第一のメモリ領域内に記憶されている単位紙幣束に含まれるべき紙幣の枚数Ｍに等しいと判定するまで、同様の処理を繰り返し、紙幣束生成部１０にセットされた単位紙幣束に含まれた紙幣の枚数が、ＲＡＭ３２の第一のメモリ領域内に記憶されている単位紙幣束に含まれるべき紙幣の枚数Ｍに等しいと判定すると、その単位紙幣束を受け入れて、ＲＡＭ３２に書き込まれた受け入れを完了した単位紙幣束の数ｎを１つだけ増大させ、ＲＡＭ３２の第二のメモリ領域内に、受け入れた単位紙幣束に含まれるすべての紙幣の金種データおよびＩＤデータを書き込むとともに、ＲＡＭ３２の第三のメモリ領域内に書き込まれたＲＦＩＤデータを消去し、さらに、シャッタソレノイド４０に駆動停止信号を出力して、内部シャッタ１１を開放させ、操作パネル５のディスプレイ５ｂに、新たに、１束の単位紙幣束を紙幣束生成部１０にセットすべき旨のメッセージを表示する。
【０１４９】
こうして、紙幣束生成部１０にセットされた１束の単位紙幣束が、紙幣束処理機によって受け入れられ、新たに、紙幣束生成部１０に１束の単位紙幣束がセットされると、ＣＰＵ３０は、単位紙幣束が、最初に紙幣束生成部１０にセットされたときと同様の処理を実行する。
【０１５０】
一方、オペレータによって入力され、ＲＡＭ３２に書き込まれている生成すべき紙幣束に関するデータと、紙幣束生成部１０に最初にセットされた単位紙幣束に巻回されている結束テープに一体的に形成されたインレット内に書き込まれ、第二のＲＦＩＤリーダー２２によって読み取られた単位紙幣束に関するＲＦＩＤデータとを比較した結果、紙幣束生成部１０にセットされた単位紙幣束に含まれる紙幣の金種が、オペレータによって指定された紙幣束を生成すべき紙幣の金種と一致していないと判定したとき、および／または、紙幣束生成部１０にセットされた単位紙幣束に含まれる紙幣の枚数が、ＲＡＭ３２の第一のメモリ領域内に記憶されている単位紙幣束に含まれるべき紙幣の枚数Ｍと一致していないと判定したときは、ＣＰＵ３０は、ＲＡＭ３２の第三のメモリ領域内に書き込まれたＲＦＩＤデータを消去し、次いで、操作パネル５のディスプレイ５ｂに、その旨を表示するとともに、紙幣束生成部１０にセットされた単位紙幣束を取り出し、別の単位紙幣束を紙幣束生成部１０にセットすべき旨のメッセージを表示する。
【０１５１】
同時に、ＣＰＵ３０は、シャッタソレノイド４０に駆動停止信号を出力して、内部シャッタ１１を開放させるとともに、アラーム手段５０にアラーム信号を出力して、スピーカー６からアラームを発せさせる。
【０１５２】
操作パネル５のディスプレイ５ｂに表示されたメッセージに対し、オペレータが、紙幣束生成部１０にセットされた単位紙幣束を取り出し、別の単位紙幣束を紙幣束生成部１０にセットすると、ＣＰＵ３０は、単位紙幣束が、最初に紙幣束生成部１０にセットされたときと同様の処理を実行する。
【０１５３】
以上の処理を繰り返した結果、ＲＡＭ３２の第二のメモリ領域内に格納されている受け入れを完了した単位紙幣束の数ｎが、オペレータによって入力され、ＲＡＭ３２の第一のメモリ領域内に格納された生成すべき紙幣束に含まれるべき単位紙幣束の数Ｎに等しくなったと判定すると、ＣＰＵ３０は、モータ４１に駆動信号を出力して、一対の挟持部材１５ａ、１５ｂを互いに近接するように移動させ、紙幣束生成部１０内にセットされたＮ束の単位紙幣束を挟持させる。
さらに、ＣＰＵ３０は、モータ４２に駆動信号を出力して、結束テープ供給部材１６を駆動し、ＩＣチップとアンテナを含むインレット（図示せず）が、所定の間隔で、一体的に形成された結束テープＴを紙幣束生成部１０に供給させる。
【０１５４】
次いで、ＣＰＵ３０は、ＲＡＭ３２の第三のメモリ領域内に書き込まれた各単位紙幣束に含まれた紙幣のＩＤデータ、紙幣の金種データなどの紙幣束を構成する紙幣に関するＲＦＩＤデータを読み出し、ＲＡＭ３２の第三のメモリ領域からオペレータによって入力された帯封処理に関するデータを読み出すとともに、ＲＯＭ３１から、紙幣束処理機のＩＤデータを読み出し、さらに、時計３３から計時データを読み出して、駆動信号とともに、ＲＦＩＤライター駆動手段４４に出力する。
【０１５５】
その結果、ＲＦＩＤライター２５が駆動され、結束テープＴに一体的に形成されているインレット内のＩＣチップ（図示せず）に、各単位紙幣束を構成する紙幣の金種データ、ＩＤデータ、紙幣束に含まれる単位紙幣束の数Ｎなどの紙幣束を構成する紙幣に関するＲＦＩＤデータならびに紙幣束を構成する紙幣の金種、枚数、金融機関名、支店名、紙幣束処理機のＩＤデータ、オペレータの名前および帯封処理を実行した日時などの帯封処理に関するＲＦＩＤデータが書き込まれる。
【０１５６】
ここに、紙幣束生成部１０の壁部は、ＲＦＩＤリーダー２０から発信される周波数の電波を遮蔽可能で、かつ、ＲＦＩＤライター２５から発信される周波数の電波を遮蔽可能な材料によって形成され、内部シャッタ１１が、金属によって形成されているから、ＲＦＩＤライター２５から発信された電波が、紙幣束生成部１０外に漏れ出て、紙幣束処理機外に存在する紙幣や結束テープＴに形成されたインレット内のＩＣチップに、ＲＦＩＤデータが書き込まれることが確実に防止され、一方、紙幣束生成部１０の開口部１０ａが十分に狭幅に形成されているから、ＲＦＩＤライター２５から発信された電波が、紙幣束生成部１０の開口部１０ａを介して、紙幣束生成部１０外に漏れ出て、紙幣束生成部１０外に位置する結束テープＴに形成されたインレット内のＩＣチップに、ＲＦＩＤデータが書き込まれることが効果的に防止される。
インレット内のＩＣチップに、紙幣束を構成する紙幣に関するＲＦＩＤデータおよび帯封処理に関するＲＦＩＤデータが書き込まれた結束テープＴは、紙幣束生成部１０内にセットされたＮ束の単位紙幣束に向けて送られ、結束テープＴがＮ束の単位紙幣束に送られると、ＣＰＵ３０は、巻き付けモータ４６に駆動信号を出力して、巻き付け部材４５を駆動し、一対の挟持部材１５ａ、１５ｂによって挟持されたＮ束の単位紙幣束の略中央部に、結束テープＴを巻回させる。
【０１５７】
所定の長さの結束テープＴが、Ｎ束の単位紙幣束に巻回されたと判定されると、ＣＰＵ３０は、モータ４２に駆動停止信号を出力して、結束テープ供給部材１６の駆動を停止させるとともに、カッタソレノイド４３に駆動信号を出力し、カッタ１７を駆動して、結束テープＴを切断させ、さらに、接着モータ４８に駆動信号を出力して、接着手段４７を駆動し、カッタ１７によって切断された結束テープＴの両端部を接着させる。
【０１５８】
こうして、一対の挟持部材１５ａ、１５ｂによって挟持されたＮ束の単位紙幣束に、結束テープＴが巻回されて、紙幣束が生成されると、ＣＰＵ３０は、モータ４１に逆駆動信号を出力して、一対の挟持部材１５ａ、１５ｂを互いに離間させ、一対の挟持部材１５ａ、１５ｂによって挟持されていた紙幣束を解放させる。
【０１５９】
次いで、ＣＰＵ３０は、操作パネル５に設けられたディスプレイ５ｂに、紙幣束の生成が完了した旨のメッセージと、生成された紙幣束に含まれる紙幣の金種および枚数を表示するとともに、シャッタソレノイド４０に駆動停止信号を出力して、内部シャッタ１１を開放させる。
【０１６０】
したがって、オペレータは、外部シャッタ２を開いて、紙幣束生成部１０内で生成された紙幣束を、紙幣束処理機から取り出すことができる。
【０１６１】
こうして、第一の紙幣束生成モードが選択された場合における１束の紙幣束の生成が完了すると、ＣＰＵ３０は、ＲＡＭ３２に格納されたすべてのデータをクリアする。
【０１６２】
したがって、オペレータが、必要があれば、別の紙幣束の生成処理を開始することができる。
【０１６３】
以上のようにして、第一の紙幣束生成モードが選択された場合における紙幣束の生成処理が完了する。
【０１６４】
一方、操作パネル５のディスプレイ５ｂに表示された第一の紙幣束生成モードおよび第二の紙幣束生成モードの一方を選択すべき旨のメッセージに対して、オペレータが、操作パネル５のキーボード５ａを操作して、第二の紙幣束生成モードを選択すべき旨を入力したときは、第二の紙幣束生成モード選択信号がＣＰＵ３０に出力される。
【０１６５】
第二の紙幣束生成モード選択信号を受けると、ＣＰＵ３０は、紙幣束を生成すべき紙幣の金種、単位紙幣束に含まれるべき紙幣の枚数Ｍおよび生成すべき紙幣束に含まれるべき単位紙幣束の数Ｎを特定する紙幣束に関するデータならびに金融機関名、支店名およびオペレータの名前を特定する帯封処理に関するデータを入力すべき旨のメッセージを、操作パネル５のディスプレイ５ｂに表示する。
紙幣束に関するデータおよび帯封処理に関するデータを入力すべき旨のメッセージを操作パネル５のディスプレイ５ｂに表示したにもかかわらず、所定時間内に、紙幣束に関するデータおよび帯封処理に関するデータが入力されないときは、ＣＰＵ３０によって、図１ないし図３に示された実施態様と同様の処理が実行される。
【０１６６】
これに対して、ディスプレイ５ｂに表示されたメッセージに対して、オペレータが、操作パネル５のキーボード５ａを操作して、紙幣束を生成すべき紙幣の金種、単位紙幣束に含まれるべき紙幣の枚数Ｍおよび生成すべき紙幣束に含まれるべき単位紙幣束の数Ｎを特定する紙幣束に関するデータならびに金融機関名、支店名およびオペレータの名前を特定する帯封処理に関するデータを入力すると、入力された紙幣束に関するデータおよび帯封処理に関するデータは、ＣＰＵ３０に出力される。
ＣＰＵ３０は、紙幣束に関するデータおよび帯封処理に関するデータを受けると、紙幣束に関するデータに基づき、生成すべき紙幣束に含まれる紙幣の枚数（Ｍ×Ｎ）を算出して、紙幣束に関するデータおよび帯封処理に関するデータとともに、ＲＡＭ３２の第一のメモリ領域内に保存し、受け入れが完了した単位紙幣束の数ｎがゼロである旨をＲＡＭ３２の第二のメモリ領域内に書き込むとともに、紙幣束に含まれるべき複数の単位紙幣束を、紙幣束生成部１０にセットし、紙幣束生成部１０にセットした単位紙幣束の数を特定すべき旨のメッセージを、操作パネル５のディスプレイ５ｂに表示する。
操作パネル５のディスプレイ５ｂに表示されたメッセージに対して、オペレータが、外部シャッタ２を開いて、紙幣束に含まれるべき複数の単位紙幣束、たとえば、Ｋ１束の単位紙幣束を紙幣束生成部１０にセットし、複数の単位紙幣束の紙幣束生成部１０へのセットが完了した旨および紙幣束生成部１０にセットした単位紙幣束の数Ｋ１を、操作パネル５のキーボード５ａに入力すると、紙幣束セット完了信号および単位紙幣束数特定信号がＣＰＵ３０に出力される。ここに、Ｋ１はＮよりも小さい正の整数である。
【０１６７】
一方、操作パネル５のディスプレイ５ｂに、紙幣束に含まれるべき複数の単位紙幣束を、紙幣束生成部１０にセットすべき旨のメッセージを表示したにもかかわらず、所定時間内を経過しても、紙幣束セット完了信号および単位紙幣束数特定信号が入力されないときは、ＣＰＵ３０は、紙幣束セット完了信号および単位紙幣束数特定信号が入力されるまで、図１ないし図３に示された実施態様において、複数の単位紙幣束が紙幣束生成部１０にセットされず、紙幣束セット完了信号が入力されないときと同様の処理を実行する。
【０１６８】
これに対して、オペレータによって、複数の単位紙幣束が紙幣束生成部１０にセットされ、複数の単位紙幣束の紙幣束生成部１０へのセットが完了した旨および紙幣束生成部１０にセットした単位紙幣束の数Ｋ１が、操作パネル５のキーボード５ａに入力された結果、紙幣束セット完了信号および単位紙幣束数特定信号を入力されると、ＣＰＵ３０は、単位紙幣束数特定信号によって特定された単位紙幣束の数Ｋ１をＲＡＭ５２の第三のメモリ領域内に保存し、さらに、シャッタソレノイド４０に駆動信号を出力して、内部シャッタ１１を閉じさせ、次いで、ＲＡＭ３２の第一のメモリ領域にアクセスして、紙幣束を生成すべき紙幣の金種、単位紙幣束に含まれるべき紙幣の枚数Ｍおよび生成すべき紙幣束に含まれるべき単位紙幣束の数Ｎを特定する紙幣束に関するデータならびに金融機関名、支店名およびオペレータの名前を特定する帯封処理に関するデータをＲＡＭ３２から読み出すとともに、紙幣束生成部１０にセットされたＫ１束の単位紙幣束に含まれるべき紙幣の枚数（Ｍ×Ｋ１）を算出して、ＲＡＭ５２の第三のメモリ領域内に保存する。
【０１６９】
同時に、ＣＰＵ３０は、第一のＲＦＩＤリーダー２１および第二のＲＦＩＤリーダー２２に駆動信号を出力して、所定の周波数、たとえば、マイクロ波帯の電波を発信させる。
【０１７０】
その結果、第一のＲＦＩＤリーダー２１から発信された電波が、紙幣束生成部１０にセットされた複数の単位紙幣束を構成する各紙幣に一体的に形成されたインレットのアンテナによって受信されて、各紙幣に一体的に形成されたインレット内のＩＣチップに書き込まれた紙幣のＩＤデータ、紙幣の金種データなどのＲＦＩＤデータが、第一のＲＦＩＤリーダー２１によって読み取られ、第二のＲＦＩＤリーダー２２から発信された電波が、紙幣束生成部１０にセットされた複数の単位紙幣束に巻回されている結束テープに一体的に形成されたインレットのアンテナによって受信され、結束テープに一体的に形成されたインレット内のＩＣチップに書き込まれた各単位紙幣束に含まれている各紙幣のＩＤデータ、金種データなどの紙幣に関するＲＦＩＤデータおよび各単位紙幣束に含まれる紙幣の金種、枚数、各単位紙幣束に帯封処理を施した金融機関名、支店名、オペレータ名、紙幣束処理機のＩＤデータ、日時などの各単位紙幣束に関するＲＦＩＤデータが、第二のＲＦＩＤリーダー２２によって読み取られる。
【０１７１】
こうして、読み取られたＲＦＩＤデータは、第一のＲＦＩＤリーダー２１および第二のＲＦＩＤリーダー２２からＣＰＵ３０に出力されて、ＲＡＭ３２の第三のメモリ領域内に書き込まれる。
【０１７２】
次いで、ＣＰＵ３０は、オペレータによって入力され、ＲＡＭ３２の第一のメモリ領域内に書き込まれている生成すべき紙幣束に関するデータと、第二のＲＦＩＤリーダー２２によって読み取られ、ＲＡＭ３２の第三のメモリ領域内に書き込まれた各単位紙幣束に関するＲＦＩＤデータとを比較して、紙幣束生成部１０にセットされた複数の単位紙幣束に含まれる紙幣の金種がすべて、生成すべき紙幣束に含まれるべき紙幣の金種と一致するか否かと判定するとともに、第二のＲＦＩＤリーダー２２によって読み取られ、ＲＡＭ３２の第三のメモリ領域内に書き込まれた各単位紙幣束に関するＲＦＩＤデータに基づいて、紙幣束生成部１０にセットされた単位紙幣束の数ｋ１および紙幣束生成部１０にセットされた複数の単位紙幣束に含まれている紙幣の枚数を特定して、ｋ１束の単位紙幣束に含まれているべき紙幣の枚数（Ｍ×ｋ１）を算出し、あらかじめ算出した紙幣束生成部１０にセットされたＫ１束の単位紙幣束に含まれるべき紙幣の枚数（Ｍ×Ｋ１）と一致するか否かを判定する。
【０１７３】
その結果、紙幣束生成部１０にセットされた複数の単位紙幣束に、生成すべき紙幣束に含まれるべき紙幣の金種と一致しない金種の紙幣が含まれていると判定した場合、および／または、各単位紙幣束に関するＲＦＩＤデータに基づいて特定した紙幣束生成部１０にセットされたｋ１束の単位紙幣束に含まれている紙幣の枚数（Ｍ×ｋ１）が紙幣束生成部１０にセットされたＫ１束の単位紙幣束に含まれるべき紙幣の枚数（Ｍ×Ｋ１）と一致しないと判定した場合には、紙幣束生成部１０にセットされた複数の単位紙幣束の中に、生成すべき紙幣束に含まれるべきでない紙幣が含まれており、および／または、紙幣束生成部１０にセットされた複数の単位紙幣束の中に、権限がある機関によって作成されていない単位紙幣束が含まれ、あるいは、Ｍ枚の紙幣を含んでいない単位紙幣束が含まれていると認められるから、ＣＰＵ３０は、ＲＡＭ３２の第三のメモリ領域内に書き込まれたＲＦＩＤデータを消去し、さらに、操作パネル５に設けられたディスプレイ５ｂに、紙幣束生成部１０にセットされた複数の単位紙幣束の中に、生成される紙幣束に含まれるべきでない単位紙幣束が含まれている旨のメッセージと、紙幣束生成部１０にセットされた複数の単位紙幣束を取り出し、別の複数の単位紙幣束を紙幣束生成部１０にセットすべき旨のメッセージを表示する。
【０１７４】
一方、各単位紙幣束に関するＲＦＩＤデータに基づき、紙幣束生成部１０にセットされた複数の単位紙幣束に含まれる紙幣の金種がすべて、生成すべき紙幣束に含まれるべき紙幣の金種と一致し、かつ、各単位紙幣束に関するＲＦＩＤデータに基づいて特定した紙幣束生成部１０にセットされたｋ１束の単位紙幣束に含まれている紙幣の枚数（Ｍ×ｋ１）が紙幣束生成部１０にセットされたＫ束の単位紙幣束に含まれるべき紙幣の枚数（Ｍ×Ｋ１）と一致すると判定したときは、ＣＰＵ３０は、さらに、オペレータによって入力され、ＲＡＭ３２の第一のメモリ領域内に書き込まれている生成すべき紙幣束に関するデータと、第一のＲＦＩＤリーダー２１によって読み取られ、ＲＡＭ３２の第三のメモリ領域内に書き込まれた各紙幣に一体的に形成されたインレット内のＩＣチップに書き込まれている紙幣のＩＤデータ、紙幣の金種データなどのＲＦＩＤデータとを比較して、紙幣束生成部１０にセットされた複数の単位紙幣束に含まれるすべての紙幣の金種が、オペレータによって指定された紙幣束を生成すべき紙幣の金種と一致するか否かを判定するとともに、紙幣束生成部１０にセットされた複数の単位紙幣束に含まれた紙幣の枚数が、オペレータによって入力された単位紙幣束の数Ｋ１に基づいて算出した（Ｍ×Ｋ１）と一致するか否かを判定する。
【０１７５】
その結果、紙幣束生成部１０にセットされた複数の単位紙幣束に含まれるすべての紙幣の金種が、オペレータによって指定された紙幣束を生成すべき紙幣の金種と一致し、かつ、紙幣束生成部１０にセットされた複数の単位紙幣束に含まれた紙幣の枚数が（Ｍ×Ｋ１）と一致すると判定したときは、ＣＰＵ３０は、紙幣束生成部１０にセットされた複数の単位紙幣束を受け入れて、ＲＡＭ３２に書き込まれた受け入れを完了した単位紙幣束の数ｎをＫ１だけ増大させ、ＲＡＭ３２の第二のメモリ領域内に、受け入れた複数の単位紙幣束それぞれの単位紙幣束に関するＲＦＩＤデータならびに受け入れた複数の単位紙幣束に含まれるすべての紙幣の金種データおよびＩＤデータと特定するＲＦＩＤデータを書き込むとともに、ＲＡＭ３２の第三のメモリ領域内に書き込まれたＲＦＩＤデータを消去し、さらに、シャッタソレノイド４０に駆動停止信号を出力して、内部シャッタ１１を開放させ、操作パネル５のディスプレイ５ｂに、新たに、複数の単位紙幣束を紙幣束生成部１０にセットすべき旨のメッセージを表示する。
【０１７６】
同時に、ＣＰＵ３０は、アラーム手段５０にアラーム信号を出力して、スピーカー６からアラームを発せさせる。
【０１７７】
さらに、ＣＰＵ３０は、新たな単位紙幣束が紙幣束生成部１０にセットされるまで、ディスプレイ５ｂに、新たな単位紙幣束を紙幣束生成部１０にセットすべき旨のメッセージを表示し続け、所定時間ごとに、アラーム手段５０にアラーム信号を出力して、スピーカー６からアラームを発生させる。
操作パネル５のディスプレイ５ｂに表示された新たに複数の単位紙幣束を紙幣束生成部１０にセットすべき旨のメッセージに対して、オペレータが、たとえば、Ｋ２束の単位紙幣束を、新たに紙幣束生成部１０にセットし、複数の単位紙幣束の紙幣束生成部１０へのセットが完了した旨および紙幣束生成部１０にセットした単位紙幣束の数Ｋ２を、操作パネル５のキーボード５ａに入力すると、単位紙幣束セット完了信号および単位紙幣束数特定信号がＣＰＵ３０に出力され、ＣＰＵ３０は、シャッタソレノイド４０に駆動信号を出力して、内部シャッタ１１を閉じさせ、次いで、ＲＡＭ３２の第一のメモリ領域にアクセスして、紙幣束を生成すべき紙幣の金種、単位紙幣束に含まれるべき紙幣の枚数Ｍおよび生成すべき紙幣束に含まれるべき単位紙幣束の数Ｎを特定する紙幣束に関するデータならびに金融機関名、支店名およびオペレータの名前を特定する帯封処理に関するデータをＲＡＭ３２から読み出すとともに、紙幣束生成部１０にセットされたＫ１束の単位紙幣束に含まれるべき紙幣の枚数（Ｍ×Ｋ２）を算出して、ＲＡＭ５２の第三のメモリ領域内に保存する。
【０１７８】
同時に、ＣＰＵ３０は、第一のＲＦＩＤリーダー２１および第二のＲＦＩＤリーダー２２に駆動信号を出力して、所定の周波数、たとえば、マイクロ波帯の電波を発信させる。
【０１７９】
その結果、第一のＲＦＩＤリーダー２１から発信された電波が、紙幣束生成部１０にセットされた複数の単位紙幣束を構成する各紙幣に一体的に形成されたインレットのアンテナによって受信されて、各紙幣に一体的に形成されたインレット内のＩＣチップに書き込まれた紙幣のＩＤデータ、紙幣の金種データなどのＲＦＩＤデータが、第一のＲＦＩＤリーダー２１によって読み取られ、第二のＲＦＩＤリーダー２２から発信された電波が、紙幣束生成部１０にセットされた複数の単位紙幣束に巻回されている結束テープに一体的に形成されたインレットのアンテナによって受信され、結束テープに一体的に形成されたインレット内のＩＣチップに書き込まれた各単位紙幣束に含まれている各紙幣のＩＤデータ、金種データなどの紙幣に関するＲＦＩＤデータおよび各単位紙幣束に含まれる紙幣の金種、枚数、各単位紙幣束に帯封処理を施した金融機関名、支店名、オペレータ名、紙幣束処理機のＩＤデータ、日時などの各単位紙幣束に関するＲＦＩＤデータが、第二のＲＦＩＤリーダー２２によって読み取られる。
【０１８０】
読み取られたＲＦＩＤデータは、第一のＲＦＩＤリーダー２１および第二のＲＦＩＤリーダー２２からＣＰＵ３０に出力されて、ＲＡＭ３２の第三のメモリ領域内に書き込まれる。こうして、第一のＲＦＩＤリーダー２１および第二のＲＦＩＤリーダー２２によって読み取られ、ＲＡＭ３２の第三のメモリ領域内に書き込まれたＲＦＩＤデータは、すでに受け入れられた複数の単位紙幣束それぞれの単位紙幣束に関するＲＦＩＤデータおよび新たにセットされた複数の単位紙幣束それぞれの単位紙幣束に関するＲＦＩＤデータならびにすでに受け入れられた複数の単位紙幣束に含まれるすべての紙幣の紙幣に関するＲＦＩＤデータおよび新たにセットされた複数の単位紙幣束に含まれるすべての紙幣の紙幣に関するＲＦＩＤデータを含んでいる。
したがって、次いで、ＣＰＵ３０は、ＲＡＭ３２の第三のメモリ領域内に書き込まれた複数の単位紙幣束それぞれの単位紙幣束に関するＲＦＩＤデータを、ＲＡＭ３２の第二のメモリ領域内に書き込まれているすでに受け入れた複数の単位紙幣束それぞれの単位紙幣束に関するＲＦＩＤデータと比較して、新たに紙幣束生成部１０にセットされた複数の単位紙幣束それぞれの単位紙幣束に関するＲＦＩＤデータを選択し、さらに、オペレータによって入力され、ＲＡＭ３２の第一のメモリ領域内に書き込まれている生成すべき紙幣束に関するデータと、新たに紙幣束生成部１０にセットされた複数の単位紙幣束それぞれの単位紙幣束に関するＲＦＩＤデータとを比較して、紙幣束生成部１０にセットされた複数の単位紙幣束に含まれる紙幣の金種がすべて、生成すべき紙幣束に含まれるべき紙幣の金種と一致するか否かと判定するとともに、新たに紙幣束生成部１０にセットされた複数の単位紙幣束それぞれの単位紙幣束に関するＲＦＩＤデータに基づいて、紙幣束生成部１０にセットされた単位紙幣束の数ｋ２および紙幣束生成部１０にセットされた複数の単位紙幣束に含まれている紙幣の枚数を特定して、ｋ２束の単位紙幣束に含まれているべき紙幣の枚数（Ｍ×ｋ２）を算出し、あらかじめ算出した紙幣束生成部１０にセットされたＫ２束の単位紙幣束に含まれるべき紙幣の枚数（Ｍ×Ｋ２）と一致するか否かを判定する。
【０１８１】
その結果、紙幣束生成部１０に新たにセットされた複数の単位紙幣束に、生成すべき紙幣束に含まれるべき紙幣の金種と一致しない金種の紙幣が含まれていると判定した場合、および／または、各単位紙幣束に関するＲＦＩＤデータに基づいて特定した紙幣束生成部１０に新たにセットされたｋ２束の単位紙幣束に含まれている紙幣の枚数（Ｍ×ｋ２）が紙幣束生成部１０に新たにセットされたＫ２束の単位紙幣束に含まれるべき紙幣の枚数（Ｍ×Ｋ２）と一致しないと判定した場合には、紙幣束生成部１０に新たにセットされた複数の単位紙幣束の中に、生成すべき紙幣束に含まれるべきでない紙幣が含まれており、および／または、紙幣束生成部１０に新たにセットされた複数の単位紙幣束の中に、権限がある機関によって作成されていない単位紙幣束が含まれ、あるいは、Ｍ枚の紙幣を含んでいない単位紙幣束が含まれていると認められるから、ＣＰＵ３０は、ＲＡＭ３２の第三のメモリ領域内に書き込まれたＲＦＩＤデータを消去し、さらに、操作パネル５に設けられたディスプレイ５ｂに、紙幣束生成部１０にセットされた複数の単位紙幣束の中に、生成される紙幣束に含まれるべきでない単位紙幣束が含まれている旨のメッセージと、紙幣束生成部１０にセットされた複数の単位紙幣束を取り出し、別の複数の単位紙幣束を紙幣束生成部１０にセットすべき旨のメッセージを表示する。
【０１８２】
一方、新たに紙幣束生成部１０にセットされた複数の単位紙幣束それぞれの単位紙幣束に関するＲＦＩＤデータに基づき、紙幣束生成部１０に新たにセットされた複数の単位紙幣束に含まれる紙幣の金種がすべて、生成すべき紙幣束に含まれるべき紙幣の金種と一致し、かつ、新たに紙幣束生成部１０にセットされた複数の単位紙幣束それぞれの単位紙幣束に関するＲＦＩＤデータに基づいて特定した紙幣束生成部１０にセットされたｋ２束の単位紙幣束に含まれている紙幣の枚数（Ｍ×ｋ２）が紙幣束生成部１０に新たにセットされたＫ２束の単位紙幣束に含まれるべき紙幣の枚数（Ｍ×Ｋ２）と一致すると判定したときは、ＣＰＵ３０は、さらに、ＲＡＭ３２の第三のメモリ領域内に書き込まれた複数の単位紙幣束に含まれるすべての紙幣の紙幣に関するＲＦＩＤデータを、ＲＡＭ３２の第二のメモリ領域内に書き込まれているすでに受け入れた複数の単位紙幣束に含まれるすべての紙幣の紙幣に関するＲＦＩＤデータとを比較して、新たに紙幣束生成部１０にセットされた複数の単位紙幣束に含まれるすべての紙幣の紙幣に関するＲＦＩＤデータを選択し、オペレータによって入力され、ＲＡＭ３２の第一のメモリ領域内に書き込まれている生成すべき紙幣束に関するデータと比較して、紙幣束生成部１０に新たにセットされた複数の単位紙幣束に含まれるすべての紙幣の金種が、オペレータによって指定された紙幣束を生成すべき紙幣の金種と一致するか否かを判定するとともに、紙幣束生成部１０にセットされた複数の単位紙幣束に含まれた紙幣の枚数が、オペレータによって入力された単位紙幣束の数Ｋ１に基づいて算出した（Ｍ×Ｋ１）と一致するか否かを判定する。
【０１８３】
その結果、紙幣束生成部１０に新たにセットされた複数の単位紙幣束に含まれるすべての紙幣の金種が、オペレータによって指定された紙幣束を生成すべき紙幣の金種と一致し、かつ、紙幣束生成部１０に新たにセットされた複数の単位紙幣束に含まれた紙幣の枚数が（Ｍ×Ｋ２）と一致すると判定したときは、ＣＰＵ３０は、紙幣束生成部１０に新たにセットされた複数の単位紙幣束を受け入れて、ＲＡＭ３２に書き込まれた受け入れを完了した単位紙幣束の数ｎをＫ２だけ増大させ、ＲＡＭ３２の第二のメモリ領域内に、受け入れた複数の単位紙幣束それぞれの単位紙幣束に関するＲＦＩＤデータならびに受け入れた複数の単位紙幣束に含まれるすべての紙幣の金種データおよびＩＤデータと特定するＲＦＩＤデータを書き込むとともに、ＲＡＭ３２の第三のメモリ領域内に書き込まれたＲＦＩＤデータを消去し、さらに、シャッタソレノイド４０に駆動停止信号を出力して、内部シャッタ１１を開放させ、操作パネル５のディスプレイ５ｂに、新たに、複数の単位紙幣束を紙幣束生成部１０にセットすべき旨のメッセージを表示する。
これに対して、紙幣束生成部１０にセットされた単位紙幣束を取り出し、別の単位紙幣束を紙幣束生成部１０にセットすべき旨のメッセージを表示した場合には、ＣＰＵ３０は、同時に、シャッタソレノイド４０に駆動停止信号を出力して、内部シャッタ１１を開放させるとともに、アラーム手段５０にアラーム信号を出力して、スピーカー６からアラームを発せさせる。
【０１８４】
さらに、ＣＰＵ３０は、紙幣束生成部１０にセットされた複数の単位紙幣束が取り出され別の複数の単位紙幣束が紙幣束生成部１０にセットされるまで、ディスプレイ５ｂに、紙幣束生成部１０にセットされた複数の単位紙幣束を取り出し、別の複数の単位紙幣束を紙幣束生成部１０にセットすべき旨のメッセージを表示し続け、所定時間ごとに、アラーム手段５０にアラーム信号を出力して、スピーカー６からアラームを発せさせる。
操作パネル５のディスプレイ５ｂに表示された、紙幣束生成部１０にセットされた複数の単位紙幣束を取り出し、別の複数の単位紙幣束を紙幣束生成部１０にセットすべき旨のメッセージに対して、オペレータが、紙幣束生成部１０にセットされていた複数の単位紙幣束を取り出して、別の複数の単位紙幣束を紙幣束生成部１０にセットし、複数の単位紙幣束の紙幣束生成部１０へのセットが完了した旨および紙幣束生成部１０に新たにセットした単位紙幣束の数Ｋ３を、操作パネル５のキーボード５ａに入力すると、単位紙幣束セット完了信号および単位紙幣束数特定信号がＣＰＵ３０に出力され、ＣＰＵ３０は、シャッタソレノイド４０に駆動信号を出力して、内部シャッタ１１を閉じさせ、次いで、ＲＡＭ３２にアクセスして、紙幣束を生成すべき紙幣の金種、単位紙幣束に含まれるべき紙幣の枚数および生成すべき紙幣束に含まれるべき単位紙幣束の数を特定する紙幣束に関するデータならびに金融機関名、支店名、オペレータの名前を特定する帯封処理に関するデータをＲＡＭ３２から読み出すとともに、紙幣束生成部１０にセットされたＫ３束の単位紙幣束に含まれるべき紙幣の枚数（Ｍ×Ｋ３）を算出して、ＲＡＭ５２の第三のメモリ領域内に保存する。
【０１８５】
同時に、ＣＰＵ３０は、第一のＲＦＩＤリーダー２１および第二のＲＦＩＤリーダー２２に駆動信号を出力して、所定の周波数、たとえば、マイクロ波帯の電波を発信させる。
【０１８６】
その結果、第一のＲＦＩＤリーダー２１から発信された電波が、紙幣束生成部１０にセットされた複数の単位紙幣束を構成する各紙幣に一体的に形成されたインレットのアンテナによって受信されて、各紙幣に一体的に形成されたインレット内のＩＣチップに書き込まれた紙幣のＩＤデータ、紙幣の金種データなどのＲＦＩＤデータが、第一のＲＦＩＤリーダー２１によって読み取られ、第二のＲＦＩＤリーダー２２から発信された電波が、紙幣束生成部１０にセットされた複数の単位紙幣束に巻回されている結束テープに一体的に形成されたインレットのアンテナによって受信され、結束テープに一体的に形成されたインレット内のＩＣチップに書き込まれた各単位紙幣束に含まれている各紙幣のＩＤデータ、金種データなどの紙幣に関するＲＦＩＤデータおよび各単位紙幣束に含まれる紙幣の金種、枚数、各単位紙幣束に帯封処理を施した金融機関名、支店名、オペレータ名、紙幣束処理機のＩＤデータ、日時などの各単位紙幣束に関するＲＦＩＤデータが、第二のＲＦＩＤリーダー２２によって読み取られる。
【０１８７】
こうして、読み取られたＲＦＩＤデータは、第一のＲＦＩＤリーダー２１および第二のＲＦＩＤリーダー２２からＣＰＵ３０に出力されて、ＲＡＭ３２の第三のメモリ領域内に書き込まれる。
【０１８８】
次いで、ＣＰＵ３０は、オペレータによって入力され、ＲＡＭ３２の第一のメモリ領域内に書き込まれている生成すべき紙幣束に関するデータと、第二のＲＦＩＤリーダー２２によって読み取られ、ＲＡＭ３２の第三のメモリ領域内に書き込まれた各単位紙幣束に関するＲＦＩＤデータとを比較して、紙幣束生成部１０にセットされた複数の単位紙幣束に含まれる紙幣の金種がすべて、生成すべき紙幣束に含まれるべき紙幣の金種と一致するか否かと判定するとともに、第二のＲＦＩＤリーダー２２によって読み取られ、ＲＡＭ３２の第三のメモリ領域内に書き込まれた各単位紙幣束に関するＲＦＩＤデータに基づいて、紙幣束生成部１０にセットされた単位紙幣束の数ｋ３および紙幣束生成部１０にセットされた複数の単位紙幣束に含まれている紙幣の枚数を特定して、ｋ３束の単位紙幣束に含まれているべき紙幣の枚数（Ｍ×ｋ３）を算出し、あらかじめ算出した紙幣束生成部１０にセットされたＫ３束の単位紙幣束に含まれるべき紙幣の枚数（Ｍ×Ｋ３）と一致するか否かを判定する。
【０１８９】
その結果、紙幣束生成部１０にセットされた複数の単位紙幣束に、生成すべき紙幣束に含まれるべき紙幣の金種と一致しない金種の紙幣が含まれていると判定した場合、および／または、各単位紙幣束に関するＲＦＩＤデータに基づいて特定した紙幣束生成部１０にセットされたｋ３束の単位紙幣束に含まれている紙幣の枚数（Ｍ×ｋ３）が紙幣束生成部１０にセットされたＫ３束の単位紙幣束に含まれるべき紙幣の枚数（Ｍ×Ｋ３）と一致しないと判定した場合には、紙幣束生成部１０にセットされた複数の単位紙幣束の中に、生成すべき紙幣束に含まれるべきでない紙幣が含まれており、および／または、紙幣束生成部１０にセットされた複数の単位紙幣束の中に、権限がある機関によって作成されていない単位紙幣束が含まれ、あるいは、Ｍ枚の紙幣を含んでいない単位紙幣束が含まれていると認められるから、ＣＰＵ３０は、操作パネル５に設けられたディスプレイ５ｂに、紙幣束生成部１０にセットされた複数の単位紙幣束の中に、生成される紙幣束に含まれるべきでない単位紙幣束が含まれている旨のメッセージと、紙幣束生成部１０にセットされた複数の単位紙幣束を取り出し、別の複数の単位紙幣束を紙幣束生成部１０にセットすべき旨のメッセージを表示する。
【０１９０】
一方、各単位紙幣束に関するＲＦＩＤデータに基づき、紙幣束生成部１０にセットされた複数の単位紙幣束に含まれる紙幣の金種がすべて、生成すべき紙幣束に含まれるべき紙幣の金種と一致し、かつ、各単位紙幣束に関するＲＦＩＤデータに基づいて特定した紙幣束生成部１０にセットされたｋ３束の単位紙幣束に含まれている紙幣の枚数（Ｍ×ｋ３）が紙幣束生成部１０にセットされたＫ３束の単位紙幣束に含まれるべき紙幣の枚数（Ｍ×Ｋ３）と一致すると判定したときは、ＣＰＵ３０は、さらに、オペレータによって入力され、ＲＡＭ３２の第一のメモリ領域内に書き込まれている生成すべき紙幣束に関するデータと、第一のＲＦＩＤリーダー２１によって読み取られ、ＲＡＭ３２の第三のメモリ領域内に書き込まれた各紙幣に一体的に形成されたインレット内のＩＣチップに書き込まれている紙幣のＩＤデータ、紙幣の金種データなどのＲＦＩＤデータとを比較して、紙幣束生成部１０にセットされた複数の単位紙幣束に含まれるすべての紙幣の金種が、オペレータによって指定された紙幣束を生成すべき紙幣の金種と一致するか否かを判定するとともに、紙幣束生成部１０にセットされた複数の単位紙幣束に含まれた紙幣の枚数が、オペレータによって入力された単位紙幣束の数Ｋ３に基づいて算出した（Ｍ×Ｋ３）と一致するか否かを判定する。
【０１９１】
その結果、紙幣束生成部１０にセットされた複数の単位紙幣束に含まれるすべての紙幣の金種が、オペレータによって指定された紙幣束を生成すべき紙幣の金種と一致し、かつ、紙幣束生成部１０にセットされた複数の単位紙幣束に含まれた紙幣の枚数が（Ｍ×Ｋ３）と一致すると判定したときは、ＣＰＵ３０は、紙幣束生成部１０にセットされた複数の単位紙幣束を受け入れて、ＲＡＭ３２に書き込まれた受け入れを完了した単位紙幣束の数ｎをＫ３だけ増大させるとともに、シャッタソレノイド４０に駆動停止信号を出力して、内部シャッタ１１を開放させ、操作パネル５のディスプレイ５ｂに、新たに、複数の単位紙幣束を紙幣束生成部１０にセットすべき旨のメッセージを表示する。
【０１９２】
これに対して、オペレータによって入力され、ＲＡＭ３２の第一のメモリ領域内に書き込まれている生成すべき紙幣束に関するデータと、第一のＲＦＩＤリーダー２１によって読み取られ、ＲＡＭ３２の第三のメモリ領域内に書き込まれた各紙幣に一体的に形成されたインレット内のＩＣチップに書き込まれている紙幣のＩＤデータ、紙幣の金種データなどのＲＦＩＤデータとを比較した結果、紙幣束生成部１０にセットされた複数の単位紙幣束に、オペレータによって指定された紙幣束を生成すべき紙幣の金種と一致しない金種の紙幣および／または偽造紙幣、外国紙幣などの受け入れ不能な紙幣が含まれていると判定したときは、ＣＰＵ３０は、操作パネル５に設けられたディスプレイ５ｂに、紙幣束生成部１０にセットされた複数の単位紙幣束に、紙幣束を生成すべき紙幣の金種と一致しない金種の紙幣および／または受け入れ不能な紙幣が含まれていた旨、一致していない紙幣の金種および枚数および／または受け入れ不能な紙幣の枚数を表示するとともに、紙幣束生成部１０にセットされた複数の単位紙幣束を取り出し、別の複数の単位紙幣束を紙幣束生成部１０にセットすべき旨のメッセージを表示する。
【０１９３】
一方、紙幣束生成部１０にセットされた複数の単位紙幣束に含まれるすべての紙幣の金種が、オペレータによって指定された紙幣束を生成すべき紙幣の金種と一致しているが、複数の単位紙幣束に含まれた紙幣の枚数が、オペレータによって入力された単位紙幣束の数Ｋに基づいて算出した（Ｍ×Ｋ３）と一致しないと判定したときは、ＣＰＵ３０は、操作パネル５のディスプレイ５ｂに、紙幣束生成部１０にセットされた複数の単位紙幣束の中に、Ｍ枚の紙幣が含まれていない単位紙幣束が紙幣束生成部１０にセットされている旨のメッセージおよび過不足の枚数を表示するとともに、紙幣束生成部１０にセットされた複数の単位紙幣束を取り出し、別の複数の単位紙幣束を紙幣束生成部１０にセットすべき旨のメッセージを表示する。
【０１９４】
同時に、ＣＰＵ３０は、シャッタソレノイド４０に駆動停止信号を出力して、内部シャッタ１１を開放させるとともに、アラーム手段５０にアラーム信号を出力して、スピーカー６からアラームを発せさせる。
【０１９５】
紙幣束生成部１０にセットされた複数の単位紙幣束を取り出し、別の複数の単位紙幣束を紙幣束生成部１０にセットすべき旨のメッセージに対して、オペレータが、紙幣束生成部１０に、別の複数の単位紙幣束をセットしたときは、ＣＰＵ３０によって、上述したのと同様の処理が実行される。
【０１９６】
こうして、ＣＰＵ３０によって同様の処理が繰り返された結果、ＲＡＭ３２の第二のメモリ領域内に書き込まれた受け入れを完了した単位紙幣束の数ｎが、オペレータによって指定され、ＲＡＭ３２の第一のメモリ領域内に書き込まれた生成する紙幣束に含まれるべき単位紙幣束の数Ｎに等しくなると、ＣＰＵ３０は、モータ４１に駆動信号を出力して、一対の挟持部材１５ａ、１５ｂを互いに近接するように移動させ、紙幣束生成部１０内にセットされたＮ束の単位紙幣束を挟持させる。
さらに、ＣＰＵ３０は、モータ４２に駆動信号を出力して、結束テープ供給部材１６を駆動し、ＩＣチップとアンテナを含むインレット（図示せず）が、所定の間隔で、一体的に形成された結束テープＴを紙幣束生成部１０に供給させる。
【０１９７】
次いで、ＣＰＵ３０は、ＲＡＭ３２の第三のメモリ領域内に書き込まれたＮ束の単位紙幣束に含まれた紙幣のＩＤデータ、紙幣の金種データなどの紙幣束を構成する紙幣に関するＲＦＩＤデータならびにオペレータによって入力された帯封処理に関するデータを読み出すとともに、ＲＯＭ３１から、紙幣束処理機のＩＤデータを読み出し、さらに、時計３３から計時データを読み出して、駆動信号とともに、ＲＦＩＤライター駆動手段４４に出力する。
【０１９８】
その結果、ＲＦＩＤライター２５が駆動され、結束テープＴに一体的に形成されているインレット内のＩＣチップ（図示せず）に、紙幣束に含まれる紙幣の金種、枚数および各紙幣のＩＤデータなどの紙幣束を構成する紙幣に関するＲＦＩＤデータならびに金融機関名、支店名、紙幣束処理機のＩＤデータ、オペレータの名前および帯封処理を実行した日時などの帯封処理に関するＲＦＩＤデータが書き込まれる。
インレット内のＩＣチップに、紙幣束を構成する紙幣に関するＲＦＩＤデータおよび帯封処理に関するＲＦＩＤデータが書き込まれた結束テープＴは、紙幣束生成部１０内にセットされたＮ束の単位紙幣束に向けて送られ、結束テープＴがＮ束の単位紙幣束に送られると、ＣＰＵ３０は、巻き付けモータ４６に駆動信号を出力して、巻き付け部材４５を駆動し、一対の挟持部材１５ａ、１５ｂによって挟持されたＮ束の単位紙幣束の略中央部に、結束テープＴを巻回させる。
【０１９９】
所定の長さの結束テープＴが、Ｎ束の単位紙幣束に巻回されたと判定されると、ＣＰＵ３０は、モータ４２に駆動停止信号を出力して、結束テープ供給部材１６の駆動を停止させるとともに、カッタソレノイド４３に駆動信号を出力し、カッタ１７を駆動して、結束テープＴを切断させ、さらに、接着モータ４８に駆動信号を出力して、接着手段４７を駆動し、カッタ１７によって切断された結束テープＴの両端部を接着させる。
【０２００】
こうして、一対の挟持部材１５ａ、１５ｂによって挟持されたＮ束の単位紙幣束に、結束テープＴが巻回されて、紙幣束が生成されると、ＣＰＵ３０は、モータ４１に逆駆動信号を出力して、一対の挟持部材１５ａ、１５ｂを互いに離間させ、一対の挟持部材１５ａ、１５ｂによって挟持されていた紙幣束を解放させる。
【０２０１】
次いで、ＣＰＵ３０は、操作パネル５に設けられたディスプレイ５ｂに、紙幣束の生成が完了した旨のメッセージと、生成された紙幣束に含まれる紙幣の金種および枚数を表示するとともに、シャッタソレノイド４０に駆動停止信号を出力して、内部シャッタ１１を開放させる。
【０２０２】
したがって、オペレータは、外部シャッタ２を開いて、紙幣束生成部１０内で生成された紙幣束を、紙幣束処理機から取り出すことができる。
【０２０３】
こうして、第二の紙幣束生成モードが選択された場合における１束の紙幣束の生成が完了すると、ＣＰＵ３０は、ＲＡＭ３２に格納されたすべてのデータをクリアする。
【０２０４】
したがって、オペレータが、必要があれば、別の紙幣束の生成処理を開始することができる。
【０２０５】
以上のようにして、第二の紙幣束生成モードが選択された場合における紙幣束の生成処理が完了する。
【０２０６】
本実施態様によれば、オペレータによって、複数の単位紙幣束を紙幣束生成部１０に順次セットして、第二の所定数Ｎに等しい単位紙幣束を含む紙幣束を生成する第二の紙幣束生成モードが選択された場合に、最終的に生成すべき紙幣束に含まれる単位紙幣束の数である第二の所定数Ｎよりも少ない数の単位紙幣束を、順次、紙幣束生成部１０にセットして、第二の所定数Ｎに等しい単位紙幣束を含む紙幣束を生成するように構成されているから、紙幣束生成部１０にセットされた単位紙幣束に、生成される紙幣束に含まれるべきでない紙幣が含まれていた場合に、紙幣束生成部１０にセットした第二の所定数Ｎよりも少ない数の単位紙幣束のみを、紙幣束処理機から取り出して、回収すればよく、また、どの単位紙幣束に、生成される紙幣束に含まれるべきでない紙幣が含まれているかを、オペレータが比較的容易に判定することができるから、図１ないし図３に示された紙幣束処理機に比して、より効率的に、第二の所定数Ｎに等しい単位紙幣束を含む紙幣束を生成することが可能になる。
【０２０７】
また、本実施態様によれば、紙幣束生成部１０に、複数の単位紙幣束がセットされたときに、まず、各単位紙幣束に巻回されている結束テープに一体的に形成されたインレットト内のＩＣチップに書き込まれた単位紙幣束に関するＲＦＩＤデータを用いて、紙幣束生成部１０にセットされた複数の単位紙幣束の中に、生成される紙幣束に含まれるべきでない単位紙幣束が含まれているか否かを判定しているから、各紙幣に一体的に形成されたインレットト内のＩＣチップに書き込まれた紙幣に関するＲＦＩＤデータとオペレータによって入力され、ＲＡＭ３２に書き込まれている生成すべき紙幣束に関するデータとを対比することなく、紙幣束生成部１０にセットされている複数の単位紙幣束を取り出して、新たに、別の複数の単位紙幣束をセットすべきか否かを判定することができ、したがって、図１ないし図３に示された紙幣束処理機に比して、より効率的に、第二の所定数Ｎに等しい単位紙幣束を含む紙幣束を生成することが可能になる。
【０２０８】
本発明は、以上の実施態様に限定されることなく、特許請求の範囲に記載された発明の範囲内で種々の変更が可能であり、それらも本発明の範囲内に包含されるものであることはいうまでもない。
【０２０９】
たとえば、前記実施態様においては、紙幣束処理機は、紙幣の計数結果や種々のメッセージを表示するディスプレイ５ｂと、アラームを発するスピーカー６を備え、紙幣束生成部１０にセットされた単位紙幣束が、生成する紙幣束に含まれるべきでない単位紙幣束であると判定したときに、その旨のメッセージをディスプレイ５ｂに表示するとともに、スピーカー６からアラームを発するように構成されているが、その旨のメッセージをディスプレイ５ｂに表示し、あるいは、スピーカー６からアラームを発することによって、生成する紙幣束に含まれるべきでない単位紙幣束が検出されたことをオペレータに報知するように構成されていればよく、紙幣束処理機が、生成する紙幣束に含まれるべきでない単位紙幣束が検出されたときに、その旨のメッセージをディスプレイ５ｂに表示するとともに、スピーカー６からアラームを発するように構成されていることは必ずしも必要でない。
【０２１０】
また、前記実施態様においては、紙幣束生成部１０にセットされた単位紙幣束に含まれる紙幣の枚数がオペレータによって指定された枚数と一致しないと判定したときに、過不足の枚数をディスプレイ５ｂに表示し、紙幣束生成部１０にセットされた単位紙幣束に、オペレータによって指定された金種の紙幣とは異なる金種の紙幣が含まれていると判定したときに、その旨のメッセージをディスプレイ５ｂに表示するように構成されているが、少なくとも、生成する紙幣束に含まれるべきでない単位紙幣束が検出されたときに、その旨のメッセージをディスプレイ５ｂに表示するとともに、スピーカー６からアラームを発するように構成されていればよく、紙幣束生成部１０にセットされた単位紙幣束に含まれる紙幣の枚数がオペレータによって指定された枚数と一致しないと判定したときに、過不足の枚数をディスプレイ５ｂに表示し、紙幣束生成部１０にセットされた単位紙幣束に、オペレータによって指定された金種の紙幣とは異なる金種の紙幣が含まれていると判定したときに、その旨のメッセージをディスプレイ５ｂに表示することは必ずしも必要でない。
【０２１１】
さらに、前記実施態様においては、結束テープＴを、所定数Ｎの単位紙幣束に巻回するのに先立って、ＲＦＩＤライター２５によって、結束テープＴに一体的に形成されたインレット内のＩＣチップにＲＦＩＤデータを書き込むように構成されているが、結束テープＴを、所定数Ｎの単位紙幣束に巻回した後に、ＲＦＩＤライター２５によって、結束テープＴに一体的に形成されたインレット内のＩＣチップにＲＦＩＤデータを書き込むように構成することもできる。
【０２１２】
また、前記実施態様においては、所定数Ｎの単位紙幣束に巻回されるべき結束テープＴに一体的に形成されたインレット内のＩＣチップに、ＲＦＩＤライター２５によって、各単位紙幣束を構成する紙幣の金種データ、ＩＤデータ、紙幣束に含まれる単位紙幣束の数Ｎなどの紙幣束を構成する紙幣に関するＲＦＩＤデータならびに紙幣束を構成する紙幣の金種、枚数、金融機関名、支店名、紙幣束処理機のＩＤデータ、オペレータの名前および帯封処理を実行した日時などの帯封処理に関するＲＦＩＤデータを書き込むように構成されているが、これらのＲＦＩＤデータをすべて、結束テープＴに一体的に形成されたインレット内のＩＣチップに書き込む必要は必ずしもなく、たとえば、紙幣に関するＲＦＩＤデータを省略することもでき、また、これらのＲＦＩＤデータに加えて、他のＲＦＩＤデータを、結束テープＴに一体的に形成されたインレット内のＩＣチップに書き込むように構成することもできる。
【０２１３】
さらに、前記実施態様においては、結束テープＴには、ＩＣチップとアンテナを備えたインレットが一体的に形成されているが、ＩＣチップとアンテナを備えたインレットが結束テープＴに一体的に形成されていることは必ずしも必要でなく、結束テープＴに、ＩＣチップとアンテナを備えたインレットが一体的に形成されているラベルを貼付するようにしてもよい。
【０２１４】
さらに、前記実施態様においては、紙幣束生成部１０の壁部は、ＲＦＩＤライター２５から発信される周波数の電波を遮蔽する材料によって形成され、また、紙幣束生成部１０の開口部１０ａは狭幅に形成されているが、結束テープＴに一体的に形成されたインレット内のＩＣチップに、あらかじめ、固有のＩＤデータが書き込まれ、ＩＣチップが、書き込まれた固有のＩＤデータとともに、ＲＦＩＤライター２５から発信された電波以外は受信しないように構成されている場合には、紙幣束生成部１０の壁部がＲＦＩＤライター２５から発信される周波数の電波を遮蔽する材料によって形成され、紙幣束生成部１０の開口部１０ａが狭幅に形成されることは必ずしも必要でない。
【０２１５】
また、前記実施態様においては、紙幣束生成部１０の入口部分に、金属性の内部シャッタ１１が設けられているが、内部シャッタ１１は、ＲＦＩＤリーダー２０または第一のＲＦＩＤリーダー２１および第二のＲＦＩＤリーダー２２から発信される周波数の電波ならびにＲＦＩＤライター２５から発信される周波数の電波を遮蔽可能な材料で形成されていればよく、内部シャッタ１１を金属によって形成することは必ずしも必要でない。
【０２１６】
さらに、前記実施態様においては、紙幣束生成部１０の入口部分に、金属性の内部シャッタ１１が設けられているが、外部シャッタ２が金属などのＲＦＩＤリーダー２０または第一のＲＦＩＤリーダー２１および第二のＲＦＩＤリーダー２２から発信される周波数の電波ならびにＲＦＩＤライター２５から発信される周波数の電波を遮蔽可能な材料で形成されていれば、紙幣束生成部１０の入口部分に、内部シャッタ１１を設けることは必ずしも必要でない。
【０２１７】
また、前記実施態様においては、紙幣束生成部１０の入口部分に、金属性の内部シャッタ１１が設けられているが、金属性の内部シャッタ１１を設けなくても、ＲＦＩＤリーダー２０または第一のＲＦＩＤリーダー２１および第二のＲＦＩＤリーダー２２から発信される周波数の電波ならびにＲＦＩＤライター２５から発信される周波数の電波は、紙幣束処理機の近傍にしか到達しないから、紙幣束生成部１０の入口部分に、金属性の内部シャッタ１１を設けることは必ずしも必要でない。
【０２１８】
さらに、図１ないし図３に示された実施態様においては、紙幣束処理機は、紙幣に一体的に形成されたインレット内のＩＣチップに書き込まれたＲＦＩＤデータを読み取るＲＦＩＤリーダー２０ならびに結束テープＴに一体的に形成されたインレット内のＩＣチップに、紙幣束に含まれる紙幣に関するＲＦＩＤデータおよび帯封処理に関するＲＦＩＤデータを書き込むＲＦＩＤライター２５を備えているが、紙幣束処理機が、互いに独立したＲＦＩＤリーダー２０およびＲＦＩＤライター２５を備えていることは必ずしも必要でなく、ＲＦＩＤリーダー２０およびＲＦＩＤライター２５に代えて、紙幣に一体的に形成されたインレット内のＩＣチップに書き込まれたＲＦＩＤデータを読み取り可能で、かつ、結束テープＴに一体的に形成されたインレット内のＩＣチップに、紙幣束に含まれる紙幣に関するＲＦＩＤデータおよび帯封処理に関するＲＦＩＤデータを書き込み可能なＲＦＩＤリーダー・ライターを設けることもできる。
【０２１９】
また、図４および図５に示された実施態様においては、単位紙幣束に含まれている紙幣に一体的に形成されたインレット内のＩＣチップに書き込まれた紙幣のＩＤデータ、金種データなどのＲＦＩＤデータを読み取る第一のＲＦＩＤリーダー２１と、単位紙幣束に巻回された結束テープに一体的に形成されたインレット内のＩＣチップに書き込まれた単位紙幣束に含まれている各紙幣のＩＤデータ、金種データなどの紙幣に関するＲＦＩＤデータおよび各単位紙幣束に含まれる紙幣の金種、枚数、各単位紙幣束に帯封処理を施した金融機関名、支店名、オペレータ名、紙幣束処理機のＩＤデータ、日時などの単位紙幣束に関するＲＦＩＤデータを読み取る第二のＲＦＩＤリーダー２２とを備えているが、単一のＲＦＩＤリーダーを用いて、単位紙幣束に含まれている紙幣に一体的に形成されたインレット内のＩＣチップに書き込まれた紙幣のＩＤデータ、金種データなどのＲＦＩＤデータおよび単位紙幣束に巻回された結束テープに一体的に形成されたインレット内のＩＣチップに書き込まれた単位紙幣束に含まれている各紙幣のＩＤデータ、金種データなどの紙幣に関するＲＦＩＤデータおよび各単位紙幣束に含まれる紙幣の金種、枚数、各単位紙幣束に帯封処理を施した金融機関名、支店名、オペレータ名、紙幣束処理機のＩＤデータ、日時などの単位紙幣束に関するＲＦＩＤデータを読み取るようにしてもよい。
【０２２０】
さらに、図４および図５に示された実施態様においては、紙幣束生成部１０に、複数の単位紙幣束がセットされたときに、まず、各単位紙幣束に巻回されている結束テープに一体的に形成されたインレットト内のＩＣチップに書き込まれた単位紙幣束に関するＲＦＩＤデータを用いて、紙幣束生成部１０にセットされた複数の単位紙幣束の中に、生成される紙幣束に含まれるべきでない単位紙幣束が含まれているか否かを判定するように構成されているが、各単位紙幣束が、権限のある機関によって作成されたものであるという保証はなく、また、各単位紙幣束に巻回されている結束テープに一体的に形成されたインレットト内のＩＣチップに書き込まれた単位紙幣束に関するＲＦＩＤデータが真正なものであるという保証はないから、まず、各単位紙幣束に巻回されている結束テープに一体的に形成されたインレットト内のＩＣチップに書き込まれた単位紙幣束に関するＲＦＩＤデータを用いて、紙幣束生成部１０にセットされた複数の単位紙幣束の中に、生成される紙幣束に含まれるべきでない単位紙幣束が含まれているか否かを判定することは必ずしも必要でなく、各単位紙幣束に巻回されている結束テープに一体的に形成されたインレットト内のＩＣチップに書き込まれた単位紙幣束に関するＲＦＩＤデータを用いることなく、ただちに、複数の単位紙幣束を構成する各紙幣に一体的に形成されたインレットト内のＩＣチップに書き込まれた紙幣に関するＲＦＩＤデータに基づいて、紙幣束生成部１０にセットされた複数の単位紙幣束の中に、生成される紙幣束に含まれるべきでない単位紙幣束が含まれているか否かを判定するように構成することもできる。
【図面の簡単な説明】
【０２２１】
【図１】図１は、本発明の好ましい実施態様にかかる紙幣束処理機の略斜視図である。
【０２２２】
【図２】図２は、図１に示された紙幣束処理機のＸ−Ｘ線に沿った略断面図である。
【０２２３】
【図３】図３は、図１および図２に示された紙幣束処理機の制御系、検出系、駆動系、入力系および表示系を示すブロックダイアグラムである。
【０２２４】
【図４】図４は、本発明の別の好ましい実施態様にかかる紙幣束処理機の略縦断面図である。
【０２２５】
【図５】図５は、図４に示された紙幣束処理機の制御系、検出系、駆動系、入力系および表示系を示すブロックダイアグラムである。
【符号の説明】
【０２２６】
１  ハウジング
２  外部シャッタ
５  操作パネル
５ａ  キーボード
５ｂ  ディスプレイ
６  スピーカー
１０  紙幣束生成部
１０ａ  開口部
１１  内部シャッタ
１５ａ、１５ｂ  一対の挟持部材
１６  結束テープ供給部材
１７  カッタ
２０  ＲＦＩＤリーダー
２１  第一のＲＦＩＤリーダー
２２  第二のＲＦＩＤリーダー
２５  ＲＦＩＤライター
３０  ＣＰＵ
３１  ＲＯＭ
３２  ＲＡＭ
３３  時計
４０  シャッタソレノイド
４１  モータ
４２  モータ
４３  カッタソレノイド
４４  ＲＦＩＤライター駆動手段
４５  巻き付け部材
４６  巻き付けモータ
４７  接着手段
４８  接着モータ
５０  アラーム手段
Ｔ  結束テープ
【図１】
2008296998.tif 000003
【図２】
2008296998.tif 000004
【図３】
2008296998.tif 000005
【図４】
2008296998.tif 000006
【図５】
2008296998.tif 000007